(57)【要約】【課題】複数の発光点を並行して点灯させうる発光チップ等を提供する。【解決手段】発光チップＣ１（Ｃ）は、基板８０上に列状に配列された発光サイリスタＬ１、Ｌ２、Ｌ３、…から構成される発光サイリスタ列、転送サイリスタＴ１、Ｔ２、Ｔ３、…から構成される転送サイリスタ列、許可ダイオードＤｅ１、Ｄｅ２、Ｄｅ３、…から構成される許可ダイオード列、ダイオードスイッチＤｓ１、Ｄｓ２、Ｄｓ３、…から構成されるダイオードスイッチ列を備える。さらに、第１許可信号φＥ１に対して、反転した第２許可信号φＥ２を設定する許可信号設定部１７０、および転送サイリスタ列を駆動する第１転送信号φ１または第２転送信号φ２に応じて、第１点灯信号φＩ１または第２点灯信号φの電位を設定する点灯信号設定部１６０を備える。【選択図】図５
2012040728.tif 000002
【特許請求の範囲】
【請求項１】
基板と、
前記基板上に列状に設けられ、第１の点灯信号により点灯のための電流が送信される奇数番目の複数の発光素子と、第２の点灯信号により点灯のための電流が送信される偶数番目の複数の発光素子とを備える発光素子列と、
前記基板上に、前記奇数番目の複数の発光素子のそれぞれに対応して設けられ、第１の転送信号が送信される奇数番目の複数の転送素子と、前記偶数番目の複数の発光素子のそれぞれに対応して設けられ、第２の転送信号が送信される偶数番目の複数の転送素子とを備え、当該第１の転送信号と当該第２の転送信号とによりオン状態が順に伝播するとともに、オン状態になることにより、オン状態の転送素子に対応する発光素子を点灯または非点灯の制御の対象として指定する転送素子列と、
前記基板上に、前記奇数番目の複数の発光素子のそれぞれに対応して設けられ、第１の許可信号により前記制御の対象として指定された発光素子の点灯を、許可または阻止のいずれか一方に設定する奇数番目の複数の許可素子と、前記偶数番目の複数の発光素子のそれぞれに対応して設けられ、第２の許可信号により前記制御の対象として指定された発光素子の点灯を、許可または阻止のいずれか一方に設定する偶数番目の複数の許可素子とを備える許可素子列と、
前記第１の許可信号に基づいて、当該第１の許可信号を反転した前記第２の許可信号を設定する許可信号設定部と、
前記第１の転送信号に対応して前記第１の点灯信号を設定するとともに、前記第２の転送信号に対応して前記第２の点灯信号を設定する点灯信号設定部と
を備える発光チップ。
【請求項２】
前記許可信号設定部は、基準電位と電源電位とから、前記第２の許可信号を、前記第１の許可信号により電気的な抵抗値が変化する素子で設定されることを特徴とする請求項１に記載の発光チップ。
【請求項３】
前記点灯信号設定部は、基準電位と点灯電位とから、前記第１の点灯信号が、前記第１の転送信号により電気的な抵抗値が変化する素子で設定され、前記第２の点灯信号が、前記第２の転送信号により電気的な抵抗値が変化する素子で設定されることを特徴とする請求項１または２に記載の発光チップ。
【請求項４】
前記基板上に、前記奇数番目の複数の発光素子および前記偶数番目の複数の発光素子のそれぞれに対応して設けられ、前記制御の対象として指定された発光素子を、書込信号により点灯または非点灯に設定する複数の書込素子を備える書込素子列をさらに備えることを特徴とする請求項１ないし３のいずれか１項に記載の発光チップ。
【請求項５】
前記書込素子列の前記複数の書込素子は、それぞれが書込信号により電気的な抵抗値が変化する素子を含んで構成されることを特徴とする請求項４に記載の発光チップ。
【請求項６】
前記電気的な抵抗値が変化する素子は、第１の導電型の第１の半導体層と、当該第１の半導体層に接して設けられた当該第１の導電型と異なる第２の導電型の第２の半導体層とを備え、当該第１の半導体層と当該第２の半導体層とが形成する接合を順バイアスの状態または順バイアスでない状態のいずれか一方に設定されることで、当該第１の半導体層の電気的な抵抗値を変化させることを特徴とする請求項２ないし５のいずれか１項に記載の発光チップ。
【請求項７】
前記発光チップの前記転送素子列の前記複数の転送素子のそれぞれの転送素子は、ゲート端子、アノード端子、カソード端子を備えた３端子転送サイリスタであって、前記発光素子列の前記複数の発光素子のそれぞれの発光素子は、ゲート端子、アノード端子、カソード端子を備えた３端子発光サイリスタであることを特徴とする請求項１ないし６のいずれか１項に記載の発光チップ。
【請求項８】
前記点灯信号設定部は、前記第１の点灯信号が、前記第１の転送信号からショットキーダイオードを介して設定され、前記第２の点灯信号が、前記第２の転送信号からショットキーダイオードを介して設定されることを特徴とする請求項１または２に記載の発光チップ。
【請求項９】
前記許可素子列の前記複数の許可素子のそれぞれの許可素子は、ショットキーダイオードであることを特徴とする請求項１ないし８のいずれか１項に記載の発光チップ。
【請求項１０】
それぞれが、基板と、当該基板上に列状に設けられ、第１の点灯信号により点灯のための電流が送信される奇数番目の複数の発光素子と、第２の点灯信号により点灯のための電流が送信される偶数番目の複数の発光素子とを備える発光素子列と、当該基板上に、当該奇数番目の複数の発光素子のそれぞれに対応して設けられ、第１の転送信号が送信される奇数番目の複数の転送素子と、当該偶数番目の複数の発光素子のそれぞれに対応して設けられ、第２の転送信号が送信される偶数番目の複数の転送素子とを備え、当該第１の転送信号と当該第２の転送信号とによりオン状態が順に伝播するとともに、オン状態になることにより、オン状態の転送素子に対応する発光素子を点灯または非点灯の制御の対象として指定する転送素子列と、当該基板上に、当該奇数番目の複数の発光素子のそれぞれに対応して設けられ、第１の許可信号により当該制御の対象として指定された発光素子の点灯を、許可または阻止のいずれか一方に設定する奇数番目の複数の許可素子と、当該偶数番目の複数の発光素子のそれぞれに対応して設けられ、第２の許可信号により当該制御の対象として指定された発光素子の点灯を、許可または阻止のいずれか一方に設定する偶数番目の複数の許可素子とを備える許可素子列と、当該第１の許可信号に基づいて、当該第１の許可信号を反転した当該第２の許可信号を設定する許可信号設定部と、当該第１の転送信号に対応して当該第１の点灯信号を設定するとともに、当該第２の転送信号に対応して当該第２の点灯信号を設定する点灯信号設定部とを備える、複数の発光チップと、
前記複数の発光チップに対して、当該複数の発光チップの前記複数の転送素子のそれぞれの転送素子をオン状態が順に伝播するように駆動する前記第１の転送信号および前記第２の転送信号を共通に送信する転送信号供給手段と、
前記複数の発光チップに対して、前記第１の許可信号を共通に送信する許可信号供給手段と
を備えた発光装置。
【請求項１１】
それぞれが、基板と、当該基板上に列状に設けられ、第１の点灯信号により点灯のための電流が送信される奇数番目の複数の発光素子と、第２の点灯信号により点灯のための電流が送信される偶数番目の複数の発光素子とを備える発光素子列と、当該基板上に、当該奇数番目の複数の発光素子のそれぞれに対応して設けられ、第１の転送信号が送信される奇数番目の複数の転送素子と、当該偶数番目の複数の発光素子のそれぞれに対応して設けられ、第２の転送信号が送信される偶数番目の複数の転送素子とを備え、当該第１の転送信号と当該第２の転送信号とによりオン状態が順に伝播するとともに、オン状態になることにより、オン状態の転送素子に対応する発光素子を点灯または非点灯の制御の対象として指定する転送素子列と、当該基板上に、当該奇数番目の複数の発光素子のそれぞれに対応して設けられ、第１の許可信号により当該制御の対象として指定された発光素子の点灯を、許可または阻止のいずれか一方に設定する奇数番目の複数の許可素子と、当該偶数番目の複数の発光素子のそれぞれに対応して設けられ、第２の許可信号により当該制御の対象として指定された発光素子の点灯を、許可または阻止のいずれか一方に設定する偶数番目の複数の許可素子とを備える許可素子列と、当該第１の許可信号に基づいて、当該第１の許可信号を反転した当該第２の許可信号を設定する許可信号設定部と、当該第１の転送信号に対応して当該第１の点灯信号を設定するとともに、当該第２の転送信号に対応して当該第２の点灯信号を設定する点灯信号設定部とを備える、複数の発光チップと、当該複数の発光チップに対して、当該複数の発光チップの当該複数の転送素子のそれぞれの転送素子をオン状態が順に伝播するように駆動する当該第１の転送信号および当該第２の転送信号を共通に送信する転送信号供給手段と、当該複数の発光チップに対して、当該第１の許可信号を共通に送信する許可信号供給手段とを備え、像保持体を露光して静電潜像を形成する露光手段と、
前記露光手段から照射される光を前記像保持体上に結像させる光学手段と
を備えるプリントヘッド。
【請求項１２】
像保持体を帯電する帯電手段と、
それぞれが、基板と、当該基板上に列状に設けられ、第１の点灯信号により点灯のための電流が送信される奇数番目の複数の発光素子と、第２の点灯信号により点灯のための電流が送信される偶数番目の複数の発光素子とを備える発光素子列と、当該基板上に、当該奇数番目の複数の発光素子のそれぞれに対応して設けられ、第１の転送信号が送信される奇数番目の複数の転送素子と、当該偶数番目の複数の発光素子のそれぞれに対応して設けられ、第２の転送信号が送信される偶数番目の複数の転送素子とを備え、当該第１の転送信号と当該第２の転送信号とによりオン状態が順に伝播するとともに、オン状態になることにより、オン状態の転送素子に対応する発光素子を点灯または非点灯の制御の対象として指定する転送素子列と、当該基板上に、当該奇数番目の複数の発光素子のそれぞれに対応して設けられ、第１の許可信号により当該制御の対象として指定された発光素子の点灯を、許可または阻止のいずれか一方に設定する奇数番目の複数の許可素子と、当該偶数番目の複数の発光素子のそれぞれに対応して設けられ、第２の許可信号により当該制御の対象として指定された発光素子の点灯を、許可または阻止のいずれか一方に設定する偶数番目の複数の許可素子とを備える許可素子列と、当該第１の許可信号に基づいて、当該第１の許可信号を反転した当該第２の許可信号を設定する許可信号設定部と、当該第１の転送信号に対応して当該第１の点灯信号を設定するとともに、当該第２の転送信号に対応して当該第２の点灯信号を設定する点灯信号設定部とを備える、複数の発光チップと、当該複数の発光チップに対して、当該複数の発光チップの当該複数の転送素子のそれぞれの転送素子をオン状態が順に伝播するように駆動する当該第１の転送信号および当該第２の転送信号を共通に送信する転送信号供給手段と、当該複数の発光チップに対して、当該第１の許可信号を共通に送信する許可信号供給手段とを備え、前記像保持体を露光して静電潜像を形成する露光手段と、
前記露光手段から照射される光を前記像保持体上に結像させる光学手段と、
前記像保持体に形成された前記静電潜像を現像する現像手段と、
前記像保持体に現像された画像を被転写体に転写する転写手段と
を備える画像形成装置。
【発明の詳細な説明】
【技術分野】
【０００１】
本発明は、発光チップ、発光装置、プリントヘッドおよび画像形成装置に関する。
【背景技術】
【０００２】
電子写真方式を採用した、プリンタや複写機、ファクシミリ等の画像形成装置では、一様に帯電された感光体上に、画像情報を光記録手段により照射することにより静電潜像を得た後、この静電潜像にトナーを付加して可視化し、記録紙上に転写して定着することによって画像形成が行われる。かかる光記録手段として、レーザを用い、主走査方向にレーザ光を走査させて露光する光走査方式の他、近年では、装置の小型化の要請を受けて発光素子としての発光ダイオード（ＬＥＤ：Ｌｉｇｈｔ  Ｅｍｉｔｔｉｎｇ  Ｄｉｏｄｅ）を主走査方向に複数配列してなる、ＬＥＤプリントヘッド（ＬＰＨ：ＬＥＤ  Ｐｒｉｎｔ  Ｈｅａｄ）を用いた記録装置が採用されている。
【０００３】
特許文献１には、発光素子チップに点灯信号が入ったときに発光するかしないかをコントロールする端子を設け、汎用のシフトレジスタＩＣを使うことにより、１本のデータ線に複数チップの発光のためのデータを多重化した自己走査型発光素子アレイが記載されている。
【先行技術文献】
【特許文献】
【０００４】
【特許文献１】特開２００１−２１９５９６号公報
【発明の概要】
【発明が解決しようとする課題】
【０００５】
ところで、自己走査型発光素子アレイ（ＳＬＥＤ：Ｓｅｌｆ−ｓｃａｎｎｉｎｇ  Ｌｉｇｈｔ  Ｅｍｉｔｔｉｎｇ  Ｄｅｖｉｃｅ）チップ（発光チップ）を複数用いたＬＰＨによる記録装置において、高速な画像形成のためには、並行して複数のＳＬＥＤチップを点灯させるとともに、それぞれのＳＬＥＤチップにおいて複数の発光点を並行して点灯させることが望ましい。
【０００６】
本発明は、複数の発光点を並行して点灯させうる発光チップ等を提供することを目的とする。
【課題を解決するための手段】
【０００７】
請求項１に記載の発明は、基板と、前記基板上に列状に設けられ、第１の点灯信号により点灯のための電流が送信される奇数番目の複数の発光素子と、第２の点灯信号により点灯のための電流が送信される偶数番目の複数の発光素子とを備える発光素子列と、前記基板上に、前記奇数番目の複数の発光素子のそれぞれに対応して設けられ、第１の転送信号が送信される奇数番目の複数の転送素子と、前記偶数番目の複数の発光素子のそれぞれに対応して設けられ、第２の転送信号が送信される偶数番目の複数の転送素子とを備え、当該第１の転送信号と当該第２の転送信号とによりオン状態が順に伝播するとともに、オン状態になることにより、オン状態の転送素子に対応する発光素子を点灯または非点灯の制御の対象として指定する転送素子列と、前記基板上に、前記奇数番目の複数の発光素子のそれぞれに対応して設けられ、第１の許可信号により前記制御の対象として指定された発光素子の点灯を、許可または阻止のいずれか一方に設定する奇数番目の複数の許可素子と、前記偶数番目の複数の発光素子のそれぞれに対応して設けられ、第２の許可信号により前記制御の対象として指定された発光素子の点灯を、許可または阻止のいずれか一方に設定する偶数番目の複数の許可素子とを備える許可素子列と、前記第１の許可信号に基づいて、当該第１の許可信号を反転した前記第２の許可信号を設定する許可信号設定部と、前記第１の転送信号に対応して前記第１の点灯信号を設定するとともに、前記第２の転送信号に対応して前記第２の点灯信号を設定する点灯信号設定部とを備える発光チップである。
【０００８】
請求項２に記載の発明は、前記許可信号設定部は、基準電位と電源電位とから、前記第２の許可信号を、前記第１の許可信号により電気的な抵抗値が変化する素子で設定されることを特徴とする請求項１に記載の発光チップである。
請求項３に記載の発明は、前記点灯信号設定部は、基準電位と点灯電位とから、前記第１の点灯信号が、前記第１の転送信号により電気的な抵抗値が変化する素子で設定され、前記第２の点灯信号が、前記第２の転送信号により電気的な抵抗値が変化する素子で設定されることを特徴とする請求項１または２に記載の発光チップである。
請求項４に記載の発明は、前記基板上に、前記奇数番目の複数の発光素子および前記偶数番目の複数の発光素子のそれぞれに対応して設けられ、前記制御の対象として指定された発光素子を、書込信号により点灯または非点灯に設定する複数の書込素子を備える書込素子列をさらに備えることを特徴とする請求項１ないし３のいずれか１項に記載の発光チップである。
請求項５に記載の発明は、前記書込素子列の前記複数の書込素子は、それぞれが書込信号により電気的な抵抗値が変化する素子を含んで構成されることを特徴とする請求項４に記載の発光チップである。
請求項６に記載の発明は、前記電気的な抵抗値が変化する素子は、第１の導電型の第１の半導体層と、当該第１の半導体層に接して設けられた当該第１の導電型と異なる第２の導電型の第２の半導体層とを備え、当該第１の半導体層と当該第２の半導体層とが形成する接合を順バイアスの状態または順バイアスでない状態のいずれか一方に設定されることで、当該第１の半導体層の電気的な抵抗値を変化させることを特徴とする請求項２ないし５のいずれか１項に記載の発光チップである。
請求項７に記載の発明は、前記発光チップの前記転送素子列の前記複数の転送素子のそれぞれの転送素子は、ゲート端子、アノード端子、カソード端子を備えた３端子転送サイリスタであって、前記発光素子列の前記複数の発光素子のそれぞれの発光素子は、ゲート端子、アノード端子、カソード端子を備えた３端子発光サイリスタであることを特徴とする請求項１ないし６のいずれか１項に記載の発光チップである。
【０００９】
請求項８に記載の発明は、前記点灯信号設定部は、前記第１の点灯信号が、前記第１の転送信号からショットキーダイオードを介して設定され、前記第２の点灯信号が、前記第２の転送信号からショットキーダイオードを介して設定されることを特徴とする請求項１または２に記載の発光チップである。
請求項９に記載の発明は、前記許可素子列の前記複数の許可素子のそれぞれの許可素子は、ショットキーダイオードであることを特徴とする請求項１ないし８のいずれか１項に記載の発光チップである。
【００１０】
請求項１０に記載の発明は、それぞれが、基板と、当該基板上に列状に設けられ、第１の点灯信号により点灯のための電流が送信される奇数番目の複数の発光素子と、第２の点灯信号により点灯のための電流が送信される偶数番目の複数の発光素子とを備える発光素子列と、当該基板上に、当該奇数番目の複数の発光素子のそれぞれに対応して設けられ、第１の転送信号が送信される奇数番目の複数の転送素子と、当該偶数番目の複数の発光素子のそれぞれに対応して設けられ、第２の転送信号が送信される偶数番目の複数の転送素子とを備え、当該第１の転送信号と当該第２の転送信号とによりオン状態が順に伝播するとともに、オン状態になることにより、オン状態の転送素子に対応する発光素子を点灯または非点灯の制御の対象として指定する転送素子列と、当該基板上に、当該奇数番目の複数の発光素子のそれぞれに対応して設けられ、第１の許可信号により当該制御の対象として指定された発光素子の点灯を、許可または阻止のいずれか一方に設定する奇数番目の複数の許可素子と、当該偶数番目の複数の発光素子のそれぞれに対応して設けられ、第２の許可信号により当該制御の対象として指定された発光素子の点灯を、許可または阻止のいずれか一方に設定する偶数番目の複数の許可素子とを備える許可素子列と、当該第１の許可信号に基づいて、当該第１の許可信号を反転した当該第２の許可信号を設定する許可信号設定部と、当該第１の転送信号に対応して当該第１の点灯信号を設定するとともに、当該第２の転送信号に対応して当該第２の点灯信号を設定する点灯信号設定部とを備える、複数の発光チップと、前記複数の発光チップに対して、当該複数の発光チップの前記複数の転送素子のそれぞれの転送素子をオン状態が順に伝播するように駆動する前記第１の転送信号および前記第２の転送信号を共通に送信する転送信号供給手段と、前記複数の発光チップに対して、前記第１の許可信号を共通に送信する許可信号供給手段とを備えた発光装置である。
【００１１】
請求項１１に記載の発明は、それぞれが、基板と、当該基板上に列状に設けられ、第１の点灯信号により点灯のための電流が送信される奇数番目の複数の発光素子と、第２の点灯信号により点灯のための電流が送信される偶数番目の複数の発光素子とを備える発光素子列と、当該基板上に、当該奇数番目の複数の発光素子のそれぞれに対応して設けられ、第１の転送信号が送信される奇数番目の複数の転送素子と、当該偶数番目の複数の発光素子のそれぞれに対応して設けられ、第２の転送信号が送信される偶数番目の複数の転送素子とを備え、当該第１の転送信号と当該第２の転送信号とによりオン状態が順に伝播するとともに、オン状態になることにより、オン状態の転送素子に対応する発光素子を点灯または非点灯の制御の対象として指定する転送素子列と、当該基板上に、当該奇数番目の複数の発光素子のそれぞれに対応して設けられ、第１の許可信号により当該制御の対象として指定された発光素子の点灯を、許可または阻止のいずれか一方に設定する奇数番目の複数の許可素子と、当該偶数番目の複数の発光素子のそれぞれに対応して設けられ、第２の許可信号により当該制御の対象として指定された発光素子の点灯を、許可または阻止のいずれか一方に設定する偶数番目の複数の許可素子とを備える許可素子列と、当該第１の許可信号に基づいて、当該第１の許可信号を反転した当該第２の許可信号を設定する許可信号設定部と、当該第１の転送信号に対応して当該第１の点灯信号を設定するとともに、当該第２の転送信号に対応して当該第２の点灯信号を設定する点灯信号設定部とを備える、複数の発光チップと、当該複数の発光チップに対して、当該複数の発光チップの当該複数の転送素子のそれぞれの転送素子をオン状態が順に伝播するように駆動する当該第１の転送信号および当該第２の転送信号を共通に送信する転送信号供給手段と、当該複数の発光チップに対して、当該第１の許可信号を共通に送信する許可信号供給手段とを備え、像保持体を露光して静電潜像を形成する露光手段と、前記露光手段から照射される光を前記像保持体上に結像させる光学手段とを備えるプリントヘッドである。
【００１２】
請求項１２に記載の発明は、像保持体を帯電する帯電手段と、それぞれが、基板と、当該基板上に列状に設けられ、第１の点灯信号により点灯のための電流が送信される奇数番目の複数の発光素子と、第２の点灯信号により点灯のための電流が送信される偶数番目の複数の発光素子とを備える発光素子列と、当該基板上に、当該奇数番目の複数の発光素子のそれぞれに対応して設けられ、第１の転送信号が送信される奇数番目の複数の転送素子と、当該偶数番目の複数の発光素子のそれぞれに対応して設けられ、第２の転送信号が送信される偶数番目の複数の転送素子とを備え、当該第１の転送信号と当該第２の転送信号とによりオン状態が順に伝播するとともに、オン状態になることにより、オン状態の転送素子に対応する発光素子を点灯または非点灯の制御の対象として指定する転送素子列と、当該基板上に、当該奇数番目の複数の発光素子のそれぞれに対応して設けられ、第１の許可信号により当該制御の対象として指定された発光素子の点灯を、許可または阻止のいずれか一方に設定する奇数番目の複数の許可素子と、当該偶数番目の複数の発光素子のそれぞれに対応して設けられ、第２の許可信号により当該制御の対象として指定された発光素子の点灯を、許可または阻止のいずれか一方に設定する偶数番目の複数の許可素子とを備える許可素子列と、当該第１の許可信号に基づいて、当該第１の許可信号を反転した当該第２の許可信号を設定する許可信号設定部と、当該第１の転送信号に対応して当該第１の点灯信号を設定するとともに、当該第２の転送信号に対応して当該第２の点灯信号を設定する点灯信号設定部とを備える、複数の発光チップと、当該複数の発光チップに対して、当該複数の発光チップの当該複数の転送素子のそれぞれの転送素子をオン状態が順に伝播するように駆動する当該第１の転送信号および当該第２の転送信号を共通に送信する転送信号供給手段と、当該複数の発光チップに対して、当該第１の許可信号を共通に送信する許可信号供給手段とを備え、前記像保持体を露光して静電潜像を形成する露光手段と、前記露光手段から照射される光を前記像保持体上に結像させる光学手段と、前記像保持体に形成された前記静電潜像を現像する現像手段と、前記像保持体に現像された画像を被転写体に転写する転写手段とを備える画像形成装置である。
【発明の効果】
【００１３】
請求項１の発明によれば、発光素子を奇数番目と偶数番目に分けないで駆動する場合に比べ、複数の発光点を並行して点灯させることができる。
請求項２の発明によれば、本構成を有しない場合に比べ、第２の許可信号が外部回路を要することなく生成できる。
請求項３の発明によれば、本構成を有しない場合に比べ、第１の点灯信号および第２の点灯信号が外部回路を要することなく生成できる。
請求項４の発明によれば、本構成を有しない場合に比べ、点灯開始のタイミングをずらすことができる。
請求項５の発明によれば、本構成を有しない場合に比べ、発光チップの構成をより簡易にできる。
請求項６の発明によれば、本構成を有しない場合に比べ、電気的な抵抗値が変化する素子がより簡易な構成で実現できる。
請求項７の発明によれば、本構成を有しない場合に比べ、発光素子の制御がより容易にできる。
請求項８の発明によれば、本構成を有しない場合に比べ、点灯信号設定部の構成がより簡易にできる。
請求項９の発明によれば、本構成を有しない場合に比べ、発光チップの構成をより簡易にできる。
請求項１０の発明によれば、本構成を有しない場合に比べ、発光装置の配線（ライン）の数を抑制できる。
請求項１１の発明によれば、本構成を有しない場合に比べ、露光がより高速にできる。
請求項１２の発明によれば、本構成を有しない場合に比べ、画像形成がより高速にできる。
【図面の簡単な説明】
【００１４】
【図１】第１の実施の形態が適用される画像形成装置の全体構成の一例を示した図である。
【図２】プリントヘッドの構成を示した断面図である。
【図３】発光装置の上面図である。
【図４】発光チップの構成、発光装置の信号発生回路の構成および回路基板上の配線構成を示した図である。
【図５】第１の実施の形態における自己走査型発光素子アレイ（ＳＬＥＤ）である発光チップの回路構成を説明するための等価回路図である。
【図６】第１の実施の形態における発光チップの平面レイアウト図および断面図である。
【図７】第１の実施の形態における発光チップのダイオードスイッチの構成および特性を示す図である。
【図８】発光装置の動作を説明するためのタイミングチャートである。
【図９】第２の実施の形態における自己走査型発光素子アレイ（ＳＬＥＤ）である発光チップの回路構成を説明するための等価回路図である。
【図１０】第３の実施の形態における自己走査型発光素子アレイ（ＳＬＥＤ）である発光チップの回路構成を説明するための等価回路図である。
【図１１】第３の実施の形態における発光チップの平面レイアウト図および断面図である。
【図１２】第３の実施の形態における発光チップのダイオードスイッチの構成および特性を示す図である。
【図１３】第４の実施の形態における自己走査型発光素子アレイ（ＳＬＥＤ）である発光チップの回路構成を説明するための等価回路図である。
【図１４】第４の実施の形態における発光チップの平面レイアウト図および断面図である。
【図１５】第４の実施の形態における発光チップのバイポーラスイッチの構成および特性を示す図である。
【図１６】第５の実施の形態における発光チップのダイオードスイッチの構成を示す図である。
【図１７】第６の実施の形態における発光チップのダイオードスイッチの構成を示す図である。
【図１８】第７の実施の形態における発光チップのダイオードスイッチの構成を示す図である。
【発明を実施するための形態】
【００１５】
以下、添付図面を参照して、本発明の実施の形態について詳細に説明する。
［第１の実施の形態］
（画像形成装置１）
図１は第１の実施の形態が適用される画像形成装置１の全体構成の一例を示した図である。図１に示す画像形成装置１は、一般にタンデム型と呼ばれる画像形成装置である。この画像形成装置１は、各色の画像データに対応して画像形成を行なう画像形成プロセス部１０、画像形成プロセス部１０を制御する画像出力制御部３０、例えばパーソナルコンピュータ（ＰＣ）２や画像読取装置３に接続され、これらから受信された画像データに対して予め定められた画像処理を施す画像処理部４０を備えている。
【００１６】
画像形成プロセス部１０は、予め定められた間隔を置いて並列に配置される複数のエンジンを含む画像形成ユニット１１を備えている。この画像形成ユニット１１は、４つの画像形成ユニット１１Ｙ、１１Ｍ、１１Ｃ、１１Ｋから構成されている。画像形成ユニット１１Ｙ、１１Ｍ、１１Ｃ、１１Ｋは、それぞれ、静電潜像を形成してトナー像を保持する像保持体の一例としての感光体ドラム１２、感光体ドラム１２の表面を予め定められた電位で帯電する帯電手段の一例としての帯電器１３、帯電器１３によって帯電された感光体ドラム１２を露光するプリントヘッド１４、プリントヘッド１４によって得られた静電潜像を現像する現像手段の一例としての現像器１５を備えている。画像形成ユニット１１Ｙ、１１Ｍ、１１Ｃ、１１Ｋは、それぞれがイエロー（Ｙ）、マゼンタ（Ｍ）、シアン（Ｃ）、黒（Ｋ）のトナー像を形成する。
また、画像形成プロセス部１０は、各画像形成ユニット１１Ｙ、１１Ｍ、１１Ｃ、１１Ｋの感光体ドラム１２にて形成された各色のトナー像を被転写体の一例としての記録用紙２５に多重転写させるために、この記録用紙２５を搬送する用紙搬送ベルト２１と、用紙搬送ベルト２１を駆動させるロールである駆動ロール２２と、感光体ドラム１２のトナー像を記録用紙２５に転写させる転写手段の一例としての転写ロール２３と、記録用紙２５にトナー像を定着させる定着器２４とを備えている。
【００１７】
この画像形成装置１において、画像形成プロセス部１０は、画像出力制御部３０から供給される各種の制御信号に基づいて画像形成動作を行う。そして、画像出力制御部３０による制御の下で、パーソナルコンピュータ（ＰＣ）２や画像読取装置３から受信された画像データは、画像処理部４０によって画像処理が施され、画像形成ユニット１１に供給される。そして、例えば黒（Ｋ）色の画像形成ユニット１１Ｋでは、感光体ドラム１２が矢印Ａ方向に回転しながら、帯電器１３により予め定められた電位に帯電され、画像処理部４０から供給された画像データに基づいて発光するプリントヘッド１４により露光される。これにより、感光体ドラム１２上には、黒（Ｋ）色画像に関する静電潜像が形成される。そして、感光体ドラム１２上に形成された静電潜像は現像器１５により現像され、感光体ドラム１２上には黒（Ｋ）色のトナー像が形成される。画像形成ユニット１１Ｙ、１１Ｍ、１１Ｃにおいても、それぞれイエロー（Ｙ）、マゼンタ（Ｍ）、シアン（Ｃ）の各色トナー像が形成される。
【００１８】
各画像形成ユニット１１で形成された感光体ドラム１２上の各色トナー像は、矢印Ｂ方向に移動する用紙搬送ベルト２１の移動に伴って供給された記録用紙２５に、転写ロール２３に印加された転写電界により、順次静電転写され、記録用紙２５上に各色トナーが重畳された合成トナー像が形成される。
その後、合成トナー像が静電転写された記録用紙２５は、定着器２４まで搬送される。定着器２４に搬送された記録用紙２５上の合成トナー像は、定着器２４によって熱および圧力による定着処理を受けて記録用紙２５上に定着され、画像形成装置１から排出される。
【００１９】
（プリントヘッド１４）
図２は、プリントヘッド１４の構成を示した断面図である。このプリントヘッド１４は、ハウジング６１、感光体ドラム１２を露光する複数の発光素子（本実施の形態では、発光素子の一例としての発光サイリスタ）を備える発光部６３を備えた露光手段の一例としての発光装置６５、発光部６３から出射された光を感光体ドラム１２表面に結像させる光学手段の一例としてのロッドレンズアレイ６４を備えている。
発光装置６５は、前述した発光部６３、発光部６３を駆動する信号発生回路１１０（後述の図３参照）等を搭載する回路基板６２を備えている。
【００２０】
ハウジング６１は、例えば金属で形成され、回路基板６２およびロッドレンズアレイ６４を支持し、発光部６３の発光素子における発光点とロッドレンズアレイ６４の焦点面とが一致するように設定されている。また、ロッドレンズアレイ６４は、感光体ドラム１２の軸方向（主走査方向であって、後述する図３、図４（ｂ）のＸ方向）に沿って配置されている。
【００２１】
（発光装置６５）
図３は、発光装置６５の上面図である。
図３に示すように、発光装置６５では、発光部６３は、回路基板６２上に、２０個の発光チップＣ１〜Ｃ２０が、主走査方向であるＸ方向に二列に千鳥状に配置して構成されている。
本明細書では、「〜」は、番号によってそれぞれが区別された複数の構成要素を示すもので、「〜」の前後に記載されたものおよびその間の番号のものを含むことを意味する。例えば、発光チップＣ１〜Ｃ２０は、発光チップＣ１から番号順に発光チップＣ２０までを含む。
【００２２】
発光チップＣ１〜Ｃ２０の構成は同一であってよい。よって、発光チップＣ１〜Ｃ２０をそれぞれ区別しないときは、発光チップＣと呼ぶ。
なお、本実施の形態では、発光チップＣの数として、合計２０個を用いたが、これに限定されない。
そして、発光装置６５は、前述したように、発光部６３を駆動する信号発生回路１１０を搭載している。信号発生回路１１０は、例えば集積回路（ＩＣ）などで構成されている。
なお、発光チップＣ１〜Ｃ２０の配列についての詳細は後述する。
【００２３】
図４は、発光チップＣの構成、発光装置６５の信号発生回路１１０の構成および回路基板６２上の配線（ライン）の構成を示した図である。図４（ａ）は発光チップＣの構成を示し、図４（ｂ）は発光装置６５の信号発生回路１１０の構成および回路基板６２上の配線（ライン）の構成を示している。
【００２４】
はじめに、図４（ａ）に示す発光チップＣの構成を説明する。
発光チップＣは、矩形の基板８０の表面において、長辺側に長辺に沿って列状に設けられた複数の発光素子（本実施の形態では発光サイリスタＬ１、Ｌ２、Ｌ３、…）から構成される発光素子列１０２を備えている。さらに、発光チップＣは、基板８０の表面の長辺方向の両端部に、各種の制御信号等を取り込むための複数のボンディングパッドである端子（Ｖｇａ端子、φ２端子、φＷ端子、φＥ端子、Ｖｓｕｂ端子、φ１端子、Ｖｉ端子）を備えている。なお、これらの端子は、基板８０の一端部からＶｇａ端子、φ２端子、φＷ端子、φＥ端子、の順に設けられ、基板８０の他端部からＶｉ端子、φ１端子、Ｖｓｕｂ端子の順に設けられている。そして、発光素子列１０２は、φＥ端子とＶｓｕｂ端子との間に設けられている。さらに、基板８０の裏面には裏面電極８５（後述する図６参照）が設けられている。
【００２５】
次に、図４（ｂ）により、発光装置６５の信号発生回路１１０の構成および回路基板６２上の配線（ライン）の構成を説明する。
前述したように、発光装置６５の回路基板６２には、信号発生回路１１０および発光チップＣ１〜Ｃ２０が搭載され、信号発生回路１１０と発光チップＣ１〜Ｃ２０とを相互に接続する配線（ライン）が設けられている。
【００２６】
まず、信号発生回路１１０の構成について説明する。
信号発生回路１１０には、図示しないが、画像出力制御部３０および画像処理部４０（図１参照）より、画像処理された画像データおよび各種の制御信号が入力される。信号発生回路１１０は、これらの画像データおよび各種の制御信号に基づいて、画像データの並び替えや光量の補正等を行う。
そして、信号発生回路１１０は、各種の制御信号に基づき、発光チップＣ１〜Ｃ２０に対して、第１転送信号φ１および第２転送信号φ２を送信する転送信号供給手段の一例としての転送信号発生部１２０を備えている。
さらに、信号発生回路１１０は、各種の制御信号に基づき、発光チップＣ１〜Ｃ２０に対して、第１許可信号φＥ１を送信する許可信号供給手段の一例としての許可信号発生部１３０を備えている。
さらにまた、信号発生回路１１０は、各種の制御信号に基づき、各発光チップＣ１〜Ｃ２０に、書込信号φＷ１〜φＷ２０をそれぞれ送信する書込信号発生部１５０を備えている。書込信号φＷ１〜φＷ２０のそれぞれを区別しないときは書込信号φＷと呼ぶ。
さらに、本実施の形態では、信号発生回路１１０は、発光チップＣ１〜Ｃ２０に、電位の基準となる基準電位Ｖｓｕｂ、駆動のための電位として電源電位Ｖｇａ、発光素子の点灯のための電位として点灯電位Ｖｉを供給する。なお、基準電位Ｖｓｕｂ、電源電位Ｖｇａ、点灯電位Ｖｉは、信号発生回路１１０を介すことなく発光チップＣ１〜Ｃ２０に供給されてもよい。
【００２７】
次に、発光チップＣ１〜Ｃ２０の配列について説明する。
奇数番号の発光チップＣ１、Ｃ３、Ｃ５、…は、それぞれの基板８０の長辺方向に間隔を設けて一列に配列されている。偶数番号の発光チップＣ２、Ｃ４、Ｃ６、…も、同様にそれぞれの基板８０の長辺の方向に間隔を設けて一列に配列されている。そして、奇数番号の発光チップＣ１、Ｃ３、Ｃ５、…と偶数番号の発光チップＣ２、Ｃ４、Ｃ６、…とは、発光チップＣに設けられた発光素子列１０２側の長辺が向かい合うように、互いに１８０°回転した状態で千鳥状に配列されている。そして、発光チップＣ間においても発光素子が主走査方向に予め定められた間隔で並ぶように位置が設定されている。
【００２８】
信号発生回路１１０と発光チップＣ１〜Ｃ２０とを相互に接続する配線（ライン）について説明する。
回路基板６２には、発光チップＣに設けられたＶｓｕｂ端子および発光チップＣの基板８０裏面に設けられた裏面電極８５（後述の図６参照）に接続され、基準電位Ｖｓｕｂを供給する電源ライン２００ａが設けられている。図４では、電源ライン２００ａを発光チップＣの長辺側の中央部に接続して、発光チップＣの裏面電極８５へ接続されていることを示している。
そして、回路基板６２には、発光チップＣに設けられたＶｇａ端子に接続され、駆動のための電位である電源電位Ｖｇａを供給する電源ライン２００ｂが設けられている。
さらに、回路基板６２には、発光チップＣに設けられたＶｉ端子に接続され、発光素子の点灯のための点灯電位Ｖｉを供給する電源ライン２０４が設けられている。
【００２９】
回路基板６２には、信号発生回路１１０の転送信号発生部１２０から、発光チップＣ１〜Ｃ２０のφ１端子に、第１の転送信号（第１転送信号）φ１を送信するための第１転送信号ライン２０１、および発光チップＣ１〜Ｃ２０のφ２端子に、第２の転送信号（第２転送信号）φ２を送信するための第２転送信号ライン２０２が設けられている。第１転送信号φ１および第２転送信号φ２は、発光チップＣ１〜Ｃ２０に共通（並列）に送信される。
【００３０】
そして、回路基板６２には、信号発生回路１１０の許可信号発生部１３０から、発光チップ発光チップＣ１〜Ｃ２０のφＥ端子に、第１の許可信号（第１許可信号）φＥ１を送信するための許可信号ライン２０３が設けられている。第１許可信号φＥ１は、発光チップＣ１〜Ｃ２０に共通（並列）に送信される。
【００３１】
さらにまた、回路基板６２には、信号発生回路１１０の書込信号発生部１５０から、各発光チップＣ１〜Ｃ２０に書込信号φＷ１〜φＷ２０をそれぞれ送信する書込信号ライン２０５−１〜２０５−２０が設けられている。
【００３２】
以上説明したように、回路基板６２上のすべての発光チップＣ１〜Ｃ２０に、基準電位Ｖｓｕｂ、電源電位Ｖｇａ、点灯電位Ｖｉが共通に供給される。第１転送信号φ１、第２転送信号φ２、第１許可信号φＥ１も、発光チップＣ１〜Ｃ２０に共通（並列）に送信される。一方、書込信号φＷ１〜φＷ２０は、発光チップＣ１〜Ｃ２０のそれぞれに個別に送信される。
【００３３】
（発光チップＣ）
図５は、第１の実施の形態における自己走査型発光素子アレイ（ＳＬＥＤ）である発光チップＣの回路構成を説明するための等価回路図である。以下において説明する各素子は、端子（Ｖｇａ端子、φ２端子、φＷ端子、φＥ端子、Ｖｓｕｂ端子、φ１端子、Ｖｉ端子）を除き、発光チップＣ上のレイアウトに基づいて配置されている（後述する図６参照）。なお、端子（Ｖｇａ端子、φ２端子、φＷ端子、φＥ端子、Ｖｓｕｂ端子、φ１端子、Ｖｉ端子）の位置は、図４（ａ）と異なるが、説明の便宜上、図中左端に示している。
ここでは、信号発生回路１１０との関係から発光チップＣ１を例に、発光チップＣを説明する。そこで、図５において、発光チップＣを発光チップＣ１（Ｃ）と表記する。他の発光チップＣ２〜Ｃ２０の構成は、発光チップＣ１と同じである。
なお、図５では信号発生回路１１０において、２箇所にＶｓｕｂと表記しているが、これは同じ基準電位Ｖｓｕｂである。基準電位Ｖｓｕｂは、発光チップＣ１（Ｃ）の基板８０の表面に設けられたＶｓｕｂ端子と、基板８０の裏面に設けられた裏面電極８５とに供給される。なお、図示の便宜上、裏面電極８５を引き出して示している。
【００３４】
発光チップＣ１（Ｃ）は、前述したように基板８０上に列状に配列された発光サイリスタＬ１、Ｌ２、Ｌ３、…から構成される発光サイリスタ列（発光素子列１０２（図４参照））を備えている。
さらに、発光チップＣ１（Ｃ）は、発光サイリスタ列と同様に列状に配列された転送素子の一例としての転送サイリスタＴ１、Ｔ２、Ｔ３、…から構成される転送素子列の一例としての転送サイリスタ列、同様に列状に配列された許可素子の一例としての許可ダイオードＤｅ１、Ｄｅ２、Ｄｅ３、…から構成される許可素子列の一例としての許可ダイオード列、同様に列状に配列された書込素子の一例としてのダイオードスイッチＤｓ１、Ｄｓ２、Ｄｓ３、…から構成される書込素子列の一例としてのダイオードスイッチ列を備えている。なお、ダイオードスイッチＤｓ１、Ｄｓ２、Ｄｓ３、…のそれぞれは、書込ダイオードＤｗ１、Ｄｗ２、Ｄｗ３、…と書込抵抗Ｒｗ１、Ｒｗ２、Ｒｗ３、…との同じ番号のペアで構成されている。
そして、転送サイリスタＴ１、Ｔ２、Ｔ３、…と許可ダイオードＤｅ１、Ｄｅ２、Ｄｅ３、…との間に接続抵抗Ｒｅ１、Ｒｅ２、Ｒｅ３、…を備えている。
【００３５】
また、発光チップＣ１（Ｃ）は、転送サイリスタＴ１、Ｔ２、Ｔ３、…をそれぞれ番号順に２つをペアにして、それぞれのペアの間に結合ダイオードＤｘ１、Ｄｘ２、Ｄｘ３、…を備えている。
【００３６】
さらに、発光チップＣ１（Ｃ）は、電源線抵抗Ｒｇｘ１、Ｒｇｘ２、Ｒｇｘ３、…、電源線抵抗Ｒｇｚ１、Ｒｇｚ２、Ｒｇｚ３、…を備えている。
【００３７】
ここでは、発光サイリスタＬ１、Ｌ２、Ｌ３、…、転送サイリスタＴ１、Ｔ２、Ｔ３、…、許可ダイオードＤｅ１、Ｄｅ２、Ｄｅ３、…、ダイオードスイッチＤｓ１、Ｄｓ２、Ｄｓ３、…、書込ダイオードＤｗ１、Ｄｗ２、Ｄｗ３、…、書込抵抗Ｒｗ１、Ｒｗ２、Ｒｗ３、…、接続抵抗Ｒｅ１、Ｒｅ２、Ｒｅ３、…、結合ダイオードＤｘ１、Ｄｘ２、Ｄｘ３、…、電源線抵抗Ｒｇｘ１、Ｒｇｘ２、Ｒｇｘ３、…、電源線抵抗Ｒｇｚ１、Ｒｇｚ２、Ｒｇｚ３、…をそれぞれ区別しないときは、発光サイリスタＬ、転送サイリスタＴ、許可ダイオードＤｅ、ダイオードスイッチＤｓ、書込ダイオードＤｗ、書込抵抗Ｒｗ、接続抵抗Ｒｅ、結合ダイオードＤｘ、電源線抵抗Ｒｇｘ、電源線抵抗Ｒｇｚと表記する。
【００３８】
上記のサイリスタ（発光サイリスタＬ、転送サイリスタＴ）は、アノード端子、カソード端子、ゲート端子の３端子を有する半導体素子であって、発光サイリスタＬは３端子発光サイリスタ、転送サイリスタは３端子転送サイリスタである。
ここでは、転送サイリスタＴのアノード端子を第１のアノード端子、カソード端子を第１のカソード端子、ゲート端子を第１のゲート端子と呼ぶことがある。さらに、発光サイリスタＬのアノード端子を第２のアノード端子、カソード端子を第２のカソード端子、ゲート端子を第２のゲート端子と呼ぶことがある。
許可ダイオードＤｅはショットキーダイオードであり、書込ダイオードＤｗはｐｎ接合ダイオードである。
後述するように、ダイオードスイッチＤｓを構成する書込抵抗Ｒｗは、書込ダイオードＤｗの動作に伴って可変抵抗として働く。ダイオードスイッチＤｓは、電気的な抵抗値が変化する素子の一例である。
【００３９】
発光サイリスタ列における発光サイリスタＬの数は、予め定められた個数とすればよい。本実施の形態で、発光サイリスタＬの数を例えば１２８個とすると、転送サイリスタＴ、許可ダイオードＤｅ、ダイオードスイッチＤｓ（書込ダイオードＤｗおよび接続抵抗Ｄｗ）のそれぞれの数も１２８個である。同様に、接続ダイオードＤｃ、接続抵抗Ｒｅ、電源線抵抗Ｒｇｘ、電源線抵抗Ｒｇｚの数も１２８個である。しかし、結合ダイオードＤｘの数は、転送サイリスタＴの数より１少ない１２７個である。
なお、転送サイリスタＴ、許可ダイオードＤｅ、書込ダイオードＤｗ（ダイオードスイッチＤｓ）のそれぞれの数は、発光サイリスタＬの数より多くてもよい。
【００４０】
発光チップＣ１（Ｃ）は、１個のスタートダイオードＤｘ０を備えている。さらに、後述する第１転送信号φ１を送信する第１転送信号線７２と第２転送信号φ２を送信する第２転送信号線７３とに過剰な電流が流れるのを防止する電流制限抵抗Ｒ１およびＲ２を備えている。また、後述する点灯電位Ｖｉが供給される第１点灯信号線７５−１および第２点灯信号線７５−２のそれぞれに過剰な電流が流れるのを防止する電流制限抵抗Ｒｉ１およびＲｉ２を備えている。
【００４１】
さらに、発光チップＣ１（Ｃ）は、後述する第１の点灯信号（第１点灯信号）φＩ１、第２の点灯信号（第２点灯信号）φＩ２を設定する点灯信号設定部１６０を備えている。点灯信号設定部１６０は、第１転送信号線７２と第１点灯信号線７５−１との間に、第１転送信号φ１により第１点灯信号線７５−１の電位を設定する制御ダイオードＤｉ１および過剰な電流が流れるのを防止する電流制限抵抗Ｒｉ３と、第２転送信号線７３と第２点灯信号線７５−２との間に、第２転送信号φ２により第２点灯信号線７５−２の電位を設定する制御ダイオードＤｉ２および過剰な電流が流れるのを防止する電流制限抵抗Ｒｉ４とを備えている。
【００４２】
さらにまた、発光チップＣ１（Ｃ）は、第１許可信号φＥ１に対して、「Ｈ」と「Ｌ」との関係が反転した信号（後述する第２の許可信号（第２許可信号）φＥ２）を設定する許可信号設定部１７０を備えている。許可信号設定部１７０は、制御ダイオードＤｒ１、電源線抵抗Ｒｇｙ１、抵抗Ｒｒ１、Ｒｒ２を備えている。なお、制御ダイオードＤｒ１と抵抗Ｒｒ１とは、ダイオードスイッチＤｓｒを構成する。そして、ダイオードスイッチＤｓｒを構成する抵抗Ｒｒ１は、制御ダイオードＤｒ１の動作に伴って可変抵抗として働く。
なお、後述するように、ダイオードスイッチＤｓｒは、ダイオードスイッチＤｓ（Ｄｓ１、Ｄｓ２、Ｄｓ３、…）と同様に動作する。制御ダイオードＤｒ１も電気的な抵抗値が変化する素子の一例である。
【００４３】
なお、発光サイリスタ列の発光サイリスタＬ１、Ｌ２、Ｌ３、…、転送サイリスタ列の転送サイリスタＴ１、Ｔ２、Ｔ３、…、許可ダイオード列の許可ダイオードＤｅ１、Ｄｅ２、Ｄｅ３、…、ダイオードスイッチ列のダイオードスイッチＤｓ１、Ｄｓ２、Ｄｓ３、…は、図５中において、左側から番号順に配列されている。さらに、結合ダイオードＤｘ１、Ｄｘ２、Ｄｘ３、…、接続抵抗Ｒｅ１、Ｒｅ２、Ｒｅ３、…、電源線抵抗Ｒｇｘ１、Ｒｇｘ２、Ｒｇｘ３、…、電源線抵抗Ｒｇｚ１、Ｒｇｚ２、Ｒｇｚ３、…も、同様に、図中左側から番号順に配列されている。
そして、発光サイリスタ列、転送サイリスタ列、許可ダイオード列、ダイオードスイッチ列は、図５中上から、転送サイリスタ列、許可ダイオード列、ダイオードスイッチ列、発光サイリスタ列の順に並べられている。
【００４４】
では次に、発光チップＣ１（Ｃ）における各素子の電気的な接続について説明する。
転送サイリスタＴのアノード端子、発光サイリスタＬのアノード端子は、発光チップＣ１（Ｃ）の基板８０に接続されている（アノードコモン）。
そして、これらのアノード端子は、基板８０裏面に設けられた裏面電極８５（後述の図６参照）を介して電源ライン２００ａ（図４参照）に接続されている。この電源ライン２００ａに、基準電位Ｖｓｕｂが供給される。
【００４５】
転送サイリスタＴの配列に沿って、奇数番号（奇数番目）の転送サイリスタＴ１、Ｔ３、…のカソード端子は、第１転送信号線７２に接続されている。そして、第１転送信号線７２は、電流制限抵抗Ｒ１を介して、第１転送信号φ１が入力される端子であるφ１端子に接続されている。このφ１端子には、第１転送信号ライン２０１（図４参照）が接続され、第１転送信号φ１が送信される。
【００４６】
一方、転送サイリスタＴの配列に沿って、偶数番号（偶数番目）の転送サイリスタＴ２、Ｔ４、…のカソード端子は、第２転送信号線７３に接続されている。そして、第２転送信号線７３は、電流制限抵抗Ｒ２を介して第２転送信号φ２が入力される端子であるφ２端子に接続されている。このφ２端子には、第２転送信号ライン２０２（図４参照）が接続され、第２転送信号φ２が送信される。
【００４７】
許可ダイオードＤｅの配列に沿って、奇数番号（奇数番目）の許可ダイオードＤｅ１、Ｄｅ３、…のカソード端子は、第１許可信号線７６−１に接続されている。第１許可信号線７６−１は、φＥ端子に接続されている。このφＥ端子には、許可信号ライン２０３（図４参照）が接続され、第１許可信号φＥ１が送信される。
【００４８】
一方、許可ダイオードＤｅの配列に沿って、偶数番号（偶数番目）の許可ダイオードＤｅ２、Ｄｅ４、…のカソード端子は、第２許可信号線７６−２に接続されている。第２許可信号線７６−２は、ダイオードスイッチＤｓｒを構成する抵抗Ｒｒ１を介して、Ｖｓｕｂ端子に接続されている。Ｖｓｕｂ端子には、電源ライン２００ａが接続され、基準電位Ｖｓｕｂが供給される。
また、第２許可信号線７６−２は、電源線抵抗Ｒｇｙ１を介して、電源線７１に接続されている。電源線７１はＶｇａ端子に接続されている。Ｖｇａ端子には、電源ライン２００ｂが接続され、電源電位Ｖｇａが供給される。
そして、第２許可信号線７６−２には、第１許可信号φＥ１から、許可信号設定部１７０により設定された第２許可信号φＥ２が送信される。
【００４９】
書込ダイオードＤｗのカソード端子は、書込信号線７４に接続されている。そして、書込信号線７４は、φＷ端子に接続されている。このφＷ端子には、発光チップＣ１の場合には書込信号ライン２０５−１（図４参照）が接続され、書込信号φＷ１が送信される。他の発光チップＣ２〜Ｃ２０の場合には、それぞれ書込信号φＷ２〜φＷ２０が送信される。
【００５０】
発光サイリスタＬの配列に沿って、奇数番号（奇数番目）の発光サイリスタＬ１、Ｌ３、…のカソード端子は、第１点灯信号線７５−１に接続されている。第１点灯信号線７５−１は、電流制限抵抗Ｒｉ１を介して、Ｖｉ端子に接続されている。このＶｉ端子には、電源ライン２０４（図４参照）が接続され、点灯電位Ｖｉが供給されるＶｉ端子に接続されている。なお、第１点灯信号線７５−１には、後述する点灯信号設定部１６０により、第１点灯信号φＩ１が設定される。第１点灯信号φＩ１は、奇数番号の発光サイリスタＬ１、Ｌ３、…に点灯のための電流を送信する。
発光サイリスタＬの配列に沿って、偶数番号（偶数番目）の発光サイリスタＬ２、Ｌ４、…のカソード端子は、第２点灯信号線７５−２に接続されている。第２点灯信号線７５−２は、電流制限抵抗Ｒｉ２を介して、点灯電位Ｖｉが供給されるＶｉ端子に接続されている。なお、第１点灯信号線７５−１には、後述する点灯信号設定部１６０により、第２点灯信号φＩ２が設定される。第２点灯信号φＩ２は、偶数番号の発光サイリスタＬ２、Ｌ４、…に点灯のための電流を送信する。
【００５１】
転送サイリスタＴのゲート端子Ｇｔ１、Ｇｔ２、Ｇｔ３、…は、同じ番号の許可ダイオードＤｅ１、Ｄｅ２、Ｄｅ３、…のアノード端子Ｄａ１、Ｄａ２、Ｄａ３、…に、それぞれ接続抵抗Ｒｅ１、Ｒｅ２、Ｒｅ３、…を介して、１対１で接続されている。
許可ダイオードＤｅ１、Ｄｅ２、Ｄｅ３、…のアノード端子Ｄａ１、Ｄａ２、Ｄａ３、…は、同じ番号の書込ダイオードＤｗ１、Ｄｗ２、Ｄｗ３、…のアノード端子に１対１で接続されている。よって、許可ダイオードＤｅ１、Ｄｅ２、Ｄｅ３、…のアノード端子と書込ダイオードＤｗ１、Ｄｗ２、Ｄｗ３、…のアノード端子とを、ともにアノード端子Ｄａ１、Ｄａ２、Ｄａ３、…と表記する。
【００５２】
書込ダイオードＤｗ１、Ｄｗ２、Ｄｗ３、…のアノード端子Ｄａ１、Ｄａ２、Ｄａ３、…は、同じ番号の発光サイリスタＬ１、Ｌ２、Ｌ３、…のゲート端子Ｇｌ１、Ｇｌ２、Ｇｌ３、…に、それぞれ書込抵抗Ｒｗ１、Ｒｗ２、Ｒｗ３、…を介して、１対１で接続されている。
【００５３】
ここでも、ゲート端子Ｇｔ１、Ｇｔ２、Ｇｔ３、…、ゲート端子Ｇｌ１、Ｇｌ２、Ｇｌ３、…、アノード端子Ｄａ１、Ｄａ２、Ｄａ３、…をそれぞれ区別しないときは、ゲート端子Ｇｔ、ゲート端子Ｇｌ、アノード端子Ｄａと表記する。
【００５４】
転送サイリスタＴ１、Ｔ２、Ｔ３、…のそれぞれのゲート端子Ｇｔ１、Ｇｔ２、Ｇｔ３、…を番号順に２個ずつペアとしたゲート端子Ｇｔ間に、結合ダイオードＤｘ１、Ｄｘ２、Ｄｘ３、…がそれぞれ接続されている。すなわち、結合ダイオードＤｘ１、Ｄｘ２、Ｄｘ３、…はそれぞれがゲート端子Ｇｔ１、Ｇｔ２、Ｇｔ３、…で順に挟まれるように直列接続されている。そして、結合ダイオードＤｘ１の向きは、ゲート端子Ｇｔ１からゲート端子Ｇｔ２に向かって電流が流れる方向に接続されている。他の結合ダイオードＤｘ２、Ｄｘ３、Ｄｘ４、…についても同様である。
【００５５】
転送サイリスタＴのゲート端子Ｇｔは、転送サイリスタＴのそれぞれに対応して設けられた電源線抵抗Ｒｇｘを介して、電源電位Ｖｇａが供給される電源線７１に接続されている。
発光サイリスタＬのゲート端子Ｇｌも、発光サイリスタＬのそれぞれに対応して設けられた電源線抵抗Ｒｇｚを介して、電源電位Ｖｇａが供給される電源線７１に接続されている。
【００５６】
そして、転送サイリスタ列の一端側の転送サイリスタＴ１のゲート端子Ｇｔ１は、スタートダイオードＤｘ０のカソード端子に接続されている。一方、スタートダイオードＤｘ０のアノード端子は、第２転送信号線７３に接続されている。
【００５７】
制御ダイオードＤｉ１は、そのカソード端子が第１点灯信号線７５−１に接続され、そのアノード端子が電流制限抵抗Ｒｉ３を介して、第１転送信号φ１が送信されるφ１端子に接続されている。制御ダイオードＤｉ２は、そのカソード端子が第２点灯信号線７５−２に接続され、そのアノード端子が電流制限抵抗Ｒｉ４を介して、第２転送信号φ２が送信されるφ２端子に接続されている。
【００５８】
さらに、制御ダイオードＤｒ１は、カソード端子が抵抗Ｒｒ２を介して第１許可信号φＥ１が送信されるφＥに接続され、アノード端子が基準電位Ｖｓｕｂが供給されるＶｓｕｂ端子に接続されている。
【００５９】
図５のダイオードスイッチＤｓ１には、ダイオードスイッチＤｓの動作を説明するために、３端子素子であるダイオードスイッチＤｓの端子をＯ、Ｐ、Ｑで表している。Ｏ端子は、書込抵抗Ｒｗの一方の端子であるとともに、書込ダイオードＤｗのアノード端子であって、許可ダイオードＤｅのアノード端子Ｄａに接続されている。Ｐ端子は、書込ダイオードＤｗのカソード端子であって、書込信号線７４を介して、φＷ端子に接続されている。Ｑ端子は、書込抵抗Ｒｗの他方の端子であって、発光サイリスタＬのゲート端子Ｇｌおよび電源線抵抗Ｒｇｚ１を介して電源線７１に接続されている。
同様に、図５の許可信号設定部１７０のダイオードスイッチＤｓｒの端子をＯ´、Ｐ´、Ｑ´で示している。Ｏ´端子は、抵抗Ｒｒ１の一方の端子であるとともに、制御ダイオードＤｒ１のアノード端子であって、Ｖｓｕｂ端子に接続されている。Ｐ´端子は、制御ダイオードＤｒ１のカソード端子であって、抵抗Ｒｒ２を介して、φＥ端子に接続されている。Ｑ´端子は、抵抗Ｒｒ１の他方の端子であって、第２許可信号線７６−２に接続されるとともに、電源線抵抗Ｒｇｙ１を介して電源線７１に接続されている。
Ｏ、Ｐ、Ｑの各端子とＯ´、Ｐ´、Ｑ´の各端子とは対応関係にある。
【００６０】
図６は、第１の実施の形態における発光チップＣの平面レイアウト図および断面図である。図６（ａ）は、発光チップＣの平面レイアウト図であって、発光サイリスタＬ１〜Ｌ４、許可ダイオードＤｅ１〜Ｄｅ４、ダイオードスイッチＤｓ１〜Ｄｓ４、転送サイリスタＴ１〜Ｔ４を中心とした部分、点灯信号設定部１６０、および許可信号設定部１７０を示している。図６（ｂ）は、図６（ａ）に示したＶＩＢ−ＶＩＢ線での断面図である。よって、図６（ｂ）の断面図には、図中下より発光サイリスタＬ１、ダイオードスイッチＤｓ１（書込抵抗Ｒｗ１および書込ダイオードＤｗ１）、許可ダイオードＤｅ１、接続抵抗Ｒｅ１、転送サイリスタＴ１、結合ダイオードＤｘ１の断面が示されている。なお、図６（ａ）および（ｂ）の図中には、主要な素子や端子を名前により表示している。
なお、図６（ａ）では、各素子間を接続する配線を、実線で示している。また、図６（ｂ）では、各素子間を覆う保護層および保護層に設けられた開口を介して各素子間を接続する配線の記載を省略している。
【００６１】
発光チップＣは、図６（ｂ）に示すように、例えばＧａＡｓやＧａＡｌＡｓなどの化合物半導体において、ｐ型の基板８０上に、ｐ型の第１半導体層８１、ｎ型の第２半導体層８２、ｐ型の第３半導体層８３およびｎ型の第４半導体層８４が順に積層されたのち、ｐ型の第１半導体層８１、ｎ型の第２半導体層８２、ｐ型の第３半導体層８３、ｎ型の第４半導体層８４を連続して除去することで相互に分離された複数の島（アイランド）（第１アイランド３０１〜第１７アイランド３１７および符号を付さないアイランド）を備えている。
【００６２】
図６（ａ）に示すように、第１アイランド３０１には発光サイリスタＬ１が、第２アイランド３０２にはダイオードスイッチＤｓ１が、第３アイランド３０３には許可ダイオードＤｅ１および接続抵抗Ｒｅ１が設けられている。第４アイランド３０４には電源線抵抗Ｒｇｘ１、Ｒｇｚ１が設けられている。第５アイランド３０５には転送サイリスタＴ１および結合ダイオードＤｘ１が設けられている。
第６アイランド３０６にはスタートダイオードＤｘ０、第７アイランド３０７には電流制限抵抗Ｒ１、第８アイランド３０８には電流制限抵抗Ｒ２が設けられている。
そして、第９アイランド３０９には電流制限抵抗Ｒｉ１、第１０アイランド３１０には電流制限抵抗Ｒｉ２、第１１アイランド３１１には制御ダイオードＤｉ１、第１２アイランド３１２には制御ダイオードＤｉ２、第１３アイランド３１３には電流制限抵抗Ｒｉ３、第１４アイランド３１４には電流制限抵抗Ｒｉ４が設けられている。
さらに、第１５アイランド３１５にはダイオードスイッチＤｓｒ（制御ダイオードＤｒ１および抵抗Ｒｒ１）が、第１６アイランド３１６には抵抗Ｒｒ２が、第１７アイランド３１７には電源線抵抗Ｒｇｙ１が設けられている。
【００６３】
そして、発光チップＣには、第１アイランド３０１、第２アイランド３０２、第３アイランド３０３、第４アイランド３０４、第５アイランド３０５と同様なアイランドが、並列して形成されている。これらのアイランドには、発光サイリスタＬ２、Ｌ３、Ｌ４、…、ダイオードスイッチＤｓ２、Ｄｓ３、Ｄｓ４、…、転送サイリスタＴ２、Ｔ３、Ｔ４、…等が、第１アイランド３０１、第２アイランド３０２、第３アイランド３０３、第４アイランド３０４、第５アイランド３０５と同様に設けられている。これらについては、説明を省略する。
そしてまた、図６（ｂ）に示すように、基板８０の裏面には裏面電極８５が設けられている。なお、裏面電極８５は引き出して示している。
【００６４】
さらに、図６（ａ）および（ｂ）により、第１アイランド３０１〜第１７アイランド３１７について詳細に説明する。
第１アイランド３０１に設けられた発光サイリスタＬ１は、ｐ型の基板８０上のｐ型の第１半導体層８１をアノード端子、ｎ型の第４半導体層８４の領域１１１上に形成されたｎ型オーミック電極１２１をカソード端子、ｎ型の第４半導体層８４を除去して露出させたｐ型の第３半導体層８３上に形成されたｐ型オーミック電極１３１をゲート端子Ｇｌ１としている。そして、ｎ型の第４半導体層８４の領域１１１のｎ型オーミック電極１２１の部分以外の表面から光を放出する。
【００６５】
第２アイランド３０２に設けられたダイオードスイッチＤｓ１を構成する書込抵抗Ｒｗ１は、第１の導電型の一例としてのｐ型の、第１の半導体層の一例としての第３半導体層８３を抵抗として用い、ｎ型の第４半導体層８４を除去して露出させたｐ型の第３半導体層８３上に形成されたｐ型オーミック電極１３２を一方の端子（図５に示すＱ端子）と、同様に形成されたｐ型オーミック電極１３３を他方の端子（図５に示すＯ端子）としている。
書込ダイオードＤｗ１は、ｐ型の第３半導体層８３と、第３半導体層８３上に接して設けられた第２の導電型の一例としてのｎ型の、第２の半導体層の一例としての第４半導体層８４とが形成するｐｎ接合をダイオードとして構成されている。そして、ｎ型の第４半導体層８４の領域１１２上に形成されたｎ型オーミック電極１２２をカソード端子（図５に示すＰ端子）とし、ｎ型の第４半導体層８４を除去して露出させたｐ型の第３半導体層８３上に形成されたｐ型オーミック電極１３３をアノード端子（図５に示すＯ端子であって、書込抵抗Ｒｗ１の他方の端子）としている。
なお、図６（ｂ）に示すように、ｎ型オーミック電極１２２が形成された領域１１２を挟んで、ｐ型オーミック電極１３２および１３３が設けられている。
図５においては、書込ダイオードＤｗのアノード端子は、書込抵抗Ｒｗの他方の端子（Ｏ端子）に接続されているとしたが、上述したように、書込ダイオードＤｗと書込抵抗Ｒｗとは一体として構成されていて、書込抵抗Ｒｗの中央に書込ダイオードＤｗが設けられた構成となっている。
【００６６】
第３アイランド３０３はｎ型の第４半導体層８４が除去されている。第３アイランド３０３に設けられた許可ダイオードＤｅ１は、ｐ型の第３半導体層８３上に形成されたｐ型オーミック電極１３４をアノード端子とし、同じくｐ型の第３半導体層８３上に形成され、ｐ型の第３半導体層８３とショットキー接合するショットキー電極１５１をカソード端子としている。そして、接続抵抗Ｒｅ１は、ｐ型オーミック電極１３４と、ｐ型の第３半導体層８３上に形成されたｐ型オーミック電極１３５との間のｐ型の第３半導体層８３を抵抗としている。
【００６７】
第４アイランド３０４もｎ型の第４半導体層８４が除去されている。第４アイランド３０４に設けられた電源線抵抗Ｒｇｘ１およびＲｇｚ１は、ｐ型の第３半導体層８３上に形成された３個のｐ型オーミック電極１３６、１３７、１３８の間のｐ型の第３半導体層８３を抵抗としている。すなわち、電源線抵抗Ｒｇｚ１はｐ型オーミック電極１３６、１３７の間に設けられ、電源線抵抗Ｒｇｘ１はｐ型オーミック電極１３７、１３８の間に設けられている。
【００６８】
第５アイランド３０５に設けられた転送サイリスタＴ１は、ｐ型の基板８０上のｐ型の第１半導体層８１をアノード端子、ｎ型の第４半導体層８４の領域１１３上に形成されたｎ型オーミック電極１２３をカソード端子、ｎ型の第４半導体層８４を除去して露出させたｐ型の第３半導体層８３上に形成されたｐ型オーミック電極１３９をゲート端子Ｇｔ１とする。
同じく第５アイランド３０５に設けられた結合ダイオードＤｘ１は、ｎ型の第４半導体層８４の領域１１４上に設けられたｎ型オーミック電極１２４をカソード端子、ｐ型の第３半導体層８３上に形成されたｐ型オーミック電極１３９（ゲート端子Ｇｔ１と同じ）をアノード端子として形成されている。
【００６９】
第６アイランド３０６に設けられたスタートダイオードＤｘ０は、ｎ型の第４半導体層８４上に設けられたｎ型オーミック電極（符号なし）をカソード端子、ｎ型の第４半導体層８４を除去して露出させたｐ型の第３半導体層８３上に形成されたｐ型オーミック電極（符号なし）をアノード端子として形成されている。
第７アイランド３０７、第８アイランド３０８、第９アイランド３０９、第１０アイランド３１０、第１３アイランド３１３、第１４アイランド３１４、第１６アイランド３１６、第１７アイランド３１７はｎ型の第４半導体層８４が除去されている。そして、第７アイランド３０７に設けられた電流制限抵抗Ｒ１、第８アイランド３０８に設けられた電流制限抵抗Ｒ２、第９アイランド３０９に設けられた電流制限抵抗Ｒｉ１、第１０アイランド３１０に設けられた電流制限抵抗Ｒｉ２、第１３アイランド３１３に設けられた電流制限抵抗Ｒｉ３、第１４アイランド３１４に設けられた電流制限抵抗Ｒｉ４、第１６アイランド３１６に設けられた抵抗Ｒｒ２、第１７アイランド３１７に設けられた電源線抵抗Ｒｇｙ１は、第４アイランド３０４に設けられた電源線抵抗Ｒｇｘ１、Ｒｇｚ１と同様に、ｐ型の第３半導体層８３上に形成された一組のｐ型オーミック電極（符号なし）間のｐ型の第３半導体層８３を抵抗としている。
【００７０】
第１１アイランド３１１および第１２アイランド３１２もｎ型の第４半導体層８４が除去されている。そして、第１１アイランド３１１に設けられた制御ダイオードＤｉ１、第１２アイランド３１２に設けられた制御ダイオードＤｉ２は、第３アイランド３０３に設けられた許可ダイオードＤｅ１と同様に、それぞれがｐ型の第３半導体層８３上に形成されたｐ型オーミック電極（符号なし）をアノード端子とし、同じくｐ型の第３半導体層８３上に形成され、ｐ型の第３半導体層８３とショットキー接合するショットキー電極（符号なし）をカソード端子とする。
そして、第１５アイランド３１５に設けられたダイオードスイッチＤｓｒは、第２アイランド３０２に設けられたダイオードスイッチＤｓ１と同様に設けられている。すなわち、ダイオードスイッチＤｓｒを構成する制御ダイオードＤｒ１は、ｐ型の第３半導体層８３と、第３半導体層８３上に接して設けられたｎ型の第４半導体層８４とが形成するｐｎ接合をダイオードとして用い、ｎ型の第４半導体層８４上に形成されたｎ型オーミック電極（符号なし）をカソード端子としている。抵抗Ｒｒ１は、制御ダイオードＤｒ１を挟んで設けられた、ｐ型の第３半導体層８３上の一組のｐ型オーミック電極（符号なし）の間のｐ型の第３半導体層８３を抵抗として設けられている。この一組のｐ型オーミック電極（符号なし）の一方が、上記した制御ダイオードＤｒ１のアノード端子となっている。
【００７１】
図６（ａ）において、各素子間の接続関係を説明する。
第１アイランド３０１の発光サイリスタＬ１のゲート端子Ｇｌ１であるｐ型オーミック電極１３１は、第２アイランド３０２の書込抵抗Ｒｗ１の一方の端子であるｐ型オーミック電極１３２に接続されている。
発光サイリスタＬ１のカソード端子であるｎ型オーミック電極１２１は第１点灯信号線７５−１に接続されている。第１点灯信号線７５−１は、第９アイランド３０９に設けられた電流制限抵抗Ｒｉ１を介してφＩ端子に接続されている。他の奇数番号の発光サイリスタＬ３、…のカソード端子も第１点灯信号線７５−１に接続されている。
なお、偶数番号の発光サイリスタＬ２、Ｌ４、…のカソード端子であるｎ型オーミック電極（符号なし）は第２点灯信号線７５−２に接続されている。第２点灯信号線７５−２は、第１０アイランド３１０に設けられた電流制限抵抗Ｒｉ２を介してφＩ端子に接続されている。
【００７２】
第２アイランド３０２の書込ダイオードＤｗ１のカソード端子であるｎ型オーミック電極１２２は、書込信号線７４に接続されている。そして、書込信号線７４はφＷ端子に接続されている。
第２アイランド３０２の書込ダイオードＤｗ１のアノード端子であるｐ型オーミック電極１３３は、第３アイランド３０３の接続抵抗Ｒｅ１の一方の端子（許可ダイオードＤｅ１のアノード端子を兼ねる）であるｐ型オーミック電極１３４に接続されている。
【００７３】
第３アイランド３０３の接続抵抗Ｒｅ１の他方の端子であるｐ型オーミック電極１３５は、第５アイランド３０５の転送サイリスタＴ１のゲート端子Ｇｔ１であるｐ型オーミック電極１３９に接続されている。
第３アイランド３０３の許可ダイオードＤｅ１のカソード端子であるショットキー電極１５１は、第１許可信号線７６−１に接続されている。そして、第１許可信号線７６−１はφＥ端子に接続されている。他の奇数番号の許可ダイオードＤｅ３、…のカソード端子も第１許可信号線７６−１に接続されている。
なお、偶数番号の許可ダイオードＤｅ２、Ｄｅ４、…のカソード端子は、第２許可信号線７６−２に接続されている。
【００７４】
第４アイランド３０４の電源線抵抗Ｒｇｚ１の一方の端子であるｐ型オーミック電極１３６は、第２アイランド３０２の書込抵抗Ｒｗ１の一方の端子であるｐ型オーミック電極１３２に接続されている。
電源線抵抗Ｒｇｚ１の他方の端子と電源線抵抗Ｒｇｘ１の一方の端子とを兼ねるｐ型オーミック電極１３７は電源線７１に接続されている。そして、電源線７１はＶｇａ端子に接続されている。
電源線抵抗Ｒｇｘ１の他方の端子であるｐ型オーミック電極１３８は、第３アイランド３０３の接続抵抗Ｒｅ１の他方の端子であるｐ型オーミック電極１３５に接続されている。
【００７５】
第５アイランド３０５に設けられた転送サイリスタＴ１のカソード端子であるｎ型オーミック電極１２３は、第１転送信号線７２に接続されている。第１転送信号線７２は、第７アイランド３０７に設けられた電流制限抵抗Ｒ１を介してφ１端子に接続されている。
そして、第５アイランド３０５に設けられた結合ダイオードＤｘ１のカソード端子であるｎ型オーミック電極１２４は、隣接して設けられた転送サイリスタＴ２のゲート端子Ｇｔ２であるｐ型オーミック電極（符号なし）に接続されている。
一方、第５アイランド３０５に設けられた転送サイリスタＴ１のゲート端子Ｇｔ１であるｐ型オーミック電極１３９は、第６アイランド３０６に設けられたスタートダイオードＤｘ０のカソード端子であるｎ型の第４半導体層８４上に形成されたｎ型オーミック電極（符号なし）に接続されている。
【００７６】
第６アイランド３０６に設けられたスタートダイオードＤｘ０のアノード端子であるｐ型の第３半導体層８３上に形成されたｐ型オーミック電極（符号なし）は、偶数番号の転送サイリスタＴのカソード端子であるｎ型の第４半導体層８４上に形成されたｎ型オーミック電極（符号なし）と接続されるとともに、第８アイランド３０８に設けられた電流制限抵抗Ｒ２を介してφ２端子に接続されている。
【００７７】
第１点灯信号線７５−１は、第９アイランド３０９に設けられた電流制限抵抗Ｒｉ１と発光サイリスタＬ１のカソード端子であるｎ型オーミック電極１２１との間において分岐し、第１１アイランド３１１に設けられた制御ダイオードＤｉ１のカソード端子であるショットキー電極（符号なし）に接続されている。そして、制御ダイオードＤｉ１のアノード端子であるｐ型オーミック電極（符号なし）は、第１３アイランド３１３に設けられた電流制限抵抗Ｒｉ３の一方の端子であるｐ型オーミック電極（符号なし）に接続されている。電流制限抵抗Ｒｉ３の他方の端子であるｐ型オーミック電極（符号なし）は、電流制限抵抗Ｒ１を介さないでφ１端子に接続されている。
【００７８】
同様に、第２点灯信号線７５−２は、第１０アイランド３１０に設けられた電流制限抵抗Ｒｉ２と発光サイリスタＬ２のカソード端子であるｎ型オーミック電極（符号なし）との間において分岐し、第１２アイランド３１２に設けられた制御ダイオードＤｉ２のカソード端子であるショットキー電極（符号なし）に接続されている。そして、制御ダイオードＤｉ２のアノード端子であるｐ型オーミック電極（符号なし）は、第１４アイランド３１４に設けられた電流制限抵抗Ｒｉ４の一方の端子であるｐ型オーミック電極（符号なし）に接続されている。電流制限抵抗Ｒｉ４の他方の端子であるｐ型オーミック電極（符号なし）は、電流制限抵抗Ｒ２を介さないでφ２端子に接続されている。
【００７９】
第２許可信号線７６−２は、第１７アイランド３１７に設けられた電源線抵抗Ｒｇｙ１の一方の端子（符号なし）に接続されている。電源線抵抗Ｒｇｙ１の他方の端子（符号なし）は、電源線７１に接続されている。
また、第２許可信号線７６−２は、第１５アイランド３１５に設けられたダイオードスイッチＤｓｒを構成する抵抗Ｒｒ１の一方の端子であるｐ型オーミック電極（符号なし）に接続されている。抵抗Ｒｒ１の他方の端子であるｐ型オーミック電極（符号なし）は第１６アイランド３１６に設けられた抵抗Ｒｒ２の一方の端子であるｐ型オーミック電極（符号なし）に接続されている。抵抗Ｒｒ２の他方の端子であるｐ型オーミック電極（符号なし）は第１許可信号線７６−１に接続されている。
そして、第１５アイランド３１５に設けられたダイオードスイッチＤｓｒを構成する制御ダイオードＤｒ１のｎ型オーミック電極（符号なし）は、Ｖｓｕｂ端子に接続されている。
【００８０】
他の発光サイリスタＬ、転送サイリスタＴ、ダイオードスイッチＤｓ、結合ダイオードＤｘ、電源線抵抗Ｒｇｘ、Ｒｇｚについても同様であるので、説明を省略する。
このようにして、図５に示した発光チップＣ１（Ｃ）が構成される。
また、図６（ａ）および（ｂ）に示した発光チップＣの平面レイアウトおよび断面構造は一例であって、他の平面レイアウトおよび断面構造を用いてもよい。図６（ａ）では、実線で示す各素子間を接続する配線が互いに交差しないように各素子をレイアウトしたが、多層配線を用いて、各素子間を接続する配線が互いに交差するように各素子をレイアウトしてもよい。
【００８１】
（発光装置６５の動作）
次に、発光装置６５の動作について説明する。
発光装置６５は発光チップＣ１〜Ｃ２０を備えている（図３、４参照）。
図４に示したように、回路基板６２上のすべての発光チップＣ１〜Ｃ２０に、基準電位Ｖｓｕｂ、電源電位Ｖｇａ、点灯電位Ｖｉが共通に供給される。そして、第１転送信号φ１、第２転送信号φ２、第１許可信号φＥ１も、発光チップＣ１〜Ｃ２０に共通（並列）に送信される。よって、発光チップＣ１〜Ｃ２０は並列に駆動される。
【００８２】
一方、書込信号φＷ１〜φＷ２０は、発光チップＣ１〜Ｃ２０のそれぞれに個別に送信される。しかし、２０個の書込信号φＷ１〜φＷ２０は、同じタイミングで並列に送信される。よって、発光チップＣ１〜Ｃ２０は並列に駆動される。
すなわち、発光チップＣ１〜Ｃ２０は並列に駆動され、同様に動作するので、発光チップＣ１の動作を説明すれば足りる。
なお、後述するように書込信号φＷ１〜φＷ２０を送信するタイミングを、各発光チップＣで互いにずらすようにしてもよい。
【００８３】
＜サイリスタ＞
発光チップＣ１の動作を説明する前に、サイリスタ（転送サイリスタＴ、発光サイリスタＬ）の基本的な動作を説明する。サイリスタは、前述したように、アノード端子、カソード端子、ゲート端子の３端子を有する半導体素子である。
以下では、例として、サイリスタのアノード端子である裏面電極８５（図５、図６参照）およびＶｓｕｂ端子に供給される基準電位Ｖｓｕｂをハイレベルの電位（以下では「Ｈ」と表記する。）として０Ｖ、Ｖｇａ端子に供給される電源電位Ｖｇａをローレベルの電位（以下では「Ｌ」と表記する。）として−３．３Ｖとする。さらに、Ｖｉ端子に供給される点灯電位Ｖｉを「Ｌｅ」（−３Ｖ＜「Ｌｅ」≦−１．５Ｖ）とする。点灯電位Ｖｉについては、後述する。
そして、サイリスタは、図６に示したように、ＧａＡｓ、ＧａＡｌＡｓ等によるｐ型半導体層、ｎ型半導体層を積層して構成されているとし、ｐｎ接合の順方向電位（拡散電位）Ｖｄを１．５Ｖとする。なお、ＧａＡｓ、ＧａＡｌＡｓ等によるｐ型半導体層、ｎ型半導体層に対するショットキー接合の順方向電位Ｖｓを０．５Ｖとする。
【００８４】
アノード端子とカソード端子との間に電流が流れていないオフ状態のサイリスタは、しきい電圧より低い電位（絶対値が大きい負の値）がカソード端子に印加されるとオン状態に移行（ターンオン）する。サイリスタは、ターンオンすると、アノード端子とカソード端子との間に電流が流れた状態（オン状態）になる。ここで、サイリスタのしきい電圧は、ゲート端子の電位からｐｎ接合の順方向電位Ｖｄを引いた値である。よって、サイリスタは、ゲート端子の電位が０Ｖであると、しきい電圧が−１．５Ｖとなる。すなわち、−１．５Ｖより低い電位がカソード端子に印加されると、サイリスタがターンオンする。
オン状態のサイリスタのゲート端子の電位は、アノード端子の電位に近い電位になる。ここでは、アノード端子を基準電位Ｖｓｕｂ（０Ｖ（「Ｈ」））に設定しているので、ゲート端子の電位は０Ｖ（「Ｈ」）となるとして説明する。また、オン状態のサイリスタのカソード端子は、アノード端子の電位からｐｎ接合の順方向電位Ｖｄを引いた電位に近い電位となる。ここでは、アノード端子を基準電位Ｖｓｕｂ（０Ｖ（「Ｈ」））に設定しているので、オン状態のサイリスタのカソード端子の電位は−１．５Ｖとなるとして説明する。
【００８５】
サイリスタは、一度ターンオンすると、カソード端子の電位が、オン状態を維持するために必要な電位より高い電位（絶対値が小さい負の値、０Ｖまたは正の値）になるまで、オン状態を維持する。オン状態のサイリスタのカソード端子の電位は−１．５Ｖであるので、カソード端子に−１．５Ｖより高い電位が印加されると、オン状態のサイリスタはオフ状態に移行（ターンオフ）する。例えば、カソード端子が「Ｈ」（０Ｖ）になると、−１．５Ｖより高い電位であるとともに、カソード端子の電位とアノード端子の電位とが同じになるので、サイリスタはターンオフする。
一方、サイリスタは、カソード端子に−１．５Ｖより低い電位（絶対値が大きい負の値）が継続的に印加され、サイリスタのオン状態を維持しうる電流が供給されると、オン状態が維持する。
以上のことから、サイリスタは、オン状態になると電流が流れた状態を維持し、ゲート端子の電位によってオフ状態に移行させることはできない。すなわち、サイリスタはオン状態を維持（記憶、保持）する機能を有している。
なお、本実施の形態では、発光サイリスタＬは、ターンオンすると点灯（発光）し、ターンオフすると消灯（非点灯）する。オン状態の発光サイリスタＬの発光量は、カソード端子とアノード端子間に流す電流によって決められる。
【００８６】
＜ダイオードスイッチＤｓの動作＞
ダイオードスイッチＤｓの動作について説明する。ダイオードスイッチＤｓ１、Ｄｓ２、Ｄｓ３、…は同様な構成を有し、同様に動作する。よって、ダイオードスイッチＤｓ１を例として、ダイオードスイッチＤｓの動作を説明する。以下では、ダイオードスイッチＤｓ１をダイオードスイッチＤｓと表記する。他の符号についても同様とする。
図７は、第１の実施の形態における発光チップＣのダイオードスイッチＤｓの構成および特性を示す図である。図７（ａ）は図６（ａ）に示した発光チップＣの平面レイアウト図から取り出したダイオードスイッチＤｓの平面レイアウト図、図７（ｂ）は図６（ｂ）に示した発光チップＣの断面図から取り出したダイオードスイッチＤｓの断面図、図７（ｃ）はダイオードスイッチＤｓの特性を示している。
【００８７】
図７（ａ）、（ｂ）に付した符号は、図６（ａ）、（ｂ）に示したダイオードスイッチＤｓ１に付した符号と同じである。なお、ｐ型オーミック電極１３３をＯ端子、ｎ型オーミック電極１２２をＰ端子、ｐ型オーミック電極１３２がＱ端子である。ダイオードスイッチＤｓは、Ｏ端子、Ｐ端子、Ｑ端子を備える３端子素子である。そして、書込抵抗Ｒｗは、Ｏ端子とＱ端子との間のｐ型の第３半導体層８３を抵抗としている。書込ダイオードＤｗは、Ｐ端子とＯ端子との間のｐ型の第３半導体層８３とｎ型の第４半導体層８４とで構成されるｐｎ接合で構成されている。
【００８８】
次に、ダイオードスイッチＤｓの動作を説明する。
例えばＯ端子を０Ｖに、Ｑ端子を−３Ｖにし、Ｐ端子に電位を与えないときは、書込抵抗Ｒｗ（Ｏ端子とＱ端子との間）には、ｐ型の第３半導体層８３の電荷（キャリア）によって決まる電流が流れる。なお、Ｐ端子に電位を与えないときは、図７（ｃ）の“書込ダイオードＤｗに電流を流さない場合”にあたる。そして、書込抵抗Ｒｗ（Ｏ端子とＱ端子との間）に流れる電流Ｉ（Ｒｗ）は、Ｏ端子とＱ端子との間の電位差Ｖ（Ｒｗ）に比例する。
【００８９】
次に、ｐ型の第３半導体層８３とｎ型の第４半導体層８４とで構成されるｐｎ接合が順方向にバイアス（順バイアス）されるように、例えばＰ端子に−３Ｖ（ｐｎ接合の順方向電位Ｖｄと同じか絶対値が大きい負の値）を与えると、Ｏ端子とＰ端子との間のｐ型の第３半導体層８３とｎ型の第４半導体層８４とで構成されるｐｎ接合が順バイアスになり、電荷（キャリア）がｎ型の第４半導体層８４とｐ型の第３半導体層８３との間に注入される。すると、Ｏ端子とＱ端子との間の電荷（キャリア）の量（電流）も増加する。なお、Ｐ端子にｐｎ接合が順バイアスになる電位を与えたときは、図７（ｃ）の“書込ダイオードＤｗに電流を流した場合”にあたる。そして、書込抵抗Ｒｗ（Ｏ端子とＱ端子との間）に流れる電流Ｉ（Ｒｗ）は、Ｏ端子とＱ端子との間の電位差Ｖ（Ｒｗ）に比例する。
そして、“書込ダイオードＤｗに電流を流した場合”の電流Ｉ（Ｒｗ）は、“書込ダイオードＤｗに電流を流さない場合”に比べ、大きい。
【００９０】
すなわち、ダイオードスイッチＤｓでは、“書込ダイオードＤｗに電流を流した場合”と“書込ダイオードＤｗに電流を流さない場合”とで、書込抵抗Ｒｗの電気的な抵抗値が変化し、“書込ダイオードＤｗに電流を流さない場合”は、書込抵抗Ｒｗの抵抗値が大きい場合となり、“書込ダイオードＤｗに電流を流した場合”は、書込抵抗Ｒｗの抵抗値が小さい場合となる。ここでは、書込抵抗Ｒｗの抵抗値が大きい場合の抵抗値を∞と、書込抵抗Ｒｗの抵抗値が小さい場合の抵抗値を０と近似する。
なお、ダイオードスイッチＤｓｒの動作も、ダイオードスイッチＤｓと同様であって、書込ダイオードＤｗを制御ダイオードＤｒ１、書込抵抗Ｒｗを抵抗Ｒｒ１に置き換えたものに当たる。
【００９１】
＜許可ダイオードＤｅおよびダイオードスイッチＤｓの動作＞
許可ダイオードＤｅおよびダイオードスイッチＤｓの動作を、図５、図７を参照して説明する。ここでは、転送サイリスタＴ１と発光サイリスタＬ１との間に設けられた許可ダイオードＤｅ１およびダイオードスイッチＤｓ１に着目して説明する。しかし、番号が異なるものも同様に動作するので、以下では、転送サイリスタＴ、発光サイリスタＬ、許可ダイオードＤｅ、ダイオードスイッチＤｓなどと番号を省略して説明する。
図５に示すように、許可ダイオードＤｅのカソード端子は第１許可信号線７６−１に接続され第１許可信号φＥ１が送信される。また、第２許可信号線７６−２には、許可信号設定部１７０により第２許可信号φＥ２が設定される。許可ダイオードＤｅのカソード端子の電位は第１許可信号φＥ１または第２許可信号φＥ２であるので、許可ダイオードＤｅのカソード端子の電位をφＥｎ（ｎは１または２）と表記する。
【００９２】
図５に示すように、ダイオードスイッチＤｓのＯ端子はアノード端子Ｄａ、Ｑ端子はゲート端子Ｇｌに接続されている。Ｐ端子は、書込信号線７４を介して、発光チップＣ１では書込信号φＷ１が送信されるφＷ端子に接続されている。よって、Ｏ端子の電位をＤａ（Ｏ）、Ｑ端子の電位をＧｌ（Ｑ）、Ｐ端子の電位をφＷ（Ｐ）と表記する。さらに、ゲート端子Ｇｔの電位をＧｔと表記する。
【００９３】
すると、許可ダイオードＤｅは、ゲート端子Ｇｔの電位（Ｇｔ）から許可ダイオードＤｅのカソード端子の電位（φＥｎ）を引いた値が、ショットキー接合の順方向電位Ｖｓ（０．５Ｖ）より大きい場合（０．５≦Ｇｔ−φＥｎ）に順バイアスになる。そして、許可ダイオードＤｅが順バイアスになると、アノード端子Ｄａの電位（Ｄａ（Ｏ））は、許可ダイオードＤｅのカソード端子の電位（φＥｎ）に順方向電位Ｖｓ（０．５Ｖ）を足した値（φＥｎ＋０．５）になる。
一方、許可ダイオードＤｅは、ゲート端子Ｇｔの電位（Ｇｔ）から許可ダイオードＤｅのカソード端子の電位（φＥｎ）を引いた値がショットキー接合の順方向電位Ｖｓ（０．５Ｖ）より小さい場合（Ｇｔ−φＥｎ＜０．５）には順バイアスにならない。そして、許可ダイオードＤｅのカソード端子の電位（φＥｎ）はアノード端子Ｄａの電位（Ｄａ（Ｏ））に影響しない。このため、アノード端子Ｄａの電位（Ｄａ（Ｏ））は、ゲート端子Ｇｔの電位（Ｇｔ）となる。
【００９４】
書込ダイオードＤｗは、アノード端子Ｄａの電位（Ｄａ（Ｏ））からＰ端子の電位（φＷ（Ｐ））を引いた値が、ｐｎ接合の順方向電位Ｖｄ（１．５Ｖ）より大きい場合（１．５≦Ｄａ（Ｏ）−φＷ（Ｐ））に順バイアスになる。これにより、図７（ｃ）に示した“書込ダイオードＤｗに電流を流した場合”になって、書込抵抗Ｒｗの抵抗値が小さい状態（０）になる。すると、ゲート端子Ｇｌの電位（Ｇｌ（Ｑ））は、アノード端子Ｄａの電位（Ｄａ（Ｏ））となる。
一方、書込ダイオードＤｗは、アノード端子Ｄａの電位（Ｄａ（Ｏ））からＰ端子の電位（φＷ（Ｐ））を引いた値が、ｐｎ接合の順方向電位Ｖｄ（１．５Ｖ）より小さい場合（Ｄａ（Ｏ）−φＷ（Ｐ）＜１．５）には順バイアスにならない。これにより、図７（ｃ）に示した“書込ダイオードＤｗに電流を流さない場合”になって、書込抵抗Ｒｗの抵抗値が大きい状態（∞）になり、ゲート端子Ｇｌの電位（Ｇｌ（Ｑ））は、電源線抵抗Ｒｇｚを介して、電源電位Ｖｇａ（「Ｌ」（−３．３Ｖ））になる。
そして、発光サイリスタＬのしきい電圧は、ゲート端子Ｇｌの電位（Ｇｌ（Ｑ））からｐｎ接合の順方向電位Ｖｄ（１．５Ｖ）を引いた値となる。
【００９５】
発光サイリスタＬのカソード端子は第１点灯信号線７５−１または第２点灯信号線７５−２に接続されている。第１点灯信号線７５−１および第２点灯信号線７５−２は、点灯信号設定部１６０により、それぞれ第１点灯信号φＩ１および第２点灯信号φＩ２に設定される。第１点灯信号φＩ１または第２点灯信号φＩ２は、後述するように、点灯電位Ｖｉの「Ｌｅ」（−３Ｖ＜「Ｌｅ」≦−１．５Ｖ）と−０．５Ｖとの２つのレベルを有する信号である。
よって、発光サイリスタＬのしきい電圧が、第１点灯信号φＩ１または第２点灯信号φＩ２の電位（−３Ｖ＜「Ｌｅ」≦−１．５Ｖ）より高い（絶対値が小さい負の値）と、発光サイリスタＬがターンオンして、点灯（発光）する。
以下では、発光サイリスタＬのカソード端子の電位は第１点灯信号φＩ１または第２点灯信号φＩ２であるので、発光サイリスタＬのカソード端子の電位をφＩｎと表記する。
【００９６】
表１は、ゲート端子Ｇｔの電位（Ｇｔ）、許可ダイオードＤｅのカソード端子の電位（φＥｎ）、φＷ端子の電位（φＷ（Ｐ））に対する発光サイリスタＬのゲート端子Ｇｌの電位（Ｇｌ（Ｑ））、発光サイリスタＬのしきい電圧、発光サイリスタＬの点灯または非点灯の状態を示している。なお、発光サイリスタＬの点灯または非点灯は、第１点灯信号φＩ１または第２点灯信号φＩ２の電位が「Ｌｅ」（−３Ｖ＜「Ｌｅ」≦−１．５Ｖ）の場合である。
なお、表１中において、「Ｈ」は０Ｖ、「Ｌ」は−３．３Ｖである。他については、電位を数値で示している。
φＥｎおよびφＷ（Ｐ）は「Ｈ」（０Ｖ）と「Ｌ」（−３．３Ｖ）との２値をとるとする。そして、Ｇｔは、「Ｈ」（０Ｖ）、「Ｌ」（−３．３Ｖ）の他に、−１．５Ｖ、３Ｖをとるとする。Ｇｔが「Ｈ」（０Ｖ）になる場合（１〜４）とは、後述するように、転送サイリスタＴがオン状態にある場合である。Ｇｔが「Ｌ」（−３．３Ｖ）になる場合（５〜８）とは、転送サイリスタＴがオフ状態にあって、且つ電源線抵抗Ｒｇｘを介して、Ｇｔが「Ｌ」（−３．３Ｖ）になっている場合である。Ｇｔが−１．５Ｖになる場合（９〜１２）とは、オン状態の転送サイリスタＴに１個の順バイアスの結合ダイオードＤｘで接続されたオフ状態の転送サイリスタＴの場合である。Ｇｔが−３Ｖになる場合（１３〜１６）とは、オン状態の転送サイリスタＴに２個の直列接続された順バイアスの結合ダイオードＤｘで接続されたオフ状態の転送サイリスタＴの場合である。よって、Ｇｔが「Ｌ」（−３．３Ｖ）になる場合（５〜８）とは、オン状態の転送サイリスタＴに３個以上の順バイアスの結合ダイオードＤｘで接続されたオフ状態の転送サイリスタＴか、オン状態の転送サイリスタＴに逆バイアスの結合ダイオードＤｘを介して接続されたオフ状態の転送サイリスタＴの場合である。
【００９７】
【表１】
2012040728.tif 000003
【００９８】
まず、転送サイリスタＴがオン状態にあって、Ｇｔが「Ｈ」（０Ｖ）になっている場合（１〜４）を説明する。
φＥｎが「Ｈ」（０Ｖ）である場合（１、２）、０．５≦Ｇｔ−φＥｎが満たされないので、許可ダイオードＤｅは順バイアスにならない。よって、Ｄａ（Ｏ）はＧｔの電位（「Ｈ」（０Ｖ）となる。
このとき、φＷ（Ｐ）が「Ｈ」（０Ｖ）である場合（１）、１．５≦Ｄａ（Ｏ）−φＷ（Ｐ）が満たされないので、書込ダイオードＤｗも順バイアスにならず、Ｇｌ（Ｑ）は「Ｌ」（−３．３Ｖ）になる。これにより、発光サイリスタＬのしきい電圧は−４．８Ｖとなって、φＩｎが「Ｌｅ」（−３Ｖ＜「Ｌｅ」≦−１．５Ｖ）であっても、発光サイリスタＬはターンオンせず、点灯（発光）しない。
一方、φＷ（Ｐ）が「Ｌ」（−３．３Ｖ）である場合（２）、１．５≦Ｄａ（Ｏ）−φＷ（Ｐ）を満たすので、書込ダイオードＤｗが順バイアスになって、Ｇｌ（Ｑ）はＧｔの「Ｈ」（０Ｖ）になる。これにより、発光サイリスタＬのしきい電圧は−１．５Ｖとなる。このため、φＩｎが「Ｌｅ」（−３Ｖ＜「Ｌｅ」≦−１．５Ｖ）であると、発光サイリスタＬはターンオンして点灯（発光）する。
【００９９】
φＥｎが「Ｌ」（−３．３Ｖ）である場合（３、４）、０．５≦Ｇｔ−φＥｎを満たすので、許可ダイオードＤｅが順バイアスになり、Ｄａ（Ｏ）はφＥｎ＋０．５から−２．８Ｖになる。
このとき、φＷ（Ｐ）が「Ｈ」（０Ｖ）または「Ｌ」（−３．３Ｖ）のいずれであっても（３、４）、１．５≦Ｄａ（Ｏ）−φＷ（Ｐ）が満たされないので、書込ダイオードＤｗは順バイアスにならず、Ｇｌ（Ｑ）は「Ｌ」（−３．３Ｖ）になる。これにより、発光サイリスタＬのしきい電圧は−４．８Ｖとなる。このため、φＩｎが「Ｌｅ」（−３Ｖ＜「Ｌｅ」≦−１．５Ｖ）であっても、発光サイリスタＬはターンオンせず、点灯（発光）しない。
【０１００】
次に、転送サイリスタＴがオフ状態にあって、Ｇｔが「Ｌ」（−３．３Ｖ）になる場合（５〜８）を説明する。
Ｇｔが「Ｌ」（−３．３Ｖ）であるので、φＥｎが「Ｈ」（０Ｖ）または「Ｌ」（−３．３Ｖ）のいずれであっても、０．５≦Ｇｔ−φＥｎが満たされないので、許可ダイオードＤｅは順バイアスにならず、Ｄａ（Ｏ）はＧｔの「Ｌ」（−３．３Ｖ）となる。
このとき、φＷ（Ｐ）が「Ｈ」（０Ｖ）または「Ｌ」（−３．３Ｖ）のいずれであっても、１．５≦Ｄａ（Ｏ）−φＷ（Ｐ）が満たされないので、書込ダイオードＤｗは順バイアスにならず、Ｇｌ（Ｑ）は「Ｌ」（−３．３Ｖ）になる。これにより、発光サイリスタＬのしきい電圧は−４．８Ｖとなる。このため、φＩｎが「Ｌｅ」（−３Ｖ＜「Ｌｅ」≦−１．５Ｖ）であっても、発光サイリスタＬはターンオンせず、点灯（発光）しない。
【０１０１】
さらに、ゲート端子Ｇｔが−１．５Ｖになる場合（９〜１２）を説明する。
φＥｎが「Ｈ」（０Ｖ）の場合（９、１０）、０．５≦Ｇｔ−φＥｎが満たされないので、許可ダイオードＤｅは順バイアスにならず、Ｄａ（Ｏ）はＧｔの−１．５となる。
このとき、φＷ（Ｐ）が「Ｈ」（０Ｖ）である場合（９）、１．５≦Ｄａ（Ｏ）−φＷ（Ｐ）が満たされないので、書込ダイオードＤｗは順バイアスにならず、Ｇｌ（Ｑ）は「Ｌ」（−３．３Ｖ）になる。これにより、発光サイリスタＬのしきい電圧は−４．８Ｖとなる。このため、φＩｎが「Ｌｅ」（−３Ｖ＜「Ｌｅ」≦−１．５Ｖ）であっても、発光サイリスタＬはターンオンせず、点灯（発光）しない。
一方、φＷ（Ｐ）が「Ｌ」（−３．３Ｖ）である場合（１０）、１．５≦Ｄａ（Ｏ）−φＷ（Ｐ）が満たれるので、書込ダイオードＤｗが順バイアスになって、Ｇｌ（Ｑ）はＧｔの−１．５Ｖになる。これにより、発光サイリスタＬのしきい電圧は−３Ｖとなる。しかし、φＩｎが「Ｌｅ」（−３Ｖ＜「Ｌｅ」≦−１．５Ｖ）であっても、発光サイリスタＬはターンオンせず、点灯（発光）しない。
【０１０２】
φＥｎが「Ｌ」（−３．３Ｖ）である場合（１１、１２）、０．５≦Ｇｔ−φＥｎが満たれるので、許可ダイオードＤｅが順バイアスになって、Ｄａ（Ｏ）はφＥｎ＋０．５から−２．８Ｖになる。
このとき、φＷ（Ｐ）が「Ｈ」（０Ｖ）または「Ｌ」（−３．３Ｖ）となっても（１１、１２）、１．５≦Ｄａ（Ｏ）−φＷ（Ｐ）が満たされないので、書込ダイオードＤｗは順バイアスにならず、Ｇｌ（Ｑ）は「Ｌ」（−３．３Ｖ）になる。これにより、発光サイリスタＬのしきい電圧は−４．８Ｖとなる。このため、φＩｎが「Ｌｅ」（−３Ｖ＜「Ｌｅ」≦−１．５Ｖ）であっても、発光サイリスタＬはターンオンせず、点灯（発光）しない。
【０１０３】
そして、Ｇｔが−３Ｖである場合（１３〜１６）を説明する。
Ｇｔが−３Ｖであるので、φＥｎが「Ｈ」（０Ｖ）または「Ｌ」（−３．３Ｖ）のいずれであっても、０．５≦Ｇｔ−φＥｎが満たされないので、許可ダイオードＤｅは順バイアスにならず、Ｄａ（Ｏ）はＧｔの−３Ｖとなる。
このとき、φＷ（Ｐ）が「Ｈ」（０Ｖ）または「Ｌ」（−３．３Ｖ）のいずれであっても、１．５≦Ｄａ（Ｏ）−φＷ（Ｐ）が満たされないので、書込ダイオードＤｗは順バイアスにならず、Ｇｌ（Ｑ）は「Ｌ」（−３．３Ｖ）になる。これにより、発光サイリスタＬのしきい電圧は−４．８Ｖとなる。このため、φＩｎが「Ｌｅ」（−３Ｖ＜「Ｌｅ」≦−１．５Ｖ）であっても、発光サイリスタＬはターンオンせず、点灯（発光）しない。
【０１０４】
表１の場合２に示すように、Ｇｔが「Ｈ」（０Ｖ）であって、φＥｎが「Ｈ」（０Ｖ）且つφＷ（Ｐ）が「Ｌ」（−３．３Ｖ）のとき、発光サイリスタＬのしきい電圧が−１．５Ｖになって、点灯信号φＩｎが「Ｌｅ」（−３Ｖ＜「Ｌｅ」≦−１．５Ｖ）であると、発光サイリスタＬがターンオンしてオン状態になり、点灯（発光）する。
そして、表１の場合１０に示すように、Ｇｔが−１．５Ｖであって、φＥｎが「Ｈ」（０Ｖ）且つφＷ（Ｐ）が「Ｌ」（−３．３Ｖ）のとき、発光サイリスタＬのしきい電圧が−３Ｖになる。しかし、φＩｎを「Ｌｅ」（−３Ｖ＜「Ｌｅ」≦−１．５Ｖ）に設定しているので、発光サイリスタＬがターンオンせず、点灯（発光）しない。
そして、他のＧｔ、φＥ、φＷの場合では、発光サイリスタＬのしきい電圧が−４．８Ｖとなって、φＩｎが「Ｌｅ」（−３Ｖ＜「Ｌｅ」≦−１．５Ｖ）であっても、発光サイリスタＬはターンオンせず、点灯（発光）しない。
【０１０５】
以上説明したように、Ｇｔが「Ｈ」（０Ｖ）であって、φＥｎが「Ｈ」（０Ｖ）且つφＷ（Ｐ）が「Ｌ」（−３．３Ｖ）の場合２に発光サイリスタＬを点灯させ、他の場合には発光サイリスタＬを点灯（発光）させないようにするため、φＩｎを「Ｌｅ」（−３Ｖ＜「Ｌｅ」≦−１．５Ｖ）に設定している。
【０１０６】
ダイオードスイッチＤｓの場合２の動作を別の観点で説明する。
上述したように、許可ダイオードＤｅが順バイアスでないとき、ＧｔがＤａ（Ｏ）に現れる。そして、書込ダイオードＤｗが順バイアスになると、Ｄａ（Ｏ）がＧｌ（Ｑ）に現れる。このとき、Ｇｔが「Ｈ」（０Ｖ）であると発光サイリスタＬのしきい電圧が−１．５Ｖに上昇するので、φＩｎが「Ｌｅ」（−３Ｖ＜「Ｌｅ」≦−１．５Ｖ）において、発光サイリスタＬが点灯する。
【０１０７】
すなわち、ゲート端子Ｇｔの電位（Ｇｔ）、φＥ端子の電位（φＥｎ）、φＷ端子の電位（φＷ）の組み合わせにより、発光サイリスタＬを点灯または非点灯に制御することができる。以下では、発光サイリスタＬの点灯または非点灯を制御することを点灯制御と呼ぶ。
ここでは、基準電位Ｖｓｕｂを「Ｈ」（０Ｖ）、電源電位Ｖｇａを「Ｌ」（−３．３Ｖ）、φＥｎ、φＷ（Ｐ）を「Ｈ」（０Ｖ）と「Ｌ」（−３．３Ｖ）との２値の信号とし、第１点灯信号φＩ１およびφＩ２を設定する点灯電位Ｖｉを「Ｌｅ」（−３Ｖ＜「Ｌｅ」≦−１．５Ｖ）とした。ゲート端子Ｇｔの電位（Ｇｔ）、φＥ端子の電位（φＥｎ）、φＷ端子の電位（φＷ）の組み合わせにより、発光サイリスタＬを点灯または非点灯に制御すればよく、これらの値は他の値であってもよい。
【０１０８】
＜点灯信号設定部１６０の動作＞
点灯信号設定部１６０の動作を、図５を参照して説明する。
第１点灯信号線７５−１は、電流制限抵抗Ｒｉ１を介して、第２点灯信号線７５−２は電流制限抵抗Ｒｉ２を介して、点灯電位Ｖｉである「Ｌｅ」（−３Ｖ＜「Ｌｅ」≦−１．５Ｖ）が供給されるφＩ端子に接続されている。
一方、第１点灯信号線７５−１は、点灯信号設定部１６０を構成する制御ダイオードＤｉ１および電流制限抵抗Ｒｉ３を介して、第１転送信号φ１が送信されるφ１端子に接続されている。第２点灯信号線７５−２は、点灯信号設定部１６０を構成する制御ダイオードＤｉ２および電流制限抵抗Ｒｉ４を介して、第２転送信号φ２が送信されるφ２端子に接続されている。すなわち、第１点灯信号φＩ１は第１転送信号φ１の影響を受け、第２点灯信号φＩ２は第２転送信号φ２の影響を受ける。
【０１０９】
まず、第１転送信号φ１が「Ｌ」（−３．３Ｖ）である場合（後述する図８の時刻ｂから時刻ｈ）における第１点灯信号φＩ１を説明する。
制御ダイオードＤｉ１は、アノード端子が第１転送信号φ１により「Ｌ」（−３．３Ｖ）で、カソード端子が点灯電位Ｖｉの「Ｌｅ」（−３Ｖ＜「Ｌｅ」≦−１．５Ｖ）であるので、順バイアスにならない。よって、第１点灯信号線７５−１は、端子φＩに供給された点灯電位Ｖｉである「Ｌｅ」となり、第１点灯信号φＩ１は「Ｌｅ」に設定される。
次に、第１転送信号φ１が「Ｈ」（０Ｖ）である場合（後述する図８の時刻ｈから時刻ｉ）における第１点灯信号φＩ１を説明する。
制御ダイオードＤｉ１は、アノード端子が第１転送信号φ１により「Ｈ」（０Ｖ）で、カソード端子が点灯電位Ｖｉの「Ｌｅ」（−３Ｖ＜「Ｌｅ」≦−１．５Ｖ）であるので、順バイアスである。よって、第１点灯信号線７５−１は、第１転送信号φ１の「Ｈ」（０Ｖ）からショットキー接合の順方向電位Ｖｓ（０．５Ｖ）を引いた、−０．５Ｖになり、第１点灯信号φＩ１は−０．５Ｖに設定される。
すなわち、第１点灯信号φＩ１は、第１転送信号φ１が「Ｈ」（０Ｖ）のとき、−０．５Ｖになり、「Ｌ」（−３．３Ｖ）のとき「Ｌｅ」となる。
なお、電流制限抵抗Ｒｉ１は、第１点灯信号線７５−１の−０．５Ｖと、点灯電位Ｖｉ（「Ｌｅ」（−３Ｖ＜「Ｌｅ」≦−１．５Ｖ））との電位差を保持する。
【０１１０】
第２点灯信号φＩ２も、同様であって、第２転送信号φ２が「Ｈ」（０Ｖ）のとき、−０．５Ｖになり、「Ｌ」（−３．３Ｖ）のとき「Ｌｅ」となる。
【０１１１】
以上説明したように、点灯信号設定部１６０は、直流電位である点灯電位Ｖｉ（「Ｌｅ」（−３Ｖ＜「Ｌｅ」≦−１．５Ｖ））から、第１転送信号φ１および第２転送信号φ２に対応して、−０．５Ｖと「Ｌｅ」との２つのレベルの第１点灯信号φＩ１および第２点灯信号φＩ２の電位を設定する。
第１点灯信号φＩ１および第２点灯信号φＩ２は、後述するように発光サイリスタＬに点灯（発光）のための電流を供給する。
【０１１２】
＜許可信号設定部１７０の動作＞
許可信号設定部１７０の動作を、図５を参照して説明する。
許可信号設定部１７０は、φＥ端子に送信される第１許可信号φＥ１に基づいて、第２許可信号線７６−２上の第２許可信号φＥ２を設定する。なお、第２許可信号φＥ２は、許可信号設定部１７０により、第１許可信号φＥ１の「Ｈ」と「Ｌ」との関係を反転させたものである。
【０１１３】
許可信号設定部１７０のダイオードスイッチＤｓｒの制御ダイオードＤｒ１は、ダイオードスイッチＤｓの書込ダイオードＤｗに対応し、可変抵抗である抵抗Ｒｒ１は書込抵抗Ｒｗに対応する。ダイオードスイッチＤｓｒは、電気的な抵抗値が変化する素子の一例である。
【０１１４】
まず、第１許可信号φＥ１が「Ｈ」（０Ｖ）の場合（後述する図８の時刻ｂから時刻ｅ）を説明する。
制御ダイオードＤｒ１のアノード端子（Ｏ´端子）は、「Ｈ」（０Ｖ）の基準電位Ｖｓｕｂが供給されるＶｓｕｂ端子に接続されている。制御ダイオードＤｒ１のカソード端子（Ｐ´端子）は「Ｈ」（０Ｖ）である。よって、ダイオードスイッチＤｓｒの制御ダイオードＤｒ１は順バイアスにならず、抵抗Ｒｒ１は抵抗値は大きい（∞）状態（図７の“書込ダイオードＤｗに電流を流さない場合”に相当）にある。このため、制御ダイオードＤｒ１のアノード端子（Ｏ´端子）が「Ｈ」（０Ｖ）である影響はＱ´端子に及ばず、Ｑ´端子の電位は、抵抗Ｒｒ２を介して、電源線７１の電源電電位Ｖｇａ（「Ｌ」（−３．３Ｖ））になる。すなわち、Ｑ´端子に接続された第２許可信号線７６−２の第２許可信号φＥ２は、第１許可信号φＥ１の「Ｈ」（０Ｖ）が反転した「Ｌ」（−３．３Ｖ）に設定される。
【０１１５】
一方、第１許可信号φＥ１が「Ｌ」（−３．３Ｖ）である場合（後述する図８の時刻ｅから時刻ｉ）を説明する。
制御ダイオードＤｒ１のアノード端子（Ｏ´端子）は、「Ｈ」（０Ｖ）の基準電位Ｖｓｕｂが供給されるＶｓｕｂ端子に接続されている。制御ダイオードＤｒ１のカソード端子（Ｐ´端子）は「Ｌ」（−３．３Ｖ）である。よって、ダイオードスイッチＤｓｒの制御ダイオードＤｒ１は順バイアスになって、抵抗Ｒｒ１は抵抗値が小さい（０）状態（図７の“書込ダイオードＤｗに電流を流した場合”に相当）にある。このため、制御ダイオードＤｒ１のアノード端子（Ｏ´端子）が「Ｈ」（０Ｖ）である影響がＱ´端子に及び、Ｑ´端子の電位は「Ｈ」（０Ｖ）になる。すなわち、Ｑ´端子に接続された第２許可信号線７６−２の第２許可信号φＥ２は、第１許可信号φＥ１の「Ｌ」（−３．３Ｖ）が反転した「Ｈ」（０Ｖ）に設定される。
【０１１６】
このとき、制御ダイオードＤｒ１が順バイアスになることにより、カソード端子（Ｐ´端子）はアノード端子（Ｏ´端子）の「Ｈ」（０Ｖ）からｐｎ接合の順方向電位Ｖｄ（１．５Ｖ）を引いた値である−１．５Ｖになる。よって、抵抗Ｒｒ２は、第１許可信号φＥ１の「Ｌ」（−３．３Ｖ）と、制御ダイオードＤｒ１のカソード端子（Ｐ´端子）の電位（−１．５Ｖ）との電位差を保持している。
抵抗Ｒｇｙ１は、電源線７１（図５参照）の電源電位Ｖｇａ（「Ｌ」（−３．３Ｖ））と、Ｑ´端子の「Ｈ」（０Ｖ）との電位差を保持している。
【０１１７】
以上説明したように、許可信号設定部１７０は、第１許可信号φＥ１に対して「Ｈ」と「Ｌ」との関係が反転した第２許可信号φＥ２を生成する。
【０１１８】
＜タイミングチャート＞
図８は、発光装置６５の動作を説明するためのタイミングチャートである。
図８では、発光チップＣ１の発光サイリスタＬ１〜Ｌ８の８個の発光サイリスタＬの点灯または非点灯を制御する部分のタイミングチャートを示している。前述したように、他の発光チップＣ２〜Ｃ２０は、発光チップＣ１と並列に動作するため、発光チップＣ１の動作を説明すれば足りる。よって、図８では発光チップＣ１の動作を示している。
なお、図８では、発光サイリスタＬ１、Ｌ２、Ｌ３、Ｌ４、Ｌ５、Ｌ７、Ｌ８を点灯させ、発光サイリスタＬ６を消灯（非点灯）としている。
【０１１９】
図８において、時刻ａから時刻ｒへとアルファベット順に時刻が経過するとする。発光サイリスタＬ１は、時刻ｂから時刻ｉの期間Ｔ（１）において点灯制御される。発光サイリスタＬ２は、時刻ｅから時刻ｌの期間Ｔ（２）において、発光サイリスタＬ３は、時刻ｉから時刻ｍの期間Ｔ（３）において、発光サイリスタＬ４は、時刻ｌから時刻ｎの期間Ｔ（４）において点灯制御される。以下、同様にして番号が５以上の発光サイリスタＬが点灯制御される。
【０１２０】
本実施の形態では、期間Ｔ（１）、Ｔ（２）、Ｔ（３）、…は同じ長さの期間とし、それぞれを区別しないときは期間Ｔと呼ぶ。
そして、奇数番号の発光サイリスタＬを点灯制御する期間Ｔ（１）、Ｔ（３）、…と、偶数番号の発光サイリスタＬを点灯制御する期間Ｔ（２）、Ｔ（４）、…とは、期間Ｔの１／２の期間（位相でいうと１８０°）時間軸上でずれている。
すなわち、奇数番号の発光サイリスタＬ１、Ｌ３、…と偶数番号の発光サイリスタＬ２、Ｌ４、…とは、点灯制御される期間の一部を重ねながら、点灯制御されている。
なお、以下に説明する信号の相互の関係が維持されるようにすれば、期間Ｔ（１）、Ｔ（２）、Ｔ（３）、…の長さを可変としてもよい。
【０１２１】
信号波形について説明する。なお、時刻ａから時刻ｂまでの期間は、発光チップＣ１が動作を開始する期間である。この期間の信号については、動作の説明において説明する。
【０１２２】
φ１端子（図５、図６参照）に送信される第１転送信号φ１は、奇数番号の発光サイリスタＬ１、Ｌ３、…を点灯制御する期間Ｔ（１）、Ｔ（３）、…で波形が繰り返される信号である。
期間Ｔ（１）において、第１転送信号φ１について説明する。
期間Ｔ（１）の開始時刻ｂにおいて、「Ｈ」（０Ｖ）から「Ｌ」（−３．３Ｖ）に移行し、時刻ｈで「Ｌ」から「Ｈ」に移行する。そして、期間Ｔ（１）の終了時刻ｉにおいて、「Ｈ」から「Ｌ」に移行する。
一方、φ２端子（図５、図６参照）に送信される第２転送信号φ２は、偶数番号の発光サイリスタＬ２、Ｌ４、…を点灯制御する期間Ｔ（２）、Ｔ（４）、…で波形が繰り返される信号である。
期間Ｔ（２）において、第２転送信号φ２について説明する。
期間Ｔ（２）の開始時刻ｅにおいて、「Ｈ」（０Ｖ）から「Ｌ」（−３．３Ｖ）に移行し、時刻ｋで「Ｌ」から「Ｈ」に移行する。そして、期間Ｔ（２）の終了時刻ｌにおいて、「Ｈ」から「Ｌ」に移行する。
【０１２３】
ここで、第１転送信号φ１と第２転送信号φ２とを比較する。期間Ｔ（１）における第１転送信号φ１の波形と期間Ｔ（２）における第２転送信号φ２の波形とは同じであって、第２転送信号φ２は、第１転送信号φ１を期間Ｔ（１）と期間Ｔ（２）の時間差である期間Ｔの１／２の期間、時間軸を後ろにずらしたものに当たる。
そして、時刻ａから時刻ｂまでの期間を除いて、第１転送信号φ１と第２転送信号φ２とは、同時に「Ｈ」となる期間を有さない。
後述するように、第１転送信号φ１と第２転送信号φ２との一組の転送信号は、図５、図６に示した転送サイリスタＴを順にオン状態にすることにより、オン状態の転送サイリスタＴと同じ番号の発光サイリスタＬを、点灯または非点灯の制御（点灯制御）の対象として指定する。
【０１２４】
φＥ端子（図５、図６参照）に送信される第１許可信号φＥ１について説明する。第１許可信号φＥ１は、奇数番号の発光サイリスタＬ１、Ｌ３、…の点灯制御する期間Ｔ（１）、Ｔ（３）、…において同じ波形を繰り返す信号である。
期間Ｔ（１）において、第１許可信号φＥ１を説明する。
期間Ｔ（１）の開始時刻ｂにおいて、「Ｌ」（−３．３Ｖ）から「Ｈ」（０Ｖ）に移行し、時刻ｅで「Ｈ」から「Ｌ」に移行する。そして、期間Ｔ（１）の終了時刻ｉにおいて、「Ｌ」から「Ｈ」に移行する。
【０１２５】
期間Ｔ（１）において、第２許可信号φＥ２について説明する。前述したように、第２許可信号φＥ２は、許可信号設定部１７０（図５参照）により、第１許可信号φＥ１を反転させたものである。
期間Ｔ（１）の開始時刻ｂにおいて、「Ｈ」（０Ｖ）から「Ｌ」（−３．３Ｖ）に移行し、時刻ｅで「Ｌ」から「Ｈ」に移行する。そして、期間Ｔ（１）の終了時刻ｉにおいて、「Ｈ」から「Ｌ」に移行する。
第１許可信号φＥ１および第２許可信号φＥ２は、後述するように、点灯または非点灯の制御（点灯制御）の対象として指定された発光サイリスタＬの点灯を許可または阻止のいずれか一方に設定する。
【０１２６】
次に、第１点灯信号線７５−１の第１点灯信号φＩ１、第２点灯信号線７５−２の第２点灯信号φＩ２について説明する。第１点灯信号φＩ１および第２点灯信号φＩ２は、点灯信号設定部１６０により、第１転送信号φ１および第２転送信号φ２に基づいて設定される。
よって、第１点灯信号φＩ１は、奇数番号の発光サイリスタＬ１、Ｌ３、…を点灯制御する期間Ｔ（１）、Ｔ（３）、…で波形が繰り返される信号である。
期間Ｔ（１）において、第１点灯信号φＩ１について説明する。
第１転送信号φ１が「Ｈ」（０Ｖ）から「Ｌ」（−３．３Ｖ）に移行する時刻ｂにおいて、−０．５Ｖから「Ｌｅ」（−３Ｖ＜「Ｌｅ」≦−１．５Ｖ）に移行する。そして、時刻ｃにおいて、後述するように、発光サイリスタＬ１がターンオンすることで、「Ｌｅ」から−１．５Ｖに移行する。さらに、第１転送信号φ１が「Ｌ」（−３．３Ｖ）から「Ｈ」（０Ｖ）に移行する時刻ｈで−１．５Ｖから０．５Ｖに移行する。そして、時刻ｉにおいて、−０．５Ｖから「Ｌｅ」に移行する。
一方、第２点灯信号φＩ２は、偶数番号の発光サイリスタＬ２、Ｌ４、…を点灯制御する期間Ｔ（２）、Ｔ（４）、…で波形が繰り返される信号である。
期間Ｔ（２）において、第２点灯信号φＩ２について説明する。
第２転送信号φ２が「Ｈ」（０Ｖ）から「Ｌ」（−３．３Ｖ）に移行する時刻ｅにおいて、「Ｈ」（０Ｖ）から「Ｌ」（−３．３Ｖ）に移行する。そして、時刻ｆにおいて、後述するように、発光サイリスタＬ２がターンオンすることで、「Ｌｅ」から−１．５Ｖに移行する。さらに、第２転送信号φ２が「Ｌ」（−３．３Ｖ）から「Ｈ」（０Ｖ）に移行する時刻ｋで−１．５Ｖから０．５Ｖに移行する。さらに、時刻ｌにおいて、−０．５Ｖから「Ｌｅ」に移行する。
このように、第１点灯信号φＩ１および第２点灯信号φＩ２は第１転送信号φ１および第２転送信号φ２に対応して変化する。
なお、発光サイリスタＬを点灯させないときは、「Ｌｅ」（−３Ｖ＜「Ｌｅ」≦−１．５Ｖ）から−１．５Ｖへの移行が生じない（図８の時刻ｏ参照）。
【０１２７】
次に、画像データによって変化する書込信号φＷ１〜φＷ２０について説明する。ここでは、期間Ｔ（１）における発光チップＣ１に対する書込信号φＷ１について説明する。なお、発光チップＣ１では、発光サイリスタＬ１およびＬ２を点灯させるとしている。
書込信号φＷ１は、期間Ｔ（１）の開始時刻ｂで「Ｈ」（０Ｖ）で、時刻ｃにおいて「Ｈ」から「Ｌ」（−３．３Ｖ）に移行し、時刻ｄにおいて「Ｌ」から「Ｈ」に戻る。そして、時刻ｆにおいて、再び「Ｈ」から「Ｌ」に移行し、時刻ｇにおいて「Ｌ」から「Ｈ」に移行する。期間Ｔ（１）の終了時刻ｉにおいて、「Ｈ」を維持している。書込信号φＷ１は、期間Ｔ（１）において、「Ｌ」になる期間が２つ（先の期間と後の期間）ある。
そして、書込信号φＷ１と第１許可信号φＥ１および第２許可信号φＥ２との関係を見ると、先の「Ｌ」の期間（時刻ｃから時刻ｄ）は、第１許可信号φＥ１が「Ｈ」である時刻ｂから時刻ｅまでの期間に含まれている。そして、後の「Ｌ」の期間（時刻ｆから時刻ｇ）は、第１許可信号φＥ１が「Ｌ」である時刻ｅから時刻ｉまでの期間に含まれている。
一方、書込信号φＷ１と、第２許可信号φＥ２との関係を見ると、後の「Ｌ」の期間（時刻ｆから時刻ｇ）は、第２許可信号φＥ２が「Ｈ」である時刻ｅから時刻ｉまでの期間に含まれている。そして、先の「Ｌ」の期間（時刻ｃから時刻ｄ）は、第２許可信号φＥ２が「Ｌ」である時刻ｂから時刻ｅまでの期間に含まれている。
【０１２８】
すなわち、期間Ｔ（１）において、書込信号φＷ１の先の「Ｌ」の期間（時刻ｃから時刻ｄ）は、発光サイリスタＬ１を点灯状態に移行させるための信号であって、後の「Ｌ」の期間（時刻ｆから時刻ｇ）は、発光サイリスタＬ２を点灯状態に移行させるための信号である。よって、後の「Ｌ」の期間（時刻ｆから時刻ｇ）は発光サイリスタＬ２を点灯状態に移行させるための信号であるので、期間Ｔ（２）において「Ｌ」になっていることになる。
【０１２９】
では、図４、図５、図７を参照しつつ、図８に示したタイミングチャートにしたがって、発光装置６５の動作を説明する。なお、表１の場合２に示したように、Ｇｔが「Ｈ」（０Ｖ）であって、φＥｎが「Ｈ」（０Ｖ）且つφＷ（Ｐ）が「Ｌ」（−３．３Ｖ）で発光サイリスタＬが点灯し、他の場合には発光サイリスタＬを点灯（発光）しない。
（１）時刻ａ
発光装置６５に基準電位Ｖｓｕｂ、電源電位Ｖｇａおよび点灯電位Ｖｉの供給を開始した状態（初期状態）について説明する。
＜発光装置６５＞
図８に示したタイミングチャートの時刻ａにおいて、電源ライン２００ａは「Ｈ」（０Ｖ）の基準電位Ｖｓｕｂに設定され、電源ライン２００ｂは「Ｌ」（−３．３Ｖ）の電源電位Ｖｇａに設定され、電源ライン２０４は「Ｌｅ」（−３Ｖ＜「Ｌｅ」≦−１．５Ｖ）に設定される（図４参照）。よって、各発光チップＣ１〜Ｃ２０のＶｓｕｂ端子は「Ｈ」に設定され、Ｖｇａ端子は「Ｌ」に設定され、φＩ端子は「Ｌｅ」に設定される（図５参照）。
【０１３０】
そして、信号発生回路１１０の転送信号発生部１２０は第１転送信号φ１、第２転送信号φ２をそれぞれ「Ｈ」に設定する。すると、第１転送信号ライン２０１および第２転送信号ライン２０２が「Ｈ」になる（図４参照）。これにより、発光チップＣ１〜Ｃ２０のそれぞれのφ１端子およびφ２端子が「Ｈ」になる。電流制限抵抗Ｒ１を介してφ１端子に接続されている第１転送信号線７２の電位も「Ｈ」になり、電流制限抵抗Ｒ２を介してφ１端子に接続されている第２転送信号線７３も「Ｈ」になる（図５参照）。
【０１３１】
さらに、信号発生回路１１０の許可信号発生部１３０は第１許可信号φＥ１を「Ｌ」に設定する。すると、許可信号ライン２０３が「Ｌ」になる（図４参照）。これにより、発光チップＣ１〜Ｃ２０のそれぞれのφＥ端子が「Ｌ」になる（図５参照）。そして、第１許可信号線７６−１が「Ｌ」になる（図５参照）。
一方、前述したように、許可信号設定部１７０により、第２許可信号φＥ２が「Ｈ」になり、第２許可信号線７６−２が「Ｈ」になる。
【０１３２】
さらにまた、各発光チップＣにおいて、点灯信号設定部１６０は、第１転送信号φ１および第２転送信号φ２が「Ｈ」であることから、第１点灯信号φＩ１（第１点灯信号線７５−１）および第２点灯信号φＩ２（第２点灯信号線７５−２）を−０．５Ｖに設定する。
【０１３３】
信号発生回路１１０の書込信号発生部１５０は書込信号φＷ１〜φＷ２０を「Ｈ」に設定する。すると、書込信号ライン２０５−１〜２０５−２０が「Ｈ」になる（図４参照）。これにより、発光チップＣ１〜Ｃ２０のそれぞれのφＷ端子が「Ｈ」になる。各発光チップＣにおいて、φＷ端子に接続されている書込信号線７４も「Ｈ」になる（図５参照）。
【０１３４】
次に、図５、図７を参照しつつ、図８に示したタイミングチャートにしたがって、発光チップＣ１〜Ｃ２０の動作を、発光チップＣ１で説明する。
なお、図８および以下における説明では、各端子の電位がステップ状に変化するとしているが、各端子の電位は徐々に変化している。よって、電位変化の間であっても、下記に示す条件が満たされれば、サイリスタは、ターンオンおよびターンオフなどの状態の変化を生じる。
【０１３５】
＜発光チップＣ１＞
転送サイリスタＴ、発光サイリスタＬのアノード端子はＶｓｕｂ端子に接続されているので、「Ｈ」に設定される。
【０１３６】
奇数番号の転送サイリスタＴ１、Ｔ３、Ｔ５、…のそれぞれのカソード端子は、第１転送信号線７２に接続され、「Ｈ」に設定されている。偶数番号の転送サイリスタＴ２、Ｔ４、Ｔ６、…のそれぞれのカソード端子は、第２転送信号線７３に接続され、「Ｈ」に設定されている。よって、転送サイリスタＴのアノード端子およびカソード端子はともに「Ｈ」となり、転送サイリスタＴはオフ状態にある。
そして、転送サイリスタＴのゲート端子Ｇｔは、電源線抵抗Ｒｇｘを介して電源線７１に接続されている。電源線７１は「Ｌ」（−３．３Ｖ）の電源電位Ｖｇａに設定されている。これにより、後述するゲート端子Ｇｔ１およびＧｔ２を除いて、ゲート端子Ｇｔの電位は「Ｌ」になっている。よって、後述するゲート端子Ｇｔ１およびＧｔ２を除いて、転送サイリスタＴのしきい電圧は、ゲート端子Ｇｔの電位（「Ｌ」（−３．３Ｖ））からｐｎ接合の順方向電位Ｖｄ（１．５Ｖ）を引いた−４．８Ｖとなっている。
【０１３７】
奇数番号の発光サイリスタＬ１、Ｌ３、…のカソード端子は、第１点灯信号線７５−１に接続され、−０．５Ｖに設定されている。偶数番号の発光サイリスタＬ２、Ｌ４、…のカソード端子は、第２点灯信号線７５−２に接続され、−０．５Ｖに設定されている。
【０１３８】
図５中の転送サイリスタ列の一端のゲート端子Ｇｔ１は、前述したように、スタートダイオードＤｘ０のカソード端子に接続されている。そして、スタートダイオードＤｘ０のアノード端子は、第２転送信号線７３に接続されている。第２転送信号線７３は「Ｈ」に設定されている。よって、スタートダイオードＤｘ０は、そのカソード端子が「Ｌ」でそのアノード端子が「Ｈ」となって、順バイアスになる。これにより、スタートダイオードＤｘ０のカソード端子（ゲート端子Ｇｔ１）は、スタートダイオードＤｘ０のアノード端子の電位である「Ｈ」（０Ｖ）からスタートダイオードＤｘ０のｐｎ接合の順方向電位Ｖｄ（１．５Ｖ）を引いた−１．５Ｖになる。これにより、転送サイリスタＴ１のしきい電圧は、ゲート端子Ｇｔ１の電位（−１．５Ｖ）からｐｎ接合の順方向電位Ｖｄ（１．５Ｖ）を引いた−３Ｖとなる。
【０１３９】
そして、転送サイリスタＴ１に隣接する転送サイリスタＴ２のゲート端子Ｇｔ２は、ゲート端子Ｇｔ１に接続された結合ダイオードＤｘ１を介して接続されている。転送サイリスタＴ２のゲート端子Ｇｔ２の電位は、ゲート端子Ｇｔ１の電位（−１．５Ｖ）から結合ダイオードＤｘ１のｐｎ接合の順方向電位Ｖｄ（１．５Ｖ）を引いた−３Ｖになる。これにより、転送サイリスタＴ２のしきい電圧は−４．５Ｖになる。
なお、番号が３以上の転送サイリスタＴのしきい電圧は、前述したように−４．８Ｖである。
書込ダイオードＤｗのカソード端子が接続された書込信号線７４は書込信号φＷ（表１のφＷ（Ｐ））により「Ｈ」（０Ｖ）に設定されている。
【０１４０】
まず、奇数番号の許可ダイオードＤｅ１、Ｄｅ３、…および発光サイリスタＬ１、Ｌ３、…について説明する。
奇数番号の許可ダイオードＤｅ１、Ｄｅ３、…のカソード端子が接続された第１許可信号線７６−１は、第１許可信号φＥ１（表１のφＥ）により「Ｌ」に設定されている。ゲート端子Ｇｔ１の電位（表１のＧｔ）は−１．５Ｖであるので、表１の場合１１に該当する。そして、番号が３以上の奇数番号のゲート端子Ｇｔの電位（表１のＧｔ）は「Ｌ」（−３．３Ｖ）であるので、表１の場合７に該当する。場合７および１１では、発光サイリスタＬのしきい電圧は−４．８Ｖである。
【０１４１】
次に、偶数番号の許可ダイオードＤｅ２、Ｄｅ４、…および発光サイリスタＬ２、Ｌ４、…について説明する。
偶数番号の許可ダイオードＤｅ２、Ｄｅ４、…のカソード端子が接続された第２許可信号線７６−２は、第２許可信号φＥ２（表１のφＥ）により「Ｈ」に設定されている。ゲート端子Ｇｔ２の電位（表１のＧｔ）は−３Ｖであるので、表１の場合９に該当する。そして、番号が４以上の偶数番号のゲート端子Ｇｔの電位（表１のＧｔ）は「Ｌ」（−３．３Ｖ）であるので、表１の場合５に該当する。場合５および９でも、発光サイリスタＬのしきい電圧は−４．８Ｖである。
【０１４２】
よって、すべての発光サイリスタＬのしきい電圧は−４．８Ｖである。
そして、第１点灯信号φＩ１および第２点灯信号φＩ２はいずれも−０．５Ｖであるので、いずれの発光サイリスタＬもターンオンせず、オフ状態である。
【０１４３】
（２）時刻ｂ
図８に示す時刻ｂにおいて、第１転送信号φ１が、「Ｈ」（０Ｖ）から「Ｌ」（−３．３Ｖ）に移行するとともに、第１許可信号φＥ１が「Ｌ」から「Ｈ」に移行する。これにより発光装置６５は動作状態に入る。以下では、発光チップＣ１について説明する。
しきい電圧が−３Ｖである転送サイリスタＴ１がターンオンする。しかし、転送サイリスタＴ３以降の番号の大きい奇数番号の転送サイリスタＴは、しきい電圧が−４．８Ｖであるので、ターンオンできない。一方、しきい電圧が−４．５Ｖである転送サイリスタＴ２は、第２転送信号φ２が「Ｈ」（０Ｖ）であるので、ターンオンできない。
【０１４４】
転送サイリスタＴ１がターンオンすると、ゲート端子Ｇｔ１の電位は、転送サイリスタＴ１のアノード端子の「Ｈ」（０Ｖ）になる。すると、順バイアスの結合ダイオードＤｘ１によって、ゲート端子Ｇｔ２の電位は、そのゲート端子Ｇｔ１の「Ｈ」（０Ｖ）からｐｎ接合の順方向電位Ｖｄ（１．５Ｖ）を引いた−１．５Ｖになる。これにより、転送サイリスタＴ２のしきい電圧は−３Ｖになる。同様に、転送サイリスタＴ２のゲート端子Ｇｔ２に順バイアスの結合ダイオードＤｘ２を介して接続されたゲート端子Ｇｔ３の電位は−３Ｖになる。これにより、転送サイリスタＴ３のしきい電圧は−４．５Ｖになる。番号が４以上の転送サイリスタＴのゲート端子Ｇｔの電位は「Ｌ」に維持されるので、番号が４以上の転送サイリスタＴのしきい電圧は−４．８Ｖである。
転送サイリスタＴ１のカソード端子（図５の第１転送信号線７２）の電位は、転送サイリスタＴ１のアノード端子の「Ｈ」（０Ｖ）からｐｎ接合の順方向電位Ｖｄ（１．５Ｖ）を引いた−１．５Ｖになる。
【０１４５】
第１点灯信号φＩ１は、第１転送信号φ１が「Ｈ」（０Ｖ）から「Ｌ」（−３．３Ｖ）に移行したことにより、−０．５Ｖから「Ｌｅ」（−３Ｖ＜「Ｌｅ」≦−１．５Ｖ）になる。なお、第２点灯信号φＩ２は、第２転送信号φ２が「Ｈ」（０Ｖ）を維持していることから、−０．５Ｖを維持している。
【０１４６】
書込信号φＷ１（表１のφＷ（Ｐ））は「Ｈ」（０Ｖ）が維持されている。
まず、奇数番号の許可ダイオードＤｅ１、Ｄｅ３、…および発光サイリスタＬ１、Ｌ３、…について説明する。
奇数番号の許可ダイオードＤｅ１、Ｄｅ３、…のカソード端子が接続された第１許可信号線７６−１（第１許可信号φＥ１）は、第１許可信号φＥ１（表１のφＥ）の「Ｌ」（−３．３Ｖ）から「Ｈ」（０Ｖ）への移行により、「Ｈ」（０Ｖ）になる。
ゲート端子Ｇｔ１の電位（表１のＧｔ）は０Ｖであるので、表１の場合１に該当する。ゲート端子Ｇｔ３の電位（表１のＧｔ）は−３Ｖであるので、表１の場合１３に該当する。そして、番号が５以上の奇数番号のゲート端子Ｇｔの電位（表１のＧｔ）は「Ｌ」（−３．３Ｖ）であるので、表１の場合５に該当する。いずれの場合も、発光サイリスタＬのしきい電圧は−４．８Ｖである。よって、奇数番号の発光サイリスタＬのしきい電圧は−４．８Ｖであって、第１点灯信号線７５−１の電位を設定する第１点灯信号φＩ１が「Ｌｅ」（−３Ｖ＜「Ｌｅ」≦−１．５Ｖ）であっても、奇数番号の発光サイリスタＬはターンオンできない。
【０１４７】
次に、偶数番号の許可ダイオードＤｅ２、Ｄｅ４、…および発光サイリスタＬ２、Ｌ４、…について説明する。
偶数番号の許可ダイオードＤｅ２、Ｄｅ４、…のカソード端子が接続された第２許可信号線７６−２（第２許可信号φＥ２）は、第１許可信号φＥ１（表１のφＥ）の「Ｌ」（−３．３Ｖ）から「Ｈ」（０Ｖ）への移行により、許可信号設定部１７０により「Ｌ」（−３．３Ｖ）に設定される。
ゲート端子Ｇｔ２の電位（表１のＧｔ）は−１．５Ｖであるので、表１の場合１１に該当する。そして、番号が４以上の奇数番号のゲート端子Ｇｔの電位（表１のＧｔ）は「Ｌ」（−３．３Ｖ）であるので、表１の場合７に該当する。よって、偶数番号の発光サイリスタＬのしきい電圧は−４．８Ｖであって、第２点灯信号線７５−２の電位を設定する第２点灯信号φＩ２は−０．５Ｖであるので、いずれの発光サイリスタＬもターンオンできない。
【０１４８】
すなわち、時刻ｂにおいて、転送サイリスタＴ１がターンオンする。そして、時刻ｂの直後（ここでは、時刻ｂにおける信号の電位の変化によってサイリスタなどの変化が生じた後、定常状態になったときをいう。）において、転送サイリスタＴ１がオン状態にある。他の転送サイリスタＴおよび発光サイリスタＬはオフ状態にある。
なお、以下では、オン状態にあるサイリスタ（転送サイリスタＴ、発光サイリスタＬ）を説明し、オフ状態にあるサイリスタ（転送サイリスタＴ、発光サイリスタＬ）の説明を省略する。
【０１４９】
以上説明したように、転送サイリスタＴのゲート端子Ｇｔは結合ダイオードＤｘによって相互に接続されている。よって、ゲート端子Ｇｔの電位が変化すると、電位が変化したゲート端子Ｇｔに、順バイアスの結合ダイオードＤｘを介して接続されたゲート端子Ｇｔの電位が変化する。そして、変化したゲート端子を有する転送サイリスタＴのしきい電圧が変化する。そして、しきい電圧が転送信号（第１転送信号φ１または第２転送信号φ２）の「Ｌ」（−３．３Ｖ）より高く（絶対値が小さい負の値）なると、転送サイリスタＴがターンオンする。
【０１５０】
さらに具体的に説明する。電位が「Ｈ」（０Ｖ）になったゲート端子Ｇｔと、順バイアスの１個の結合ダイオードＤｘで接続されたゲート端子Ｇｔの電位は−１．５Ｖになり、そのゲート端子Ｇｔを有する転送サイリスタＴのしきい電圧は−３Ｖになる。このしきい電圧は転送信号の「Ｌ」（−３．３Ｖ）より高いので、転送サイリスタＴがターンオンする。
一方、電位が「Ｈ」（０Ｖ）になったゲート端子Ｇｔと、直列に接続された順バイアスの２個の結合ダイオードＤｘで接続されたゲート端子Ｇｔの電位は−３Ｖになり、そのゲート端子Ｇｔを有する転送サイリスタＴのしきい電圧は−４．５Ｖになる。このしきい電圧である−４．５Ｖは転送信号の「Ｌ」（−３．３Ｖ）より低い（絶対値が大きい負の値）ため、この転送サイリスタＴはターンオンできず、オフ状態を維持する。
【０１５１】
（３）時刻ｃ
時刻ｃにおいて、発光チップＣ１に送信される書込信号φＷ１（表１のφＷ（Ｐ））が、「Ｈ」（０Ｖ）から「Ｌ」（−３．３Ｖ）に移行する。
まず、奇数番号の許可ダイオードＤｅ１、Ｄｅ３、…および発光サイリスタＬ１、Ｌ３、…について説明する。奇数番号の許可ダイオードＤｅ１、Ｄｅ３、…のカソード端子が接続された第１許可信号線７６−１の第１許可信号φＥ１（表１のφＥ）は「Ｈ」（０Ｖ）である。
ゲート端子Ｇｔ１の電位（表１のＧｔ）は「Ｈ」（０Ｖ）であるので、表１の場合２に該当する。よって、発光サイリスタＬ１のしきい電圧は−１．５Ｖである。ゲート端子Ｇｔ３の電位（表１のＧｔ）は−３Ｖであるので、表１の場合１４に該当する。そして、番号が５以上の奇数番号のゲート端子Ｇｔの電位（表１のＧｔ）は「Ｌ」（−３．３Ｖ）であるので、表１の場合６に該当する。よって、番号が３以上の奇数番号の発光サイリスタＬのしきい電圧は−４．８Ｖである。
第１点灯信号線７５−１の電位を設定する第１点灯信号φＩ１は「Ｌｅ」（−３Ｖ＜「Ｌｅ」≦−１．５Ｖ）であるので、発光サイリスタＬ１がターンオンして、点灯（発光）する。番号が３以上の奇数番号の発光サイリスタＬはターンオンできない。そして、第１点灯信号線７５−１の電位は、オン状態の発光サイリスタＬ１により、アノード端子の電位（「Ｈ」（０Ｖ））からｐｎ接合の順方向電位Ｖｄ（１．５Ｖ）を引いた−１．５Ｖになる。
【０１５２】
次に、偶数番号の許可ダイオードＤｅ２、Ｄｅ４、…および発光サイリスタＬ２、Ｌ４、…について説明する。偶数番号の許可ダイオードＤｅ２、Ｄｅ４、…のカソード端子が接続された第２許可信号線７６−２の第２許可信号φＥ２（表１のφＥ）は「Ｌ」（−３．３Ｖ）である。
ゲート端子Ｇｔ２の電位（表１のＧｔ）は−１．５Ｖであるので、表１の場合１２に該当する。そして、番号が４以上の偶数番号のゲート端子Ｇｔの電位（表１のＧｔ）は「Ｌ」（−３．３Ｖ）であるので、表１の場合８に該当する。よって、偶数番号の発光サイリスタＬのしきい電圧も−４．８Ｖである。
第２点灯信号線７５−２の電位を設定する第２点灯信号φＩ２は−０．５Ｖであるので、偶数番号の発光サイリスタＬはターンオンできない。
よって、時刻ｃの直後においては、転送サイリスタＴ１がオン状態にあって、発光サイリスタＬ１がオン状態で点灯（発光）している。
【０１５３】
（４）時刻ｄ
時刻ｄにおいて、発光チップＣ１に送信される書込信号φＷ１（表１のφＷ（Ｐ））が、「Ｌ」（−３．３Ｖ）から「Ｈ」（０Ｖ）に移行する。
まず、奇数番号の許可ダイオードＤｅ１、Ｄｅ３、…および発光サイリスタＬ１、Ｌ３、…について説明する。奇数番号の許可ダイオードＤｅ１、Ｄｅ３、…のカソード端子が接続された第１許可信号線７６−１の第１許可信号φＥ１（表１のφＥ）は「Ｈ」（０Ｖ）である。
奇数番号の発光サイリスタＬのしきい電圧は、時刻ｂの直後の値になる。すなわち、ゲート端子Ｇｔ１の電位（表１のＧｔ）は０Ｖであるので、表１の場合１に該当し、発光サイリスタＬ１のしきい電圧は−１．５Ｖから−４．８Ｖに戻る。ゲート端子Ｇｔ３の電位（表１のＧｔ）は−３Ｖであるので、表１の場合１２に該当する。そして、番号が５以上の奇数番号のゲート端子Ｇｔの電位（表１のＧｔ）は「Ｌ」（−３．３Ｖ）であるので、表１の場合５に該当する。よって、番号が５以上の奇数番号の発光サイリスタＬのしきい電圧は−４．８Ｖである。
ただし、第１点灯信号線７５−１には、「Ｌｅ」（−３Ｖ＜「Ｌｅ」≦−１．５Ｖ）に設定された点灯電位Ｖｉから電流が供給されるので、発光サイリスタＬ１はオン状態が維持される。そして、第１点灯信号線７５−１（第１点灯信号φＩ１）は−１．５Ｖに維持されている。他の奇数番号の発光サイリスタＬはターンオンできず、オフ状態である。
【０１５４】
次に、偶数番号の許可ダイオードＤｅ２、Ｄｅ４、…および発光サイリスタＬ２、Ｌ４、…について説明する。偶偶数番号の許可ダイオードＤｅ２、Ｄｅ４、…のカソード端子が接続された第２許可信号線７６−２の第２許可信号φＥ２（表１のφＥ）は「Ｌ」（−３．３Ｖ）である。
偶数番号の発光サイリスタＬのしきい電圧は、時刻ｂの直後の状態に戻る。すなわち、ゲート端子Ｇｔ２の電位（表１のＧｔ）は−１．５Ｖであるので、表１の場合１１に該当する。そして、番号が４以上の奇数番号のゲート端子Ｇｔの電位（表１のＧｔ）は「Ｌ」（−３．３Ｖ）であるので、表１の場合７に該当する。よって、偶数番号の発光サイリスタＬのしきい電圧は−４．８Ｖである。
第２点灯信号線７５−２の電位を設定する第２点灯信号φＩ２は−０．５Ｖであるので、偶数番号の発光サイリスタＬはターンオンできない。
よって、時刻ｄの直後においては、転送サイリスタＴ１がオン状態にあって、発光サイリスタＬ１がオン状態で点灯（発光）している。
【０１５５】
（５）時刻ｅ
時刻ｅにおいて、第２転送信号φ２が、「Ｈ」（０Ｖ）から「Ｌ」（−３．３Ｖ）に移行する。そして、第１許可信号φＥ１が「Ｈ」（０Ｖ）から「Ｌ」（−３．３Ｖ）に移行する。
【０１５６】
しきい電圧が−３Ｖである転送サイリスタＴ２がターンオンする。しかし、転送サイリスタＴ４以降の番号の大きい偶数番号の転送サイリスタＴは、しきい電圧が−４．８Ｖであるので、ターンオンできない。
【０１５７】
転送サイリスタＴ２がターンオンすると、ゲート端子Ｇｔ２は「Ｈ」（０Ｖ）になる。すると、ゲート端子Ｇｔ２に結合ダイオードＤｘ２を介して接続されたゲート端子Ｇｔ３の電位は−１．５Ｖに、ゲート端子Ｇｔ３に結合ダイオードＤｘ３を介して接続されたゲート端子Ｇｔ４の電位は−３Ｖになる。これにより、転送サイリスタＴ３のしきい電圧は−３Ｖになる。番号が５以上の転送サイリスタＴのしきい電圧は−４．８Ｖで変わらない。
そして、第２転送信号線７３の電位は、転送サイリスタＴのアノード端子の「Ｈ」（０Ｖ）からｐｎ接合の順方向電位Ｖｄ（１．５Ｖ）を引いた−１．５Ｖになる。
【０１５８】
第１許可信号φＥ１の「Ｈ」（０Ｖ）から「Ｌ」（−３．３Ｖ）への移行により、許可信号設定部１７０は、第２許可信号φＥ２（表１のφＥ）を第１許可信号φＥ１と反転した「Ｈ」（０Ｖ）に設定する。
そして、点灯信号設定部１６０は、第２転送信号φ２の「Ｈ」（０Ｖ）から「Ｌ」（−３．３Ｖ）への移行により、第２点灯信号φＩ２を−０．５Ｖから「Ｌｅ」（−３Ｖ＜「Ｌｅ」≦−１．５Ｖ）に設定する。
なお、書込信号φＷ１（表１のφＷ（Ｐ））は、「Ｈ」（０Ｖ）を維持している。
【０１５９】
まず、奇数番号の許可ダイオードＤｅ１、Ｄｅ３、…および発光サイリスタＬ１、Ｌ３、…について説明する。第１許可信号φＥ１（表１のφＥ）は「Ｌ」（−３．３Ｖ）であり、書込信号φＷ１（表１のφＷ（Ｐ））は「Ｈ」（０Ｖ）である。
ゲート端子Ｇｔ１の電位（表１のＧｔ）は「Ｈ」（０Ｖ）であるので、表１の場合３に該当する。ゲート端子Ｇｔ３の電位（表１のＧｔ）は−１．５Ｖであるので、表１の場合１１に該当する。番号が５以上の奇数番号のゲート端子Ｇｔの電位（表１のＧｔ）は「Ｌ」（−３．３Ｖ）であるので、表１の場合７に該当する。よって、奇数番号の発光サイリスタＬのしきい電圧は−４．８Ｖである。
ただし、第１点灯信号線７５−１には、「Ｌｅ」（−３Ｖ＜「Ｌｅ」≦−１．５Ｖ）に設定された点灯電位Ｖｉから電流が供給されるので、発光サイリスタＬ１はオン状態が維持される。そして、第１点灯信号線７５−１（第１点灯信号φＩ１）は−１．５Ｖに維持されている。
他の奇数番号の発光サイリスタＬはターンオンできない。
【０１６０】
次に、偶数番号の許可ダイオードＤｅ２、Ｄｅ４、…および発光サイリスタＬ２、Ｌ４、…について説明する。第２許可信号φＥ２（表１のφＥ）は「Ｈ」（０Ｖ）であり、書込信号φＷ１（表１のφＷ（Ｐ））は「Ｈ」（０Ｖ）である。
ゲート端子Ｇｔ２の電位（表１のＧｔ）は０Ｖであるので、表１の場合１に該当する。ゲート端子Ｇｔ４の電位（表１のＧｔ）は−３Ｖであるので、表１の場合１３に該当する。番号が６以上の偶数番号のゲート端子Ｇｔの電位（表１のＧｔ）は「Ｌ」（−３．３Ｖ）であるので、表１の場合５に該当する。よって、偶数番号の発光サイリスタＬのしきい電圧は−４．８Ｖである。
第２点灯信号線７５−２の電位を設定する第２点灯信号φＩ２は「Ｌｅ」（−３Ｖ＜「Ｌｅ」≦−１．５Ｖ）であっても、偶数番号の発光サイリスタＬはターンオンできない。
よって、時刻ｅの直後においては、転送サイリスタＴ１およびＴ２がオン状態にあって、発光サイリスタＬ１がオン状態で点灯（発光）している。
【０１６１】
（６）時刻ｆ
時刻ｆにおいて、発光チップＣ１に送信される書込信号φＷ１（表１中のφＷ）が、「Ｈ」（０Ｖ）から「Ｌ」（−３．３Ｖ）に移行する。
まず、奇数番号の許可ダイオードＤｅ１、Ｄｅ３、…および発光サイリスタＬ１、Ｌ３、…について説明する。第１許可信号φＥ１（表１のφＥ）は「Ｌ」（−３．３Ｖ）であり、書込信号φＷ１（表１のφＷ（Ｐ））は「Ｌ」（−３．３Ｖ）である。
ゲート端子Ｇｔ１の電位（表１のＧｔ）は「Ｈ」（０Ｖ）であるので、表１の場合４に該当する。ゲート端子Ｇｔ３の電位（表１のＧｔ）は−１．５Ｖであるので、表１の場合１２に該当する。そして、番号が５以上の奇数番号のゲート端子Ｇｔの電位（表１のＧｔ）は「Ｌ」（−３．３Ｖ）であるので、表１の場合８に該当する。奇数番号の発光サイリスタＬのしきい電圧は−４．８Ｖである。
ただし、第１点灯信号線７５−１には、「Ｌｅ」（−３Ｖ＜「Ｌｅ」≦−１．５Ｖ）に設定された点灯電位Ｖｉから電流が供給されるので、発光サイリスタＬ１はオン状態が維持される。そして、第１点灯信号線７５−１（第１点灯信号φＩ１）は−１．５Ｖに維持されている。
他の奇数番号の発光サイリスタＬはターンオンできない。
【０１６２】
次に、偶数番号の許可ダイオードＤｅ２、Ｄｅ４、…および発光サイリスタＬ２、Ｌ４、…について説明する。第２許可信号φＥ２（表１のφＥ）は「Ｈ」（０Ｖ）であり、書込信号φＷ１（表１のφＷ（Ｐ））は「Ｌ」（−３．３Ｖ）である。
ゲート端子Ｇｔ２の電位（表１のＧｔ）は０Ｖであるので、表１の場合２に該当し、発光サイリスタＬ２のしきい電圧は−４．８Ｖから−１．５Ｖになる。ゲート端子Ｇｔ４の電位（表１のＧｔ）は−３Ｖであるので、表１の場合１４に該当する。番号が６以上の偶数番号のゲート端子Ｇｔの電位（表１のＧｔ）は「Ｌ」（−３．３Ｖ）であるので、表１の場合６に該当する。よって、番号が４以上の偶数番号の発光サイリスタＬのしきい電圧は−４．８Ｖである。
第２点灯信号線７５−２の電位を設定する第２点灯信号φＩ２は「Ｌｅ」（−３Ｖ＜「Ｌｅ」≦−１．５Ｖ）であるので、しきい電圧が−１．５Ｖの発光サイリスタＬ２がターンオンして、点灯（発光）する。なお、他の偶数番号の発光サイリスタＬはターンオンできない。そして、第２点灯信号線７５−２の電位は、オン状態の発光サイリスタＬ２により、アノード端子の電位（「Ｈ」（０Ｖ））からｐｎ接合の順方向電位Ｖｄ（１．５Ｖ）を引いた−１．５Ｖになる。
時刻ｆの直後においては、転送サイリスタＴ１およびＴ２がオン状態にあって、発光サイリスタＬ１およびＬ２がともにオン状態で、並行して点灯（発光）している。
【０１６３】
（７）時刻ｇ
時刻ｇにおいて、発光チップＣ１に送信される書込信号φＷ１が、「Ｌ」（−３．３Ｖ）から「Ｈ」（０Ｖ）に移行する。
発光サイリスタＬのしきい電圧は、時刻ｅの直後の状態に戻る。よって、詳細な説明を省略する。
ただし、第１点灯信号線７５−１には、「Ｌｅ」（−３Ｖ＜「Ｌｅ」≦−１．５Ｖ）に設定された点灯電位Ｖｉから電流が供給されるので、発光サイリスタＬ１はオン状態が維持される。そして、第１点灯信号線７５−１（第１点灯信号φＩ１）は−１．５Ｖに維持されている。
同様に、第２点灯信号線７５−２には、「Ｌｅ」（−３Ｖ＜「Ｌｅ」≦−１．５Ｖ）に設定された点灯電位Ｖｉから電流が供給されるので、発光サイリスタＬ２はオン状態が維持される。そして、第２点灯信号線７５−２（第２点灯信号φＩ２）は−１．５Ｖに維持されている。
他の発光サイリスタＬはターンオンできない。
時刻ｇの直後においては、転送サイリスタＴ１およびＴ２がオン状態にあって、発光サイリスタＬ１およびＬ２がともにオン状態で、並行して点灯（発光）している。
【０１６４】
（８）時刻ｈ
時刻ｈにおいて、第１転送信号φ１が「Ｌ」（−３．３Ｖ）から「Ｈ」（０Ｖ）に移行する。
第１転送信号φ１が「Ｌ」（−３．３Ｖ）から「Ｈ」（０Ｖ）に移行すると、オン状態であった転送サイリスタＴ１のカソード端子の電位が、アノード端子の電位（「Ｈ」（０Ｖ））になるので、転送サイリスタＴ１がターンオフする。すると、ゲート端子Ｇｔ１の電位が電源線抵抗Ｒｇｘ１を介して「Ｌ」（−３．３Ｖ）に向かって変化する。これにより、結合ダイオードＤｘ１が逆バイアスになり、ゲート端子Ｇｔ２が「Ｈ」（０Ｖ）である影響は、ゲート端子Ｇｔ１に及ばない。すなわち、「Ｈ」（０Ｖ）のゲート端子Ｇｔに逆バイアスの結合ダイオードＤｘに接続されたゲート端子Ｇｔには、「Ｈ」（０Ｖ）となった影響が及ばない。
そして、点灯信号設定部１６０は、第１転送信号φ１の「Ｌ」（−３．３Ｖ）から「Ｈ」（０Ｖ）への移行にともなって、第１点灯信号φＩ１（第１点灯信号線７５−１）を−１．５Ｖから−０．５Ｖへと移行させる。
【０１６５】
まず、奇数番号の許可ダイオードＤｅ１、Ｄｅ３、…および発光サイリスタＬ１、Ｌ３、…について説明する。第１許可信号φＥ１（表１のφＥ）は「Ｌ」（−３．３Ｖ）であり、書込信号φＷ１（表１のφＷ（Ｐ））は「Ｈ」（０Ｖ）である。
ゲート端子Ｇｔ１の電位（表１のＧｔ）は「Ｌ」（−３．３Ｖ）になるので、表１の場合７に該当する。ゲート端子Ｇｔ３の電位（表１のＧｔ）は−１．５Ｖであるので、表１の場合１１に該当する。そして、番号が５以上の奇数番号のゲート端子Ｇｔの電位（表１のＧｔ）は「Ｌ」（−３．３Ｖ）であるので、表１の場合７に該当する。よって、奇数番号の発光サイリスタＬのしきい電圧は−４．８Ｖである。
【０１６６】
そして、第１点灯信号φＩ１（第１点灯信号線７５−１）がオン状態を維持しうる電位である−１．５Ｖより高い−０．５Ｖになることにより、発光サイリスタＬ１はもはやオン状態を維持することができず、ターンオフして消灯する。他の奇数番号の発光サイリスタＬもオフ状態である。
【０１６７】
次に、偶数番号の許可ダイオードＤｅ２、Ｄｅ４、…および発光サイリスタＬ２、Ｌ４、…について説明する。第２許可信号φＥ２（表１のφＥ）は「Ｈ」（０Ｖ）であり、書込信号φＷ１（表１のφＷ（Ｐ））は「Ｈ」（０Ｖ）である。
偶数番号のゲート端子Ｇｔの電位および偶数番号の発光サイリスタＬのしきい電圧は時刻ｇ（時刻ｅ）の場合と同じである。
ただし、第２点灯信号線７５−２には、「Ｌｅ」（−３Ｖ＜「Ｌｅ」≦−１．５Ｖ）に設定された点灯電位Ｖｉから電流が供給されるので、発光サイリスタＬ２はオン状態が維持される。そして、第２点灯信号線７５−２（第２点灯信号φＩ２）は−１．５Ｖに維持されている。
時刻ｈの直後においては、転送サイリスタＴ２がオン状態にあって、発光サイリスタＬ２がオン状態で、点灯（発光）している。
【０１６８】
（９）時刻ｉ
時刻ｉにおいて、時刻ｂと同様に、第１転送信号φ１を「Ｈ」（０Ｖ）から「Ｌ」（−３．３Ｖ）に移行させる。そして、第１許可信号φＥ１を「Ｌ」（−３．３Ｖ）から「Ｈ」（０Ｖ）に移行させる。
第１転送信号φ１が「Ｌ」（−３．３Ｖ）から「Ｈ」（０Ｖ）に移行すると、しきい電圧が−３Ｖになっていた転送サイリスタＴ３がターンオンする。これにより、ゲート端子Ｇｔ３が「Ｈ」（０Ｖ）に、転送サイリスタＴ４のゲート端子Ｇｔ４が−１．５Ｖに、転送サイリスタＴ５のゲート端子Ｇｔ５が−３Ｖになる。
そして、第１転送信号φ１の「Ｈ」（０Ｖ）から「Ｌ」（−３．３Ｖ）への移行により、点灯信号設定部１６０は、第１点灯信号φＩ１を−０．５Ｖから「Ｌｅ」（−３Ｖ＜「Ｌｅ」≦−１．５Ｖ）へ移行させる。これにより、第１点灯信号線７５−１の電位が再び「Ｌｅ」になる。
【０１６９】
第１許可信号φＥ１を「Ｌ」（−３．３Ｖ）から「Ｈ」（０Ｖ）に移行すると、許可信号設定部１７０により、第２許可信号φＥ２が「Ｈ」（０Ｖ）から「Ｌ」（−３．３Ｖ）に移行する。
【０１７０】
まず、奇数番号の許可ダイオードＤｅ１、Ｄｅ３、…および発光サイリスタＬ１、Ｌ３、…について説明する。第１許可信号φＥ１（表１のφＥ）は「Ｈ」（０Ｖ）であり、書込信号φＷ１（表１のφＷ（Ｐ））は「Ｈ」（０Ｖ）である。
ゲート端子Ｇｔ１の電位（表１のＧｔ）は「Ｌ」（−３．３Ｖ）であるので、表１の場合５に該当する。ゲート端子Ｇｔ３の電位（表１のＧｔ）は「Ｈ」（０Ｖ）であるので、表１の場合１に該当する。そして、ゲート端子Ｇｔ５（表１のＧｔ）の電位は−３Ｖであるので、表１の場合１３に該当する。よって、奇数番号のゲート端子Ｇｔの電位（表１のＧｔ）は「Ｌ」（−３．３Ｖ）であるので、番号が５以上の奇数番号の発光サイリスタＬのしきい電圧は−４．８Ｖである。
第１点灯信号線７５−１（第１点灯信号φＩ１）の電位が「Ｌｅ」（−３Ｖ＜「Ｌｅ」≦−１．５Ｖ）であっても、いずれの奇数番号の発光サイリスタＬもターンオンできない。
【０１７１】
次に、偶数番号の許可ダイオードＤｅ２、Ｄｅ４、…および発光サイリスタＬ２、Ｌ４、…について説明する。第２許可信号φＥ２（表１のφＥ）は「Ｌ」（−３．３Ｖ）であり、書込信号φＷ１（表１のφＷ（Ｐ））は「Ｈ」（０Ｖ）である。
ゲート端子Ｇｔ２の電位（表１のＧｔ）は「Ｈ」（０Ｖ）であるので、表１の場合３に該当する。ゲート端子Ｇｔ４の電位（表１のＧｔ）は−１．５Ｖであるので、表１の場合１１に該当する。番号が６以上の奇数番号のゲート端子Ｇｔの電位（表１のＧｔ）は「Ｌ」（−３．３Ｖ）であるので、場合７に該当する。よって、偶数番号の発光サイリスタＬのしきい電圧は−４．８Ｖである。
ただし、第２点灯信号線７５−２には、「Ｌｅ」（−３Ｖ＜「Ｌｅ」≦−１．５Ｖ）に設定された点灯電位Ｖｉから電流が供給されるので、発光サイリスタＬ２はオン状態が維持される。そして、第２点灯信号線７５−２（第２点灯信号φＩ２）は−１．５Ｖに維持されている。４以上の番号の偶数番号の発光サイリスタＬはターンオンできない。
時刻ｉの直後においては、転送サイリスタＴ２、Ｔ３がオン状態にあって、発光サイリスタＬ２がオン状態で点灯（発光）している。
【０１７２】
（１０）時刻ｊ
時刻ｊにおいて、発光チップＣ１に送信される書込信号φＷ１（表１中のφＷ）が、「Ｈ」（０Ｖ）から「Ｌ」（−３．３Ｖ）に移行する。
まず、奇数番号の許可ダイオードＤｅ１、Ｄｅ３、…および発光サイリスタＬ１、Ｌ３、…について説明する。第１許可信号φＥ１（表１のφＥ）は「Ｈ」（０Ｖ）である。
ゲート端子Ｇｔ１の電位（表１のＧｔ）は「Ｌ」（−３．３Ｖ）であるので、表１の場合６に該当する。ゲート端子Ｇｔ３の電位（表１のＧｔ）は「Ｈ」（０Ｖ）であるので、表１の場合２に該当し、発光サイリスタＬ３のしきい電圧は−１．５Ｖである。ゲート端子Ｇｔ５の電位（表１のＧｔ）は、−３Ｖであるので、表１の場合１４に該当する。そして、番号が７以上の奇数番号のゲート端子Ｇｔの電位（表１のＧｔ）は「Ｌ」（−３．３Ｖ）であるので、表１の場合６に該当する。よって、番号が３以外の奇数番号の発光サイリスタＬのしきい電圧は−４．８Ｖである。
このとき、第１点灯信号線７５−１の電位は、「Ｌｅ」（−３Ｖ＜「Ｌｅ」≦−１．５Ｖ）であるので、発光サイリスタＬ３がターンオンして、点灯（発光）する。
【０１７３】
次に、偶数番号の許可ダイオードＤｅ２、Ｄｅ４、…および発光サイリスタＬ２、Ｌ４、…について説明する。第２許可信号φＥ２（表１のφＥ）および書込信号φＷ１（表１のφＷ（Ｐ））はともに「Ｌ」（−３．３Ｖ）である。
ゲート端子Ｇｔ２の電位（表１のＧｔ）は０Ｖであるので、表１の場合４に該当する。ゲート端子Ｇｔ４の電位（表１のＧｔ）は−１．５Ｖであるので、表１の場合１２に該当する。番号が６以上の偶数番号のゲート端子Ｇｔの電位（表１のＧｔ）は「Ｌ」（−３．３Ｖ）であるので、表１の場合８に該当する。よって、偶数番号の発光サイリスタＬのしきい電圧も−４．８Ｖである。
ただし、第２点灯信号線７５−２には、「Ｌｅ」（−３Ｖ＜「Ｌｅ」≦−１．５Ｖ）に設定された点灯電位Ｖｉから電流が供給されるので、発光サイリスタＬ２はオン状態が維持される。そして、第２点灯信号線７５−２（第２点灯信号φＩ２）は−１．５Ｖに維持されている。４以上の番号の偶数番号の発光サイリスタＬはターンオンできない。
時刻ｊの直後においては、転送サイリスタＴ２、Ｔ３がオン状態にあって、発光サイリスタＬ２、Ｌ３がともにオン状態で、並行して点灯（発光）している。
【０１７４】
（１１）時刻ｋ
時刻ｋにおいて、第２転送信号φ２が「Ｌ」（−３．３Ｖ）から「Ｈ」（０Ｖ）に移行する。
すると、オン状態の転送サイリスタＴ２のアノード端子とカソード端子とがともに「Ｈ」（０Ｖ）になるので、ターンオフする。そして、ゲート端子Ｇｔ２が「Ｌ」（−３．３Ｖ）に向かって変化する。よって、転送サイリスタＴ２のしきい電圧が−４．８Ｖになる。
また、第２点灯信号線７５−２（第２点灯信号φＩ２）の電位は、点灯信号設定部１６０によって、−０．５Ｖに設定される。すると、時刻ｈでの発光サイリスタＬ１と同様に、オン状態の発光サイリスタＬ２はもはやオン状態を維持することができず、ターンオフして消灯する。
時刻ｋの直後においては、転送サイリスタＴ３がオン状態にあって、発光サイリスタＬ３がオン状態で点灯（発光）している。
【０１７５】
（１２）時刻ｌ
時刻ｌにおいて、第２転送信号φ２が「Ｈ」（０Ｖ）から「Ｌ」（−３．３Ｖ）に移行する。これにより、時刻ｅにおいて、発光サイリスタＬ２の点灯制御が開始されたと同様に、発光サイリスタＬ４の点灯制御がされる期間Ｔ（４）が開始する。
【０１７６】
（１３）その他
時刻ｍにおいて、発光サイリスタＬ３を点灯制御する期間Ｔ（３）が終了する。時刻ｎにおいて、発光サイリスタＬ４を点灯制御する期間Ｔ（４）が終了する。時刻ｐにおいて、発光サイリスタＬ５を点灯制御する期間Ｔ（５）が終了する。時刻ｑにおいて、発光サイリスタＬ６を点灯制御する期間Ｔ（６）が終了する。そして、時刻ｒにおいて、発光サイリスタＬ７を制御する期間Ｔ（７）が終了する。以下同様に、発光チップＣのすべての発光サイリスタＬの点灯制御を行う。
【０１７７】
以上説明した発光チップＣの動作をまとめて説明する。
はじめに転送サイリスタＴの動作を説明する。
第１の実施の形態における発光チップＣでは、転送サイリスタＴは２相の転送信号（第１転送信号φ１および第２転送信号φ２）により、オン状態が転送サイリスタ列を伝播するように駆動されている。
すなわち、２相の転送信号の内の一方の転送信号である第１転送信号φ１が「Ｈ」（０Ｖ）から「Ｌ」（−３．３Ｖ）になることにより、しきい電圧が−３Ｖの奇数番号の転送サイリスタＴ２Ｓ−１（Ｓ＞１の整数）がオン状態になる（転送サイリスタＴ２Ｓ−１がオン状態）。転送サイリスタＴ２Ｓ−１のゲート端子Ｇｔ２Ｓ−１が「Ｈ」（０Ｖ）になって、ゲート端子Ｇｔ２Ｓ−１と順バイアスの結合ダイオードＤｘ２Ｓ−１で接続された隣接する転送サイリスタＴ２Ｓのゲート端子Ｇｔ２Ｓの電位が−１．５Ｖになる。これにより、転送サイリスタＴ２Ｓは、しきい電圧が上昇（−４．５Ｖから−３Ｖ）し、他方の転送信号である第２転送信号φ２が「Ｈ」から「Ｌ」になるとオン状態になる（転送サイリスタＴ２Ｓ−１およびＴ２Ｓがオン状態）。次に、第１転送信号φ１が「Ｌ」から「Ｈ」になると、先にオン状態であった転送サイリスタＴ２Ｓ−１がオフ状態になる（転送サイリスタＴ２Ｓがオン状態）。次に、「Ｈ」となった第１転送信号φ１が再び「Ｌ」になると、上述したと同様にしてゲート端子Ｇｔ２Ｓ＋１が−１．５Ｖになり、しきい電圧が−３Ｖになっている転送サイリスタＴ２Ｓ＋１がオン状態になる（転送サイリスタＴ２ＳおよびＴ２Ｓ＋１がオン状態）。そして、他方の転送信号が「Ｌ」から「Ｈ」になると、先にオン状態であった転送サイリスタＴ２Ｓがオフ状態になる（転送サイリスタＴ２Ｓ＋１がオン状態）。
【０１７８】
２相の転送信号（第１転送信号φ１および第２転送信号φ２）は、いずれか一方が「Ｌ」の期間と、ともに「Ｌ」の期間（図８における時刻ｈから時刻ｉまでの期間）が交互に現れるように送信されている。
転送サイリスタＴは、順バイアスの結合ダイオードＤｘで接続された隣接する転送サイリスタＴが新たにオン状態になるようにして、１つの転送サイリスタＴがオン状態である期間と２つの転送サイリスタＴがオン状態である期間とを繰り返していく。そして、１つの転送サイリスタＴがオン状態にある期間は、２相の転送信号のいずれか一方が「Ｌ」の期間に対応し、２つの転送サイリスタＴがオン状態である期間は、２相の転送信号がともに「Ｌ」の期間に対応する。
すなわち、それぞれの転送サイリスタＴがオン状態になる（ターンオンする）タイミングは、時間軸上でずれている。
【０１７９】
そこで、本実施の形態では、２相の転送信号（第１転送信号φ１および第２転送信号φ２）に対応させて、第１転送信号φ１が「Ｈ」から「Ｌ」になることでオン状態になる奇数番号の転送サイリスタＴ２Ｓ−１に対応する発光サイリスタＬ２Ｓ−１に点灯電位Ｖｉを供給する第１点灯信号φＩ１と、第２転送信号φ２が「Ｈ」から「Ｌ」になることでオン状態になる偶数番号の転送サイリスタＴ２Ｓに対応する発光サイリスタＬ２Ｓに点灯電位Ｖｉを供給する第２点灯信号φＩ２とを設け、点灯信号設定部１６０により、転送信号（第１転送信号φ１または第２転送信号φ２）の「Ｈ」から「Ｌ」への移行に応じて、対応するφＩｎ（第１点灯信号φＩ１または第２点灯信号φＩ２の電位）を−０．５Ｖから「Ｌｅ」（−３Ｖ＜「Ｌｅ」≦−１．５Ｖ）に移行させている。
【０１８０】
前述したように、転送信号（第１転送信号φ１または第２転送信号φ２のいずれか）が「Ｈ」から「Ｌ」になると、転送サイリスタＴがオン状態になって、ゲート端子Ｇｔ（表１のＧｔ）が「Ｈ」（０Ｖ）になる。よって、表１の場合２に示したように、φＥｎ（第１許可信号φＥ１または第２許可信号φＥ２の電位）（表１のφＥ）が「Ｈ」（０Ｖ）で、書込信号φＷ（表１中のφＷ（Ｐ））が「Ｌ」であると、発光サイリスタＬのしきい電圧が−１．５Ｖに上昇する。このとき、対応するφＩｎは「Ｌｅ」（−３Ｖ＜「Ｌｅ」≦−１．５Ｖ）となっているので、しきい電圧が−１．５Ｖになった発光サイリスタＬがターンオンして、点灯（発光）する。
すなわち、転送サイリスタＴはオン状態になることによって、点灯制御の対象となる発光サイリスタＬを指定する。
【０１８１】
さて、上述したように、２つの転送サイリスタＴ（連続する奇数番号および偶数番号の２つの転送サイリスタＴまたは連続する偶数番号および奇数番号の２つの転送サイリスタＴ）がオン状態である期間がある。そこで、φＥｎとφＷ（Ｐ）とで、２つの転送サイリスタＴのいずれに対応する発光サイリスタＬを点灯させるかを設定している。
このため、本実施の形態では、奇数番号の転送サイリスタＴ２Ｓ−１（発光サイリスタＬ２Ｓ−１）に対応する許可ダイオードＤｅ２Ｓ−１に対して第１許可信号線７６−１を設け、第１許可信号φＥ１を送信し、偶数番号の転送サイリスタＴ２Ｓ（発光サイリスタＬ２Ｓ）に対応する許可ダイオードＤｅ２Ｓに対して第２許可信号線７６−２を設け、第１許可信号φＥ１から許可信号設定部１７０により反転した第２許可信号φＥ２を設定する。これにより、奇数番号の発光サイリスタＬ２Ｓ−１と偶数番号の発光サイリスタＬ２Ｓとを、個別に制御している。
なお、第１許可信号φＥ１と第２許可信号φＥ２とは反転した関係であるので、奇数番号の発光サイリスタＬ２Ｓ−１および偶数番号の発光サイリスタＬ２Ｓを時系列的に交互に点灯制御する。
そして、書込信号φＷは、第１許可信号φＥ１および第２許可信号φＥ２に対応して、点灯させる発光サイリスタＬを順に指定するように、時系列的に「Ｌ」となる複数の期間が設定される。
【０１８２】
なお、発光サイリスタＬが点灯（発光）している点灯期間は、φＥｎが「Ｈ」で書込信号φＷが「Ｈ」から「Ｌ」になるタイミング（時刻）から、点灯信号φＩｎが−１．５Ｖから−０．５Ｖになるタイミング（時刻）（図８における時刻ｃから時刻ｈ）までとなる。
【０１８３】
以上説明したように、φＥｎが「Ｈ」である発光チップＣでは、φＷ（Ｐ）の「Ｈ」から「Ｌ」へ移行により、発光サイリスタＬがターンオンして点灯（発光）する。
一方、φＥｎが「Ｌ」の場合は半選択の状態であって、φＷ（Ｐ）が「Ｌ」になっても、発光サイリスタＬのしきい電圧は−４．８Ｖであって、ターンオンできず、点灯（発光）が阻止される（表１の場合４）。
【０１８４】
また、φＥｎが「Ｈ」の場合、φＷ（Ｐ）が「Ｈ」であれば、（表１の場合１）、半選択の状態で、発光サイリスタＬのしきい電圧が−４．８Ｖであって、ターンオンできず、点灯（発光）が阻止される。
よって、本実施の形態では、φＥｎを「Ｈ」に設定（例えば、図８の時刻ｂ）した後、φＷ（Ｐ）を「Ｈ」から「Ｌ」にする（例えば、図８の時刻ｃ）ことで、発光サイリスタＬをターンオンさせたが、書込信号φＷを「Ｌ」に設定したのち、φＥｎを「Ｌ」から「Ｈ」にすることで、発光サイリスタＬをターンオンさせてもよい。
すなわち、許可ダイオードＤｅは、点灯制御の対象として指定された発光素子の点灯を許可または阻止のいずれか一方に設定している。そして、ダイオードスイッチＤｓは、点灯制御の対象として指定された発光素子を点灯または非点灯に設定している。
【０１８５】
そして、本実施の形態では、第１許可信号φＥ１および第２許可信号φＥ２が「Ｈ」である期間を時系列的に期間Ｔに対して、１／２の期間として設けると、書込信号φＷに設けた２つの「Ｌ」の期間を設定するための期間の幅（マージン）が最大になる。
【０１８６】
次に、発光サイリスタＬを点灯させない場合について説明する。表１の場合２に示したように、転送サイリスタＴがオン状態になってゲート端子Ｇｔの電位（表１のＧｔ）が「Ｈ」（０Ｖ）になって、許可信号φＥｎ（第１許可信号φＥ１または第２許可信号φＥ２）（表１のφＥ）が「Ｈ」（０Ｖ）で、書込信号φＷ（表１中のφＷ（Ｐ））が「Ｌ」であると、発光サイリスタＬのしきい電圧が−１．５Ｖに上昇する。これにより、発光サイリスタＬがターンオンして点灯（発光）する。
よって、転送サイリスタＴがオン状態になってゲート端子Ｇｔの電位（表１のＧｔ）が「Ｈ」（０Ｖ）になっても、許可信号φＥｎ（表１のφＥ）が「Ｌ」で、書込信号φＷ（表１中のφＷ（Ｐ））が「Ｌ」である表１の場合４、または、許可信号φＥｎ（表１のφＥ）が「Ｈ」で、書込信号φＷ（表１中のφＷ（Ｐ））が「Ｈ」である表１の場合１のいずれかの半選択にすれば、発光サイリスタＬは点灯しない。
【０１８７】
本実施の形態では、図８に示すように、許可信号φＥを「Ｈ」の期間と「Ｌ」の期間とが時系列的に繰り返す波形としている。よって、本実施の形態では、書込信号φＷを「Ｈ」に維持することで、発光サイリスタＬを点灯しないようにしている。例えば、発光サイリスタＬ６を点灯させるとき、図８の時刻ｏにおいて、書込信号φＷを、「Ｈ」から「Ｌ」に移行させることが必要となる。しかし、図８では、時刻ｏにおいて、書込信号φＷを「Ｈ」のまま維持することで、発光サイリスタＬ６をターンオンさせず、消灯（非点灯）のままとしている。
このように、画像データに応じて、書込信号φＷの「Ｌ」の期間を設定することで、各発光サイリスタＬの点灯または非点灯を制御できる。
【０１８８】
発光サイリスタＬの光量は、製造条件のばらつきなどにより、発光チップＣ間、発光サイリスタＬ間で異なることがある。発光サイリスタＬの光量の補正（光量補正）には、発光サイリスタＬに流す電流を調整して行う方法と、発光サイリスタＬの点灯期間を調整して行う方法とがある。よって、書込信号φＷを「Ｌ」に設定する時刻を時間軸上で前後にずらすことで、発光サイリスタＬの点灯期間が変えられるので、点灯期間を変えることで、発光サイリスタＬの光量を補正してもよい。
【０１８９】
以上説明したように、第１の実施の形態では、例えば図８の時刻ｆから時刻ｈの期間のように、１つの発光チップＣにおいて、２つの発光サイリスタＬを並行して点灯（発光）させている。これにより、１つの発光サイリスタＬを順に点灯（発光）させる場合に比べ、発光装置６５の露光の速度を大きくしている。
しかも、本実施の形態では、発光チップＣ内において、許可信号設定部１７０により、第１許可信号φＥ１から反転した第２許可信号φＥ２を設定するとともに、同様に発光チップＣ内において、単一の点灯電位Ｖｉから第１点灯信号φＩ１および第２点灯信号φＩ２を設定している。このことから、発光装置６５の回路基板６２上の配線（ライン）の数を抑制しうる。
【０１９０】
［第２の実施の形態］
第２の実施の形態では、発光チップＣの点灯信号設定部１６０の構成が、第１の実施の形態と異なっている。
第１の実施の形態では、図５に示したように、φＩ端子に点灯電位Ｖｉが供給され、点灯信号設定部１６０が、点灯電位Ｖｉから第１点灯信号φＩ１および第２点灯信号φＩ２を設定していた。
図９は、第２の実施の形態における自己走査型発光素子アレイ（ＳＬＥＤ）である発光チップＣの回路構成を説明するための等価回路図である。第２の実施の形態では、点灯信号設定部１６０は、書込素子の一例としてのダイオードスイッチＤｓｉ１（制御ダイオードＤｒ２および抵抗Ｒｒ４を備える。）、書込素子の一例としてのダイオードスイッチＤｓｉ２（制御ダイオードＤｒ３および抵抗Ｒｒ６を備える。）、制御サイリスタＣｉ１、Ｃｉ２、電流制限抵抗Ｒｉ１、Ｒｉ２、Ｒｉ５、Ｒｉ６、Ｒｉ７、電源線抵抗Ｒｇｙ２、Ｒｇｙ３、抵抗Ｒｒ５、Ｒｒ７、結合ダイオードＤｃ１、Ｄｃ２を備えている。
なお、ダイオードスイッチＤｓｉ１およびＤｓｉ２は、前述したダイオードスイッチＤｓ、Ｄｓｒと同様に動作する。ダイオードスイッチＤｓｉ１およびＤｓｉ２は電気的な抵抗値が変化する素子の一例である。
発光チップＣの点灯信号設定部１６０を除く他の構成は、図５に示した第１の実施の形態と同じである。よって、同様のものには同じ符号を付して、詳細な説明を省略する。
【０１９１】
次に、点灯信号設定部１６０における接続関係を説明する。
制御サイリスタＣｉ１およびＣｉ２のアノード端子は、転送サイリスタＴ、発光サイリスタＬと同様に発光チップＣの基板８０に接続されている（図６参照）。
第１点灯信号線７５−１は、ダイオードスイッチＤｓｉ１を構成する抵抗Ｒｒ４の一方の端子に接続されている。抵抗Ｒｒ４の他方の端子は、Ｖｓｕｂ端子に接続されるとともに、制御ダイオードＤｒ２のアノード端子に接続されている。制御ダイオードＤｒ２のカソード端子は、抵抗Ｒｒ５の一方の端子に接続されている。抵抗Ｒｒ５の他方の端子は、制御サイリスタＣｉ１のゲート端子Ｇｃ１に接続されている。ゲート端子Ｇｃ１は電源線抵抗Ｒｇｙ２を介して電源電位Ｖｇａが供給される電源線７１に接続されている。
制御サイリスタＣｉ１のカソード端子は、電流制限抵抗Ｒｉ５を介して第１転送信号φ１が送信されるφ１端子に接続されている。
【０１９２】
同様に、第２点灯信号線７５−２は、ダイオードスイッチＤｓｉ２を構成する抵抗Ｒｒ６の一方の端子に接続されている。抵抗Ｒｒ６の他方の端子は、Ｖｓｕｂ端子に接続されるとともに、制御ダイオードＤｒ３のアノード端子に接続されている。制御ダイオードＤｒ３のカソード端子は、抵抗Ｒｒ７の一方の端子に接続されている。抵抗Ｒｒ７の他方の端子は、制御サイリスタＣｉ２のゲート端子Ｇｃ２に接続されている。ゲート端子Ｇｃ２は電源線抵抗Ｒｇｙ３を介して電源電位Ｖｇａが供給される電源線７１に接続されている。
制御サイリスタＣｉ２のカソード端子は、電流制限抵抗Ｒｉ６を介して第２転送信号φ２が送信されるφ２端子に接続されている。
【０１９３】
そして、制御サイリスタＣｉ１のゲート端子Ｇｃ１と、制御サイリスタＣｉ２のゲート端子Ｇｃ２とは、結合ダイオードＤｃ１で接続されている。結合ダイオードＤｃ１は、ゲート端子Ｇｃ１からゲート端子Ｇｃ２に電流が流れる方向に接続されている。
また、制御サイリスタＣｉ１のゲート端子Ｇｃ１と、制御サイリスタＣｉ２のゲート端子Ｇｃ２とは、結合ダイオードＤｃ２で接続されている。結合ダイオードＤｃ２は、結合ダイオードＤｃ１とは逆に、ゲート端子Ｇｃ２からゲート端子Ｇｃ１に電流が流れる方向に接続されている。
さらに、ゲート端子Ｇｃ１は電流制限抵抗Ｒｉ７を介して、第２転送信号φ２が送信されるφ２端子に接続されている。
【０１９４】
第２の実施の形態における発光チップＣは、第１の実施の形態において、図８に示したタイムチャートにしたがって動作する。
よって、第２の実施の形態における点灯信号設定部１６０の動作を、図８のタイムチャートを参照しつつ、図９により説明する。なお、点灯電位Ｖｉは、第１の実施の形態と同様に、「Ｌｅ」（−３Ｖ＜「Ｌｅ」≦−１．５Ｖ）であるとする。
【０１９５】
まず、時刻ａにおいて、第１転送信号φ１および第２転送信号φ２がともに「Ｈ」（０Ｖ）であるとする。
すると、第１転送信号φ１が送信されるφ１端子に接続された制御サイリスタＣｉ１のカソード端子および第１転送信号φ１が送信されるφ１端子に接続された制御サイリスタＣｉ２のカソード端子は「Ｈ」（０Ｖ）である。制御サイリスタＣｉ１およびＣｉ２のアノード端子は「Ｈ」（０Ｖ）であるので、制御サイリスタＣｉ１およびＣｉ２はオフ状態にある。
【０１９６】
一方、制御サイリスタＣｉ１のゲート端子Ｇｃ１は、電流制限抵抗Ｒｉ７を介して、「Ｈ」（０Ｖ）の第２転送信号線７３に接続されているので、ゲート端子Ｇｃ１の電位は「Ｈ」である。よって、制御サイリスタＣｉ１のしきい電圧は−１．５Ｖである。
結合ダイオードＤｃ１は、アノード端子（ゲート端子Ｇｃ１）の電位が「Ｈ」で、カソード端子（ゲート端子Ｇｃ２）が電源線抵抗Ｒｇｙ３を介して「Ｌ」（−３．３Ｖ）の電源線７１に接続されているので、順バイアスである。よって、ゲート端子Ｇｃ２の電位は−１．５Ｖで、制御サイリスタＣｉ２のしきい電圧は−３Ｖである。
なお、結合ダイオードＤｃ２は、アノード端子（ゲート端子Ｇｃ２）の電位が−１．５Ｖで、カソード端子（ゲート端子Ｇｃ１）の電位が「Ｈ」（０Ｖ）であるので、逆バイアスである。よって、ゲート端子Ｇｃ２の電位（−１．５Ｖ）は、ゲート端子Ｇｃ１の電位（「Ｈ」）に影響を及ぼさない。
【０１９７】
さて、ダイオードスイッチＤｓｉ１の制御ダイオードＤｒ２は、アノード端子が「Ｈ」（０Ｖ）が供給されるＶｓｕｂ端子に接続され、カソード端子が抵抗Ｒｒ５を介して、「Ｈ」のゲート端子Ｇｃ１に接続されている。よって、制御ダイオードＤｒ２は、アノード端子およびカソード端子の電位が同じ「Ｈ」であるので、順バイアスにならず、抵抗Ｒｒ４は抵抗値が大きい（∞）状態（図７（ｃ）の“書込ダイオードＤｗに電流を流さない場合”に相当）にある。よって、第１点灯信号線７５−１の電位（第１点灯信号φＩ１）は、電流制限抵抗Ｒｉ１を介して、φＩ端子に供給される点灯電位Ｖｉの「Ｌｅ」（−３Ｖ＜「Ｌｅ」≦−１．５Ｖ）に設定される。
【０１９８】
一方、ダイオードスイッチＤｓｉ２の制御ダイオードＤｒ３は、アノード端子が「Ｈ」（０Ｖ）が供給されるＶｓｕｂ端子に接続され、カソード端子が抵抗Ｒｒ７を介して、−１．５Ｖのゲート端子Ｇｃ２に接続されている。よって、制御ダイオードＤｒ３は、アノード端子の電位（「Ｈ」（０Ｖ））とカソード端子の電位（−１．５Ｖ）との差が、ｐｎ接合の順方向電位Ｖｄ（１．５Ｖ）と同じであるので、順バイアスになって、抵抗Ｒｒ６は抵抗値が小さい（０）状態（図７（ｃ）の“書込ダイオードＤｗに電流を流した場合”に相当）になる。よって、第２点灯信号線７５−２（第２点灯信号φＩ２）の電位は、Ｖｓｕｂ端子から供給される基準電位Ｖｓｕｂ（「Ｈ」（０Ｖ））に設定される。
すなわち、時刻ａにおいて、第１点灯信号φＩ１は「Ｌｅ」（−３Ｖ＜「Ｌｅ」≦−１．５Ｖ）、第２点灯信号φＩ２は「Ｈ」（０Ｖ）になっている。なお、この状態は、図８に示した時刻ａの状態と異なっている。
【０１９９】
次に、時刻ｂにおいて、第１転送信号φ１が「Ｈ」（０Ｖ）から「Ｌ」（−３．３Ｖ）に移行すると、しきい電圧が−１．５Ｖの制御サイリスタＣｉ１がターンオンする。これにより、ゲート端子Ｇｃ１の電位が「Ｈ」になる。しかし、ゲート端子Ｇｃ１はすでに「Ｈ」であったので、なんらの変化も生じない。
すなわち、時刻ｂにおいて、第１点灯信号φＩ１は「Ｌｅ」（−３Ｖ＜「Ｌｅ」≦−１．５Ｖ）、第２点灯信号φＩ２は「Ｈ」（０Ｖ）になっている。この状態を、図８に示した時刻ｂの状態と比較すると、図８の−０．５Ｖが「Ｈ」（０Ｖ）になっている。
【０２００】
さらに、時刻ｅにおいて、第２転送信号φ２が「Ｈ」（０Ｖ）から「Ｌ」（−３．３Ｖ）に移行する。すると、しきい電圧が−３Ｖであった制御サイリスタＣｉ２がターンオンする。そして、ゲート端子Ｇｃ２の電位が−１．５Ｖから「Ｈ」（０Ｖ）になる。すると、制御ダイオードＤｒ３のアノード端子とカソード端子（ゲート端子Ｇｃ２）とがともに「Ｈ」になるので、順バイアスにならず、抵抗Ｒｒ６は抵抗が低い（０）状態から高い（∞）状態になる。よって、第２点灯信号線７５−２（第２点灯信号φＩ２）の電位は、電流制限抵抗Ｒｉ２を介して、φＩ端子に供給される点灯電位Ｖｉ、すなわち「Ｌｅ」（−３Ｖ＜「Ｌｅ」≦−１．５Ｖ）になる。この状態は、図８に示した時刻ｅの状態と同じである。
なお、時刻ｅの直後においては、制御サイリスタＣｉ１およびＣｉ２がともにオン状態にある。よって、ゲート端子Ｇｃ１の電位は「Ｈ」（０Ｖ）で、ゲート端子Ｇｃ１に電流制限抵抗Ｒｉ７を介して接続されたφ２端子に送信される第２転送信号φ２は「Ｌ」（−３．３Ｖ）である。この電位差は、電流制限抵抗Ｒｉ７で保持され。さらに、ゲート端子Ｇｃ１およびＧｃ２の電位はともに「Ｈ」で、結合ダイオードＤｃ１およびＤｃ２はともにアノード端子およびカソード端子が「Ｈ」となっている。
【０２０１】
時刻ｈにおいて、第１転送信号φ１が「Ｌ」（−３．３Ｖ）から「Ｈ」（０Ｖ）に移行する。すると、オン状態であった制御サイリスタＣｉ１は、カソード端子の電位が、アノード端子の電位と同じ「Ｈ」になるので、ターンオフする。これにより、ゲート端子Ｇｃ１の電位は「Ｈ」から、電源線抵抗Ｒｇｙ１を介して、「Ｌ」（−３．３Ｖ）に向かって変化し始める。
このとき、ゲート端子Ｇｃ２はオン状態の制御サイリスタＣｉ２により「Ｈ」（０Ｖ）である。ゲート端子Ｇｃ１の電位が低下すると、結合ダイオードＤｃ２が順バイアスになり、ゲート端子Ｇｃ１の電位を、ゲート端子Ｇｃ２の電位（「Ｈ」（０Ｖ））から結合ダイオードＤｃ２の順方向電位Ｖｄ（１．５Ｖ）を引いた−１．５Ｖに設定する。これにより、制御サイリスタＣｉ１のしきい電圧が−３Ｖになる。
なお、ゲート端子Ｇｃ１は電流制限抵抗Ｒｉ７を介してφ２端子に接続されているので、φ２端子に送信される第２転送信号φ２が「Ｌ」（−３．３Ｖ）であっても、電流制限抵抗Ｒｉ７により、−１．５Ｖと、「Ｌ」（−３．３Ｖ）との電位差が保持される。
ゲート端子Ｇｃ１が−１．５Ｖになると、ダイオードスイッチＤｓｉ１の制御ダイオードＤｒ２が順バイアスになるので、抵抗Ｒｒ４は抵抗値の小さい状態になる。よって、第１点灯信号線７５−１（第１点灯信号φＩ１）の電位は、Ｖｓｕｂ端子に供給される基準電位Ｖｓｕｂ（「Ｈ」（０Ｖ））になる。この状態と、図８に示した時刻ｈの状態とを比較すると、第１点灯信号φＩ１の−０．５Ｖが「Ｈ」（０Ｖ）になっている。
【０２０２】
時刻ｉにおいて、第１転送信号φ１が「Ｈ」（０Ｖ）から「Ｌ」（−３．３Ｖ）に移行する。すると、しきい電圧が−３Ｖである制御サイリスタＣｉ１がターンオンする。そして、ゲート端子Ｇｃ１が「Ｈ」（０Ｖ）になる。すると、ダイオードスイッチＤｓｉ１の制御ダイオードＤｒ２が順バイアスにならなくなり、抵抗Ｒｒ４は抵抗値が高い（∞）状態になって、第１点灯信号線７５−１（第１点灯信号φＩ１）が「Ｌｅ」（−３Ｖ＜「Ｌｅ」≦−１．５Ｖ）になる。この状態は、図８の状態と同じである。
【０２０３】
そして、時刻ｋにおいて、第２転送信号φ２が「Ｌ」（−３．３Ｖ）から「Ｈ」（０Ｖ）に移行する。すると、時刻ｈでと同様に、オン状態であった制御サイリスタＣｉ２のカソード端子の電位が、アノード端子の電位と同じ「Ｈ」になるので、ターンオフする。これにより、ゲート端子Ｇｃ２の電位は「Ｈ」から、電源線抵抗Ｒｇｙ２を介して、「Ｌ」（−３．３Ｖ）に向かって変化を始める。
このとき、ゲート端子Ｇｃ１の電位は、オン状態の制御サイリスタＣｉ１により「Ｈ」（０Ｖ）である。ゲート端子Ｇｃ２の電位が低下すると、結合ダイオードＤｃ１が順バイアスになり、ゲート端子Ｇｃ２の電位を、ゲート端子Ｇｃ１の電位（「Ｈ」（０Ｖ））から結合ダイオードＤｃ１の順方向電位Ｖｄ（１．５Ｖ）を引いた−１．５Ｖに設定する。これにより、制御サイリスタＣｉ２のしきい電圧が−３Ｖになる。
ゲート端子Ｇｃ２が−１．５Ｖになると、ダイオードスイッチＤｓｉ２の制御ダイオードＤｒ３が順バイアスになるので、抵抗Ｒｒ６は抵抗値の小さい（０）状態になる。よって、第２点灯信号線７５−２（第２点灯信号φＩ２）の電位は、Ｖｓｕｂ端子に供給される基準電位Ｖｓｕｂ（「Ｈ」（０Ｖ））になる。この状態と、図８に示した時刻ｈの状態と比較すると、第２点灯信号φＩ２の−０．５Ｖが「Ｈ」（０Ｖ）になっている。
これ以降は、説明した動作が繰り返されていく。
【０２０４】
以上説明したように、時刻ｂ以降において、本実施の形態では、図８の第１の実施の形態における第１点灯信号φＩ１および第２点灯信号φＩ２における−０．５Ｖが「Ｈ」（０Ｖ）になっている。
第１の実施の形態において説明したように、「Ｌｅ」（−３Ｖ＜「Ｌｅ」≦−１．５Ｖ）から−０．５Ｖへの移行（例えば時刻ｈ）により、オン状態で点灯（発光）している発光サイリスタＬをターンオフして、消灯させていた。オン状態の発光サイリスタＬを消灯させるためには、カソード端子の電位を、オン状態が維持できない電位（−１．５Ｖより高い電位）に設定すればよい。−０．５Ｖであっても、「Ｈ」（０Ｖ）であっても、オン状態の発光サイリスタＬはターンオフして、消灯する。すなわち、本実施の形態は、第１の実施の形態と同じように動作する。
なお、時刻ａから時刻ｂにおいて、第１点灯信号φＩ１、第２点灯信号φＩ２の波形が、図８に示した波形と異なるが、発光チップＣが動作を開始する初期状態であるので、どちらであってもかまわない
転送サイリスタＴ、発光サイリスタＬ、許可ダイオードＤｅ、ダイオードスイッチＤｓ、許可信号設定部１７０の動作は、第１の実施の形態と同じであるので、詳細な説明を省略する。
なお、第２の実施の形態の発光チップＣは、図６に示した第１の実施の形態の発光チップＣと同様に構成しうる。
【０２０５】
以上説明したように、第２の実施の形態においても、１つの発光チップＣにおいて、２つの発光サイリスタＬを並行して点灯（発光）させうる。これにより、１つの発光サイリスタＬを順に点灯（発光）させる場合に比べ、発光装置６５の露光の速度が大きくなる。
しかも、本実施の形態でも、発光チップＣ内において、許可信号設定部１７０により、第１許可信号φＥ１から反転した第２許可信号φＥ２を設定するとともに、同様に発光チップＣ内において、単一の点灯電位Ｖｉから第１点灯信号φＩ１および第２点灯信号φＩ２を設定している。このことから、発光装置６５の回路基板６２上の配線（ライン）の数を抑制しうる。
【０２０６】
［第３の実施の形態］
第３の実施の形態では、発光チップＣのダイオードスイッチＤｓの構成が、第１の実施の形態における発光チップＣと異なっている。
図１０は、第３の実施の形態における自己走査型発光素子アレイ（ＳＬＥＤ）である発光チップＣの回路構成を説明するための等価回路図である。
第３の実施の形態における発光チップＣでは、図５に示した第１の実施の形態における発光チップＣのダイオードスイッチＤｓにおいて、書込抵抗ＲｗとＱ端子との間に接続ダイオードＳＤを設けている。なお、接続ダイオードＳＤ１、ＳＤ２、ＳＤ３、…をそれぞれ区別しないときは、接続ダイオードＳＤと表記する。接続ダイオードＳＤはショットキーダイオードである。すなわち、本実施の形態では、書込素子の一例としてのダイオードスイッチＤｓは、書込ダイオードＤｗ、書込抵抗Ｒｗ、接続ダイオードＳＤを備えている。
発光チップＣの他の構成は、第１の実施の形態が適用される発光チップＣと同様であるので、同様のものには同じ符号を付して、詳細な説明を省略する。
【０２０７】
図１１は、第３の実施の形態における発光チップＣの平面レイアウト図および断面図である。図１１（ａ）は、発光チップＣの平面レイアウト図であって、発光サイリスタＬ１〜Ｌ４、許可ダイオードＤｅ１〜Ｄｅ４、ダイオードスイッチＤｓ１〜Ｄｓ４、転送サイリスタＴ１〜Ｔ４を中心とした部分を示している。図１１（ｂ）は、図１１（ａ）に示したＸＩＢ−ＸＩＢ線での断面図である。
第３の実施の形態における発光チップＣでは、図６に示した第１の実施の形態における発光チップＣの平面レイアウト図および断面図におけるｐ型オーミック電極１３２が、ショットキー電極１５２になっている。
発光チップＣの他の構成は、第１の実施の形態が適用される発光チップＣと同様であるので、同様のものには同じ符号を付して、詳細な説明を省略する。
【０２０８】
図１２は、第３の実施の形態における発光チップＣのダイオードスイッチＤｓの構成および特性を示す図である。図１２（ａ）は図１１（ａ）に示した発光チップＣから取り出したダイオードスイッチＤｓの平面図、図１２（ｂ）は図１２（ｂ）に示した発光チップＣから取り出したダイオードスイッチＤｓの断面図、図１２（ｃ）はダイオードスイッチＤｓの特性である。
【０２０９】
図１２（ａ）、（ｂ）に付した符号は、図１１（ａ）、（ｂ）に付した符号と同じである。なお、ｐ型オーミック電極１３３をＯ端子、ｎ型オーミック電極１２２をＰ端子、ショットキー電極１５２をＱ端子とする（図９参照）。ダイオードスイッチＤｓは、Ｏ端子、Ｐ端子、Ｑ端子を備える３端子素子である。そして、書込抵抗Ｒｗは、Ｏ端子であるｐ型オーミック電極１３３とＱ端子であるショットキー電極１５２との間のｐ型の第３半導体層８３を抵抗として構成される。書込ダイオードＤｗは、Ｐ端子とＯ端子との間の、ｐ型の第３半導体層８３とｎ型の第４半導体層８４とが接触して構成されるｐｎ接合で構成されている。そして、接続ダイオードＳＤは、ｐ型の第３半導体層８３にショットキー接合するショットキー電極１５２で構成されている。
【０２１０】
次に、ダイオードスイッチＤｓの特性を説明する。
例えばＯ端子を０Ｖに、Ｑ端子を−３Ｖにし、Ｐ端子に電位を与えないときは、書込抵抗Ｒｗ（Ｏ端子とＱ端子との間）には、ｐ型の第３半導体層８３の電荷（キャリア）によって決まる電流が流れる。
なお、Ｑ端子にショットキーダイオードである接続ダイオードＳＤが設けられているので、書込抵抗Ｒｗ（Ｏ端子とＱ端子との間）の電流Ｉ（Ｒｗ）は、Ｏ端子とＱ端子との間の電位差Ｖ（Ｒｗ）が、ショットキー接合の順方向電位Ｖｓ（０．５Ｖ）以上になったときに流れ始める。Ｐ端子に電位を与えないときは、図１２（ｃ）の“書込ダイオードＤｗに電流を流さない場合”に該当し、書込抵抗Ｒｗ（Ｏ端子とＱ端子との間）に流れる電流Ｉ（Ｒｗ）は、ショットキー接合の順方向電位Ｖｓ（０．５Ｖ）以上において、Ｏ端子とＱ端子との間の電位差Ｖ（Ｒｗ）が大きくなると大きくなる。しかし、Ｑ端子にショットキーダイオードである接続ダイオードＳＤが設けられているので、電流Ｉ（Ｒｗ）は、ｐ型の第３半導体層８３の多数キャリアであるホールしか流れない。よって、第２の実施の形態における“書込ダイオードＤｗに電流を流さない場合”の書込抵抗Ｒｗの抵抗値は、第１の実施の形態における“書込ダイオードＤｗに電流を流さない場合”の書込抵抗Ｒｗの抵抗値より大きくなる。
【０２１１】
次に、ｐ型の第３半導体層８３とｎ型の第４半導体層８４とで構成されるｐｎ接合が順方向にバイアス（順バイアス）されるように、例えばＰ端子に−３Ｖ（ｐｎ接合の順方向電位Ｖｄより絶対値が大きい負の値）を与えると、Ｏ端子とＰ端子との間のｐ型の第３半導体層８３とｎ型の第４半導体層８４とで構成されるｐｎ接合が順バイアスになり、電荷（キャリア）がｎ型の第４半導体層８４とｐ型の第３半導体層８３とで注入される。すると、Ｏ端子とＱ端子との間に流れる電荷（キャリア）の量（電流）も大きくなる。Ｐ端子にｐｎ接合が順バイアスになる電位を与えたときは、図１２（ｃ）の“書込ダイオードＤｗに電流を流した場合”にあたり、ショットキー接合の順方向電位Ｖｓ（０．５Ｖ）以上において、電流Ｉ（Ｒｗ）は、Ｏ端子とＱ端子との間の電位差Ｖ（Ｒｗ）が大きくなると大きくなる。
【０２１２】
そして、“書込ダイオードＤｗに電流を流した場合”に示すように、そして、“書込ダイオードＤｗに電流を流した場合”に書込抵抗Ｒｗ（Ｏ端子とＱ端子との間）に流れる電流Ｉ（Ｒｗ）は、書込ダイオードＤｗに電流を流すことにより、“書込ダイオードＤｗに電流を流さない場合”に比べ、大きくなる。
そして、図１２（ｃ）の“書込ダイオードＤｗに電流を流した場合”に示すように、書込抵抗Ｒｗ（Ｏ端子とＱ端子との間）に流れる電流Ｉ（Ｒｗ）は、ショットキー接合の順方向電位Ｖｓ（０．５Ｖ）以上において、Ｏ端子とＱ端子との間の電位差Ｖ（Ｒｗ）が大きくなると、大きくなる。
【０２１３】
Ｑ端子に接続ダイオードＳＤを設けると、“書込ダイオードＤｗに電流を流さない場合”において、転送サイリスタＴのゲート端子Ｇｔと発光サイリスタＬのゲート端子Ｇｌとの間の抵抗値が大きくなり、転送サイリスタＴと発光サイリスタＬとがより電気的に分離される。よって、転送サイリスタＴをより高速で、且つ安定して駆動させうる。
【０２１４】
なお、第３の実施の形態では、接続ダイオードＳＤを加えたことで、第１の実施の形態に対して示した表１の発光サイリスタＬのしきい電圧が変わる。
すなわち、第３の実施の形態が適用される発光チップＣでは、場合２におけるゲート端子Ｇｔが「Ｈ」（０Ｖ）のときのゲート端子Ｇｌ（Ｑ）の電位は、接続ダイオードＳＤのショットキー接合の順方向電位Ｖｓ（０．５Ｖ）が介在するため、−０．５Ｖになる。よって、発光サイリスタＬのしきい電圧は−２Ｖになる。
同様に、場合１０におけるゲート端子Ｇｔが−１．５Ｖのときのゲート端子Ｇｌ（Ｑ）の電位は、接続ダイオードＳＤのショットキー接合の順方向電位Ｖｓ（０．５Ｖ）が介在するため、−２Ｖになる。よって、発光サイリスタＬのしきい電圧は−３．５Ｖになる。
他の場合は、表１と同じである。
場合１０の発光サイリスタＬのしきい電圧は、第１の実施の形態の−３Ｖから−３．５Ｖになるので、点灯電位Ｖｉを「Ｌｅ」（−３Ｖ＜「Ｌｅ」≦−１．５Ｖ）とすることなく、「Ｌ」（−３．３Ｖ）としてよい。
一方、場合２の発光サイリスタＬのしきい電圧は、第１の実施の形態の−１．５Ｖから−２Ｖになるが、点灯電位Ｖｉを「Ｌ」（−３．３Ｖ）としても、第１の実施の形態で説明したと同様に動作する。
よって、第２の実施の形態では、第１転送信号φ１、第２転送信号φ２、第１許可信号φＥ１、書込信号φＷ１〜φＷ２０の「Ｌ」および電源電位Ｖｇａ、点灯電位Ｖｉを−３．３Ｖの単一の値としうる。
発光装置６５の動作は第１の実施の形態と同様であるので、発光装置６５の動作についての詳細な説明を省略する。
【０２１５】
なお、第２の実施の形態の発光チップＣのダイオードスイッチＤｓに、本実施の形態におけるダイオードスイッチＤｓを適用してもよい。
【０２１６】
［第４の実施の形態］
第４の実施の形態における発光チップＣでは、第１の実施の形態におけるダイオードスイッチＤｓの代わりに、ｎｐｎ型のバイポーラトランジスタによるバイポーラスイッチＢＴを用いている。
図１３は、第４の実施の形態における自己走査型発光素子アレイ（ＳＬＥＤ）である発光チップＣの回路構成を説明するための等価回路図である。
第４の実施の形態における発光チップＣでは、図８に示した第１の実施の形態における発光チップＣにおけるダイオードスイッチＤｓの代わりに、書込素子の一例としてのｎｐｎ型のバイポーラスイッチＢＴを用いている。なお、バイポーラスイッチＢＴ１、ＢＴ２、ＢＴ３、…をそれぞれ区別しないときは、バイポーラスイッチＢＴと表記している。
バイポーラスイッチＢＴのコレクタ端子がＯ端子で、許可ダイオードＤｅのアノード端子Ｄａに接続されている。ベース端子がＰ端子で、書込信号φＷが送信されるφＷ端子に接続されている。エミッタ端子がＯ端子で、発光サイリスタＬのゲート端子Ｇｌに接続されている。
発光チップＣの他の構成は、第１の実施の形態が適用される発光チップＣと同様であるので、同様のものには同じ符号を付して、詳細な説明を省略する。
【０２１７】
図１４は、第４の実施の形態における発光チップＣの平面レイアウト図および断面図である。図１４（ａ）は、発光チップＣの平面レイアウト図であって、発光サイリスタＬ１〜Ｌ４、許可ダイオードＤｅ１〜Ｄｅ４、ダイオードスイッチＤｓ１〜Ｄｓ４、転送サイリスタＴ１〜Ｔ４を中心とした部分を示している。図１４（ｂ）は、図１４（ａ）に示したＸＩＶＢ−ＸＩＶＢ線での断面図である。
バイポーラスイッチＢＴは、図１０（ａ）、（ｂ）に示した第１の実施の形態における発光チップＣの平面レイアウト図および断面図における第２アイランド３０２に設けられている。
ｐ型の第３半導体層８３上に設けられたｐ型オーミック電極１３３を、コレクタ端子（Ｏ端子）としている。そして、ｐ型の第３半導体層８３上に設けられたｐ型オーミック電極１３２をエミッタ端子（Ｑ端子）としている。そして、ｐ型の第３半導体層８３を除去して露出させたｎ型の第２半導体層８２上に設けられたｎ型オーミック電極１２５をベース端子（Ｑ端子）としている。
【０２１８】
図１５は、第４の実施の形態における発光チップＣのバイポーラスイッチＢＴの構成および特性を示す図である。図１５（ａ）は図１４（ａ）に示した発光チップＣから取り出したバイポーラスイッチＢＴの平面図、図１５（ｂ）は図１４（ｂ）に示した発光チップＣから取り出したバイポーラスイッチＢＴの断面図、図１５（ｃ）はバイポーラスイッチＢＴの特性である。
図１５（ａ）、（ｂ）に付した符号は、図１４（ａ）、（ｂ）に付した符号と同じである。なお、ｐ型オーミック電極１３３をＯ端子、ｎ型オーミック電極１２６をＰ端子、ｐ型オーミック電極１３２をＱ端子とする（図１３参照）。バイポーラスイッチＢＴは、Ｏ端子、Ｐ端子、Ｑ端子を備える３端子素子である。
【０２１９】
次に、バイポーラスイッチＢＴの特性を説明する。
例えばコレクタ端子（Ｏ端子）を０Ｖに、エミッタ端子（Ｑ端子）を−３Ｖにし、ベース端子（Ｐ端子）とエミッタ端子（Ｑ端子）の間に順バイアスとなる電位を与えないときは、図１５（ｃ）の“オフ”に示すように、バイポーラスイッチＢＴはオフで、エミッタ端子とコレクタ端子との間（Ｏ端子とＱ端子との間）は電流が流れ難い、抵抗の高い状態になる。
一方、ベース端子（Ｐ端子）に、エミッタ端子とベース端子との間が順バイアスになるように、例えば−１．５Ｖを印加すると、図１５（ｃ）の“オン”に示すように、バイポーラスイッチＢＴがオンになり、エミッタ端子とコレクタ端子との間に電流が流れやすい、抵抗の低い状態になる。
第１の実施の形態におけるダイオードスイッチＤｓをバイポーラスイッチＢＴに置き換えれば、同様に動作する。よって、第３の実施の形態における発光装置６５の動作について、これ以上の詳細な説明は省略する。
【０２２０】
なお、第２の実施の形態の発光チップＣのダイオードスイッチＤｓの代わりに、本実施の形態におけるダイオードスイッチＤｓを適用してもよい。
【０２２１】
［第５の実施の形態］
第５の実施の形態における発光チップＣでは、第１の実施の形態におけるダイオードスイッチＤｓと異なる構成のダイオードスイッチＤｓを用いている。本実施の形態におけるダイオードスイッチＤｓも書込素子の一例である。
図１６は、第５の実施の形態における発光チップＣのダイオードスイッチＤｓの構成を示す図である。図１６（ａ）はダイオードスイッチＤｓの平面図、図１６（ｂ）はダイオードスイッチＤｓの断面図である。
第１の実施の形態では、ダイオードスイッチＤｓにおいて、書込ダイオードＤｗのアノード端子であるｎ型オーミック電極１２２を、ｐ型オーミック電極１３２、１３３の間に設けていた。第５の実施の形態では、ｐ型オーミック電極１３２、１３３を近接させ、それらの外側（ｐ型オーミック電極１３２側）にｎ型オーミック電極１２２を設けている。
ｐ型の第３半導体層８３上に設けられたｐ型オーミック電極１３３をＯ端子、ｐ型オーミック電極１３２をＰ端子として、ｐ型の第３半導体層８３を書込抵抗Ｒｗとしている。そして、ｐ型の第３半導体層８３とｎ型の第４半導体層８４との間のｐｎ接合を書込ダイオードＤｗとし、ｐ型オーミック電極１３３をＯ端子、ｎ型の第４半導体層８４上に設けられたｎ型オーミック電極１２２をＰ端子としている。
【０２２２】
Ｏ端子とＰ端子との間を順バイアスにした場合と、順バイアスにしない場合とで、図７（ｃ）に示した“書込ダイオードＤｗに電流を流した場合”と“書込ダイオードＤｗに電流を流さない場合”のように、Ｏ端子とＱ端子との間に流れる電流（抵抗）が変化する。よって、本実施の形態におけるダイオードスイッチＤｓは、第１の実施の形態におけるダイオードスイッチＤｓと同様に動作する。
よって、これ以上の詳細な説明は省略する。
【０２２３】
なお、第２の実施の形態の発光チップＣのダイオードスイッチＤｓに、本実施の形態におけるダイオードスイッチＤｓを適用してもよい。
【０２２４】
［第６の実施の形態］
第６の実施の形態における発光チップＣでは、第５の実施の形態におけるダイオードスイッチＤｓと異なる構成のダイオードスイッチＤｓを用いている。本実施の形態におけるダイオードスイッチＤｓも書込素子の一例である。
図１７は、第６の実施の形態における発光チップＣのダイオードスイッチＤｓの構成を示す図である。図１７（ａ）はダイオードスイッチＤｓの平面図、図１７（ｂ）はダイオードスイッチＤｓの断面図である。
前述した第３の実施の形態のダイオードスイッチＤｓでは、第１の実施の形態のダイオードスイッチＤｓのｐ型オーミック電極１３２をショットキー電極１５２とし、ショットキーダイオードの接続ダイオードＳＤを設けていた。
第６の実施の形態は、第１の実施の形態と第３の実施の形態との関係と同様に、第５の実施の形態のダイオードスイッチＤｓのｐ型オーミック電極１３２をショットキー電極１５２とし、ショットキーダイオードの接続ダイオードＳＤを設けたものである。
他の構成は、第１の実施の形態と同様である。よって、第６の実施の形態におけるダイオードスイッチＤｓは、第１の実施の形態におけるダイオードスイッチＤｓと同様に動作する。
【０２２５】
なお、第２の実施の形態の発光チップＣのダイオードスイッチＤｓに、本実施の形態におけるダイオードスイッチＤｓを適用してもよい。
【０２２６】
［第７の実施の形態］
第７の実施の形態における発光チップＣでは、第１の実施の形態におけるダイオードスイッチＤｓと異なる構成のダイオードスイッチＤｓを用いている。本実施の形態におけるダイオードスイッチＤｓも書込素子の一例である。
図１８は、第７の実施の形態における発光チップＣのダイオードスイッチＤｓの構成を示す図である。図１８（ａ）はダイオードスイッチＤｓの平面図、図１８（ｂ）はダイオードスイッチＤｓの断面図である。
前述した第１の実施の形態のダイオードスイッチＤｓでは、書込抵抗Ｒｗはｐ型の第３半導体層８３を抵抗として用いていた。
一方、第７の実施の形態では、ダイオードスイッチＤｓの書込抵抗Ｒｗはｐ型の第１半導体層８１を抵抗として用いている。書込ダイオードＤｗは、第１半導体層８１に接して設けられたｎ型の、第２半導体層８２と、ｐ型の第３半導体層８３との間のｐｎ接合をダイオードとして用いている。このため、第３半導体層８３上に設けたｐ型オーミック電極１３２をＯ端子、ｐ型の第１半導体層８１に設けたｐ型オーミック電極１６１をＱ端子、ｐ型の第３半導体層８３上のｎ型オーミック電極１２７をＰ端子としている。
第７の実施の形態では、書込抵抗Ｒｗはｐ型オーミック電極１３３（Ｏ端子）とｐ型オーミック電極１６１（Ｑ端子）との間の第１半導体層８１を抵抗とするが、ｐ型オーミック電極１３２（Ｏ端子）は、ｐ型の第１半導体層８１に対して、ｎ型の第２半導体層８２およびｐ型の第３半導体層８３を挟んで設けられている。よって、書込抵抗Ｒｗは逆バイアスされたｐｎ接合が直列に接続されて構成されている。このため、第１の実施の形態に比べて、“書込ダイオードＤｗに電流を流さない場合”の書込抵抗Ｒｗの抵抗値を大きくすることができる。
一方、Ｏ端子とＰ端子との間を順バイアスにして、書込ダイオードＤｗに電流を流すと、ｐ型の第１半導体層８１に流れる電荷の量（電流）も増加し、書込抵抗Ｒｗの抵抗値が小さくなる。よって、第７の実施の形態におけるダイオードスイッチＤｓは、第１の実施の形態におけるダイオードスイッチＤｓと同様に動作する。
【０２２７】
なお、第２の実施の形態の発光チップＣのダイオードスイッチＤｓに、本実施の形態におけるダイオードスイッチＤｓを適用してもよい。
【０２２８】
第１から第７の実施の形態において、転送サイリスタＴは、第１転送信号φ１と第２転送信号φ２の２相で駆動したが、転送サイリスタＴを３個毎に３相の転送信号を送信して駆動してもよい。同様にして、４相以上の転送信号を送信しても駆動してもよい。
また、第１から第７の実施の形態において、第１の電気的手段として接続抵抗Ｒｅを用いた。第１の電気的手段は電位降下を生じさせて電位差を保持できればよく、ダイオードなどを用いてもよい。
さらに、第１から第７の実施の形態において、第２の電気的手段として結合ダイオードＤｘを用いた。第２の電気的手段は、一方の端子の電位の変化が他方の端子の電位の変化を生じるものであればよく、抵抗などであってもよい。
【０２２９】
なお、第１から第７の実施の形態において、発光チップＣには、自己走査型発光素子アレイ（ＳＬＥＤ）が１個搭載されているとしたが、２個以上であってもよい。２個以上搭載されている場合には、それぞれの自己走査型発光素子アレイ（ＳＬＥＤ）を発光チップＣと置き換えればよい。
また、発光素子列１０２の発光点（発光サイリスタＬ）の数を１２８であるとして説明したが、この個数は任意に設定しうる。
【０２３０】
そして、第１から第７の実施の形態は、サイリスタ（転送サイリスタＴ、発光サイリスタＬ）のアノード端子を基板８０にとって共通にしたアノードコモンとして説明した。カソード端子を基板８０にとって共通にしたカソードコモンにおいても、回路の極性を変更することによって用いうる。
【符号の説明】
【０２３１】
１…画像形成装置、１０…画像形成プロセス部、１１…画像形成ユニット、１２…感光体ドラム、１４…プリントヘッド、３０…画像出力制御部、４０…画像処理部、６２…回路基板、６３…発光部、６４…ロッドレンズアレイ、６５…発光装置、１１０…信号発生回路、１２０…転送信号発生部、１３０…許可信号発生部、１５０…書込信号発生部、１６０…点灯信号設定部、１７０…許可信号設定部、φ１…第１転送信号、φ２…第２転送信号、φＥ１…第１許可信号、φＥ２…第２許可信号、φＷ（φＷ１〜φＷ２０）…書込信号、φＩ（φＩ１、φＩ２）…点灯信号、Ｃ（Ｃ１〜Ｃ２０）…発光チップ、Ｌ…発光サイリスタ、Ｔ…転送サイリスタ、Ｄｅ…許可ダイオード、Ｄｓ、Ｄｓｒ、Ｄｓｉ…ダイオードスイッチ、Ｄｗ…書込ダイオード、ＢＴ…バイポーラスイッチ、Ｄｘ、Ｄｃ…結合ダイオード、Ｖｇａ…電源電位、Ｖｓｕｂ…基準電位、Ｖｉ…点灯電位
【図１】
2012040728.tif 000004
【図２】
2012040728.tif 000005
【図３】
2012040728.tif 000006
【図４】
2012040728.tif 000007
【図５】
2012040728.tif 000008
【図６】
2012040728.tif 000009
【図７】
2012040728.tif 000010
【図８】
2012040728.tif 000011
【図９】
2012040728.tif 000012
【図１０】
2012040728.tif 000013
【図１１】
2012040728.tif 000014
【図１２】
2012040728.tif 000015
【図１３】
2012040728.tif 000016
【図１４】
2012040728.tif 000017
【図１５】
2012040728.tif 000018
【図１６】
2012040728.tif 000019
【図１７】
2012040728.tif 000020
【図１８】
2012040728.tif 000021